(57)【要約】【課題】高いセキュリティを維持することが可能な生体情報照合システムを提供する。【解決手段】生体情報照合システムによって、受付けた識別情報に対応する担当者の出社または退社が判定され、担当者の出社が判定されたときに、出社が判定された担当者に対応する照合用生体情報が有効化され、担当者の退社が判定されたときに、退社が判定された担当者に対応する照合用生体情報が無効化され、取得された担当者の生体情報と、生体情報照合システムに記憶されている複数の照合用生体情報のうち、有効化された照合用生体情報との照合を行なって、担当者の本人認証が行なわれ、担当者が認証されたときに、担当者による対象機器の操作が許可される。【選択図】図５１
2008101434.tif 000002
【特許請求の範囲】
【請求項１】
対象機器の操作を許可されている複数の担当者それぞれの照合用生体情報を記憶する記憶手段と、
各担当者を個々に識別可能な識別情報を受付ける受付け手段と、
前記受付け手段が識別情報を受付けることにより、該受付けた識別情報に対応する担当者の出社または退社を判定する判定手段と、
該判定手段により担当者の出社が判定されたときに、前記記憶手段に記憶されている複数の照合用生体情報のうち、出社が判定された担当者に対応する照合用生体情報を有効化する有効化手段と、
前記判定手段により担当者の退社が判定されたときに、前記記憶手段に記憶されている前記複数の照合用生体情報のうち、退社が判定された担当者に対応する照合用生体情報を無効化する無効化手段と、
担当者の生体情報を取得する取得手段と、
該取得手段により取得された生体情報と、前記記憶手段に記憶されている前記複数の照合用生体情報のうち、前記有効化手段により有効化された照合用生体情報との照合を行なって、担当者の本人認証を行なう照合手段と、
該照合手段により担当者が認証されたときに、該担当者による前記対象機器の操作を許可する許可手段とを備えることを特徴とする、生体情報照合システム。
【請求項２】
前記無効化手段は、前記判定手段により担当者の出社が判定されてから所定時間経過したときに、または、予め定められた時刻になったときに、該担当者に対応する照合用生体情報を無効化することを特徴とする、請求項１に記載の生体情報照合システム。
【請求項３】
対象機器の操作を許可されている複数の担当者それぞれの照合用生体情報を記憶する生体情報記憶手段と、
前記複数の担当者の各々の出社予定時刻および退社予定時刻を含む勤務予定情報を各担当者毎に記憶する勤務情報記憶手段と、
現在の時刻が、前記勤務情報記憶手段に記憶される複数の勤務予定情報のいずれかに含まれる出社予定時刻になったときに、前記生体情報記憶手段に記憶されている複数の照合用生体情報のうち、該出社予定時刻が含まれる勤務予定情報に対応する担当者の照合用生体情報を有効化する有効化手段と、
現在の時刻が、前記勤務情報記憶手段に記憶される複数の勤務予定情報のいずれかに含まれる退社予定時刻になったときに、前記生体情報記憶手段に記憶されている前記複数の照合用生体情報のうち、該退社予定時刻が含まれる勤務予定情報に対応する担当者の照合用生体情報を無効化する無効化手段と、
担当者の生体情報を取得する取得手段と、
該取得手段により取得された生体情報と、前記記憶手段に記憶されている前記複数の照合用生体情報のうち、前記有効化手段により有効化された照合用生体情報との照合を行なって、担当者の本人認証を行なう照合手段と、
該照合手段により担当者が認証されたときに、該担当者による前記対象機器の操作を許可する許可手段とを備えることを特徴とする、生体情報照合システム。
【請求項４】
前記生体情報照合システムは、さらに、
各担当者を個々に識別可能な識別情報と、該各担当者の照合用生体情報を有効化するための認証情報とを受付ける受付け手段と、
該受付け手段が受付けた識別情報と認証情報とに基づいて、前記担当者の本人認証を行なう認証手段とを備え、
前記有効化手段は、前記認証手段により前記担当者が認証されたときにも、前記生体情報記憶手段に記憶されている複数の照合用生体情報のうち、前記受付け手段が受付けた識別情報に対応する担当者の照合用生体情報を有効化することを特徴とする、請求項３に記載の生体情報照合システム。
【請求項５】
前記照合手段は、前記取得手段により取得された生体情報と、前記記憶手段に記憶されている複数の照合用生体情報のうち、前記有効化手段により有効化された照合用生体情報と照合した結果の一致度合いに基づいて本人認証を行ない、
前記生体情報照合システムは、さらに、
前記照合手段により、前記一致度合いが予め定められた値以下であると判定されたことを条件に、該判定された生体保有者の生体情報の再登録を促す再登録報知手段を備える、請求項１〜４のいずれかに記載の生体情報照合システム。
【請求項６】
前記照合手段は、前記取得手段により取得された生体情報と、前記記憶手段に記憶されている複数の照合用生体情報のうち、前記有効化手段により有効化された照合用生体情報とを照合した結果の一致度合いに基づいて本人認証を行ない、
前記生体情報照合システムは、さらに、
前記照合手段により、前記一致度合いが予め定められた値以下であると判定されたことを条件に、該判定された生体保有者の新たな照合用生体情報を前記記憶手段に再登録する再登録手段を備えることを特徴とする、請求項１〜４のいずれかに記載の生体情報照合システム。
【発明の詳細な説明】
【技術分野】
【０００１】
本発明は、生体情報照合システムに関し、特に、生体情報を処理する生体情報照合システムに関する。
【背景技術】
【０００２】
近年、指紋、静脈、網膜、虹彩、顔といった、人間の体の一部をデータ化した生体情報を認証に使用し、金庫の開錠、マンションの扉の開錠等を行なうシステムおよび装置が普及しつつある。
【０００３】
特開２００３−２３２１５４号公報（特許文献１）には、担当者の指紋を読取り、予め登録されている複数の指紋データと照合し、一致する指紋データがあれば、金庫を開錠する技術（以下、第１の先行技術ともいう）が開示されている。
【０００４】
また、最近では、社員の出社または退社に基づいて、自動的に、特定の装置を制御するシステム等も普及しつつある。特開２００５−２９３８５３号公報（特許文献２）には、就業者が、社員証をタイムレコーダに挿入し、該就業者が就業エリアの最初の出社であれば、当該就業エリアの照明を点け、最後の就業者が、社員証をタイムレコーダに挿入することで、消灯する技術（以下、第２の先行技術ともいう）が開示されている。
【特許文献１】特開２００３−２３２１５４号公報（第００１９段落〜第００２１段落）
【特許文献２】特開２００５−２９３８５３号公報（第００５４段落〜第００５６段落）
【発明の開示】
【発明が解決しようとする課題】
【０００５】
第２の先行技術に、第１の先行技術を適用することで、たとえば、特定の装置の操作が許可されている複数の担当者のうちの一人の出社または退社に基づいて、複数の担当者の生体情報（たとえば、指紋データ）を有効化するといった応用も考えられる。
【０００６】
しかしながら、ある担当者の出社により、未出社の担当者の生体情報までも有効化されてしまうと、セキュリティが低下するという問題点が発生する。
【０００７】
本発明は、上述の問題点を解決するためになされたものであって、その目的は、高いセキュリティを維持することが可能な生体情報照合システムを提供することである。
【課題を解決するための手段の具体例およびその効果】
【０００８】
（１）  対象機器（たとえば、島金庫３００）の操作を許可されている複数の担当者（たとえば、貨幣回収担当者）それぞれの照合用生体情報を記憶する記憶手段（たとえば、島金庫３００の記憶部３２０）と、
各担当者を個々に識別可能な識別情報（たとえば、担当者ＩＤ）を受付ける受付け手段（たとえば、制御部５１０、図５２または図５７のステップＳ１１１０，Ｓ１１２０）と、
前記受付け手段が識別情報を受付けることにより、該受付けた識別情報に対応する担当者の出社または退社を判定する判定手段（たとえば、制御部５１０、図５２または図５７のステップＳ１１１０、図５２または図５７のステップＳ１１２０）と、
該判定手段により担当者の出社が判定されたときに（たとえば、図５２または図５７のステップＳ１１１０でＹＥＳと判定された場合）、前記記憶手段に記憶されている複数の照合用生体情報のうち、出社が判定された担当者に対応する照合用生体情報を有効化する有効化手段（たとえば、制御部５１０、図５２または図５７のステップＳ１１１２、制御部３１０、図５３のステップＳ１１５１）と、
前記判定手段により担当者の退社が判定されたときに（たとえば、図５２または図５７のステップＳ１１２０でＹＥＳと判定された場合）、前記記憶手段に記憶されている前記複数の照合用生体情報のうち、退社が判定された担当者に対応する照合用生体情報を無効化する無効化手段（たとえば、制御部５１０、図５２のステップＳ１１２２または図５７のステップＳ１１２２Ａ、制御部３１０、図５５のステップＳ１１６１）と、
担当者の生体情報を取得する取得手段（たとえば、制御部３１０、図５６のステップＳ４０２）と、
該取得手段により取得された生体情報と、前記記憶手段に記憶されている前記複数の照合用生体情報のうち、前記有効化手段により有効化された照合用生体情報との照合を行なって、担当者の本人認証を行なう照合手段（たとえば、制御部３１０、図５６のステップＳ４１２Ｃ）と、
該照合手段により担当者が認証されたときに（図５６のステップＳ４３０ＣでＹＥＳと判定された場合）、該担当者による前記対象機器の操作を許可する許可手段（たとえば、制御部３１０、図５６のステップＳ４３８）とを備える。
【０００９】
このような構成によれば、生体情報照合システムによって、対象機器の操作を許可されている複数の担当者それぞれの照合用生体情報が記憶され、各担当者を個々に識別可能な識別情報が受付けられ、識別情報を受付けることにより、受付けた識別情報に対応する担当者の出社または退社が判定され、担当者の出社が判定されたときに、生体情報照合システムに記憶されている複数の照合用生体情報のうち、出社が判定された担当者に対応する照合用生体情報が有効化され、担当者の退社が判定されたときに、生体情報照合システムに記憶されている複数の照合用生体情報のうち、退社が判定された担当者に対応する照合用生体情報が無効化され、担当者の生体情報が取得され、取得された生体情報と、生体情報照合システムに記憶されている複数の照合用生体情報のうち、有効化された照合用生体情報との照合を行なって、担当者の本人認証が行なわれ、担当者が認証されたときに、担当者による対象機器の操作が許可される。
【００１０】
このため、出社が判定された担当者の照合用生体情報のみ有効化され、未出社の担当者の照合用生体情報は有効化されないため、高いセキュリティを維持することができるという効果を奏する。
【００１１】
（２）  前記無効化手段は、前記判定手段により担当者の出社が判定されてから所定時間経過したときに（ステップＳ１１１４ＡでＹＥＳと判定された場合）、または、予め定められた時刻になったときに（ステップＳ１１１５ＡでＹＥＳと判定された場合）、該担当者に対応する照合用生体情報を無効化する（ステップＳ１１２２Ａ，図５５のステップＳ１１６１）。
【００１２】
このような構成によれば、生体情報照合システムによって、担当者の出社が判定されてから所定時間経過したときに、または、予め定められた時刻になったときに、担当者に対応する照合用生体情報が無効化される。
【００１３】
このため、担当者が退社を行なうための操作（たとえば、退社モードの出社退社判定装置６００に、担当者がＩＤカードを近づける操作）を忘れて退社したとしても、該担当者の照合用生体情報が有効化され続けることがなく、セキュリティを担保できるという効果を奏する。
【００１４】
（３）  対象機器（たとえば、島金庫３００）の操作を許可されている複数の担当者（たとえば、貨幣回収担当者）それぞれの照合用生体情報を記憶する生体情報記憶手段（たとえば、島金庫３００の記憶部３２０）と、
前記複数の担当者の各々の出社予定時刻および退社予定時刻を含む勤務予定情報（たとえば、勤務予定データテーブルＤ１０００を構成する各勤務予定データ）を各担当者毎に記憶する勤務情報記憶手段（たとえば、管理装置５００の記憶部５２０）と、
現在の時刻が、前記勤務情報記憶手段に記憶される複数の勤務予定情報（たとえば、勤務予定データテーブルＤ１０００を構成する複数の勤務予定データ）のいずれかに含まれる出社予定時刻になったときに（たとえば、ステップＳ１２１０でＹＥＳと判定される場合）、前記生体情報記憶手段に記憶されている複数の照合用生体情報のうち、該出社予定時刻が含まれる勤務予定情報に対応する担当者の照合用生体情報を有効化する有効化手段（たとえば、制御部５１０、ステップＳ１２１２、制御部３１０、ステップＳ１１５１）と、
現在の時刻が、前記勤務情報記憶手段に記憶される複数の勤務予定情報のいずれかに含まれる退社予定時刻になったときに（たとえば、ステップＳ１２２０でＹＥＳと判定される場合）、前記生体情報記憶手段に記憶されている前記複数の照合用生体情報のうち、該退社予定時刻が含まれる勤務予定情報に対応する担当者の照合用生体情報を無効化する無効化手段（たとえば、制御部５１０、ステップＳ１２２２、制御部３１０、ステップＳ１１６１）と、
担当者の生体情報を取得する取得手段（たとえば、制御部３１０、図５６のステップＳ４０２）と、
該取得手段により取得された生体情報と、前記生体情報記憶手段に記憶されている前記複数の照合用生体情報のうち、前記有効化手段により有効化された照合用生体情報との照合を行なって、担当者の本人認証を行なう照合手段（たとえば、制御部３１０、図５６のステップＳ４１２Ｃ）と、
該照合手段により担当者が認証されたときに（図５６のステップＳ４３０ＣでＹＥＳと判定された場合）、該担当者による前記対象機器の操作を許可する許可手段（たとえば、制御部３１０、図５６のステップＳ４３８）とを備える。
【００１５】
このような構成によれば、生体情報照合システムによって、対象機器の操作を許可されている複数の担当者それぞれの照合用生体情報が記憶され、複数の担当者の各々の出社予定時刻および退社予定時刻を含む勤務予定情報が各担当者毎に記憶され、現在の時刻が、複数の勤務予定情報のいずれかに含まれる出社予定時刻になったときに、生体情報照合システムに記憶されている複数の照合用生体情報のうち、該出社予定時刻が含まれる勤務予定情報に対応する担当者の照合用生体情報が有効化され、現在の時刻が、複数の勤務予定情報のいずれかに含まれる退社予定時刻になったときに、生体情報照合システムに記憶されている複数の照合用生体情報のうち、該退社予定時刻が含まれる勤務予定情報に対応する担当者の照合用生体情報が無効化され、担当者の生体情報が取得され、取得された生体情報と、生体情報照合システムに記憶されている複数の照合用生体情報のうち、有効化された照合用生体情報との照合を行なって、担当者の本人認証が行なわれ、担当者が認証されたときに、該担当者による対象機器の操作が許可される。
【００１６】
このため、出社が判定された担当者の照合用生体情報のみ有効化され、未出社の担当者の照合用生体情報は有効化されないため、高いセキュリティを維持することができるという効果を奏する。
【００１７】
（４）  前記生体情報照合システムは、さらに、
各担当者を個々に識別可能な識別情報（たとえば、担当者ＩＤ）と、該各担当者の照合用生体情報を有効化するための認証情報（たとえば、担当者の生体情報）とを受付ける受付け手段（たとえば、制御部５１０、ステップＳ１３１２、ステップＳ１３２０）と、
該受付け手段が受付けた識別情報と認証情報とに基づいて、前記担当者の本人認証を行なう認証手段（たとえば、制御部５１０、ステップＳ１３２２）とを備え、
前記有効化手段は、前記認証手段により前記担当者が認証されたとき（たとえば、ステップＳ１３３０でＹＥＳと判定される場合）にも、前記生体情報記憶手段に記憶されている複数の照合用生体情報のうち、前記受付け手段が受付けた識別情報に対応する担当者の照合用生体情報を有効化する（たとえば、制御部５１０、ステップＳ１３３６、制御部３１０、ステップＳ１１５１）。
【００１８】
このような構成によれば、生体情報照合システムによって、各担当者を個々に識別可能な識別情報と、該各担当者の照合用生体情報を有効化するための認証情報とが受付けられ、該受付けた識別情報と認証情報とに基づいて、担当者の本人認証が行なわれ、担当者が認証されたときにも、生体情報照合システムに記憶されている複数の照合用生体情報のうち、受付けた識別情報に対応する担当者の照合用生体情報が有効化される。
【００１９】
このため、勤務予定情報に基づいて、複数の認証端末の各々において、担当者の照合用生体情報を有効化または無効化するシステムにおいても、勤務予定時刻外に出勤した担当者が認証端末を操作することが可能となる。
【００２０】
（５）  前記照合手段は、前記取得手段により取得された生体情報と、前記記憶手段に記憶されている複数の照合用生体情報のうち、前記有効化手段により有効化された照合用生体情報と照合した結果の一致度合いに基づいて本人認証を行ない（たとえば、図６２のステップＳ４１２Ｃ）、
前記生体情報照合システムは、さらに、
前記照合手段により、前記一致度合いが予め定められた値以下であると判定されたことを条件に（たとえば、図６２のステップＳ４１６ＤでＹＥＳと判定された場合）、該判定された生体保有者の生体情報の再登録を促す再登録報知手段（たとえば、制御部３１０、ステップＳ４２８Ｄ、制御部５１０、ステップＳ１４４８）を備える。
【００２１】
このような構成によれば、生体情報照合システムによって、取得された生体情報と、生体情報照合システムに記憶されている複数の照合用生体情報のうち、有効化された照合用生体情報と照合した結果の一致度合いに基づいて本人認証が行なわれる。
【００２２】
また、生体情報照合システムによって、一致度合いが予め定められた値以下であると判定されたことを条件に、該判定された生体保有者の生体情報の再登録が促される。
【００２３】
このため、人間の生体情報は短期間で変化することはないので、短期間（たとえば、１週間）毎に生体情報の再登録を促す報知が行なわれることはない。したがって、合理的な生体情報照合システムを提供することができる。
【００２４】
（６）  前記照合手段は、前記取得手段により取得された生体情報と、前記記憶手段に記憶されている複数の照合用生体情報のうち、前記有効化手段により有効化された照合用生体情報とを照合した結果の一致度合いに基づいて本人認証を行ない（たとえば、図６９のステップＳ４１２Ｃ）、
前記生体情報照合システムは、さらに、
前記照合手段により、前記一致度合いが予め定められた値以下であると判定されたことを条件に（たとえば、図６９のステップＳ４１６ＤでＹＥＳと判定された場合）、該判定された生体保有者の新たな照合用生体情報を前記記憶手段に再登録する再登録手段（たとえば、制御部３１０、ステップＳ４２８Ｅ、制御部５１０、図７０のステップＳ１４４８Ｅ）を備える。
【００２５】
このような構成によれば、生体情報照合システムによって、取得された生体情報と、生体情報照合システムに記憶されている複数の照合用生体情報のうち、有効化された照合用生体情報とを照合した結果の一致度合いに基づいて本人認証が行なわれる。
【００２６】
また、生体情報照合システムによって、一致度合いが予め定められた値以下であると判定されたことを条件に、該判定された生体保有者の新たな照合用生体情報が記憶手段に再登録される。
【００２７】
このため、再登録の操作を行なうといった無駄な手間をかけることなく、再登録の対象となった担当者の認証処理による一致度合いは向上する。また、人間の生体情報は短期間で変化することはないので、短期間（たとえば、１週間）毎に生体情報の再登録が行なわれることはない。したがって、合理的な生体情報照合システムを提供することができる。
【発明を実施するための最良の形態】
【００２８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２９】
以下に説明する本発明のシステムにおける本人認証を行なう処理は、人間の生体情報を使用した認証（バイオメトリクス認証）の技術では一般的である本人拒否率および他人許容率に基づいて定められた値（以下、認証成功判定しきい値ともいう）に基づいて行なわれる。
【００３０】
ここで、認証成功判定しきい値は、本人認証が成功したか否かを判定するためのしきい値である。ここで、本人拒否率とは、本人を他人であると誤認する確率である。また、他人許容率とは、他人を本人であると誤認する確率である。
【００３１】
＜第１の実施の形態＞
（システムの構成）
図１は、本実施の形態における生体情報照合システム１００００の構成の一例を示す図である。生体情報照合システム１００００は、たとえば、店舗の中に設置される。図１を参照して、生体情報照合システム１００００には、管理事務所３０００と、遊技場４０００とが含まれる。
【００３２】
管理事務所３０００には、遊技場４０００の状態を管理するための管理装置５００が設置される。管理装置５００は、ＰＣ（Personal Computer）である。なお、管理装置５００は、ＰＣに限定されることなく、通信機能を有する装置であれば、どのような装置であってもよい。
【００３３】
遊技場４０００には、遊技エリアＡＲ１，ＡＲ２，・・・，ＡＲｎが含まれる。
遊技エリアＡＲ１，ＡＲ２，・・・，ＡＲｎの各々は、複数の遊技機設置島を含む。遊技エリアＡＲ１，ＡＲ２，・・・，ＡＲｎの各々は、遊技場の同一階のフロアにある。なお、遊技エリアＡＲ１，ＡＲ２，・・・，ＡＲｎの各々は、遊技場の異なる階（たとえば、１階、２階）のフロアにあってもよい。
【００３４】
管理装置５００は、遊技エリアＡＲ１，ＡＲ２，・・・，ＡＲｎの各々に含まれる複数の遊技機設置島と、通信ケーブルにより接続されている。通信ケーブルは、たとえば、データをシリアル転送するためのＲＳ−４８５(Recommended Standard 485)に準拠したケーブルである。なお、通信ケーブルは、ＲＳ−４８５に準拠したケーブルに限定されることなく、データをシリアル転送またはパラレル転送を行なうことが可能なケーブルであれば、他の規格のケーブルであってもよい。
【００３５】
また、管理装置５００は、遊技エリアＡＲ１，ＡＲ２，・・・，ＡＲｎの各々に含まれる複数の遊技機設置島と、無線によりデータ通信を行なってもよい。この場合、無線ＬＡＮの規格である、ＩＥＥＥ８０２．１１ａ、ＩＥＥＥ８０２．１１ｂおよびＩＥＥＥ８０２．１１ｇのいずれかに基づく無線技術等により、無線データ通信が行なわれる。
【００３６】
次に、一例として、遊技エリアＡＲ１に含まれる複数の遊技機設置島のうち、遊技機設置島１０００について説明する。
【００３７】
図２は、遊技機設置島１０００の構成の一例を示す図である。なお、図２には、説明のために管理装置５００も示している。図２を参照して、遊技機設置島１０００は、複数の遊技機２００を含む。複数の遊技機２００の各々の左横には、台間機２１０が設置される。遊技機２００は、パチンコ遊技機、スロットマシン、コイン遊技機およびその他の遊技機のいずれであってもよい。すなわち、遊技機２００は、貨幣を使用して、遊技を行なうことが可能な機器であれば、どのような機器であってもよい。以下において、貨幣とは、紙幣または硬貨のことを示すとする。したがって、貨幣とは、たとえば、１０００円紙幣、５００円硬貨等のことを示す。
【００３８】
図３は、遊技機２００および台間機２１０の正面図である。図３を参照して、台間機２１０は、貨幣投入口２１２を備える。貨幣投入口２１２は、遊技者が貨幣を投入するための部分である。貨幣投入口２１２に貨幣が投入された場合、台間機２１０は、投入された貨幣の金額に応じて、対応する遊技機２００での遊技に使用する玉やメダル等の遊技媒体を貸し出すための処理を行なう。
【００３９】
再び、図２を参照して、遊技機設置島１０００は、さらに、島金庫３００と、貨幣搬送装置４００とを含む。
【００４０】
貨幣搬送装置４００は、貨幣搬送路４１０を介して、複数の台間機２１０の各々と接続される。貨幣搬送路４１０は、本発明の認証端末を構成する島金庫３００と接続される。
【００４１】
台間機２１０は、貨幣投入口２１２から投入された貨幣が真の貨幣であるか否かを判定する。台間機２１０により真の貨幣であると判定された貨幣は、台間機２１０により、台間機２１０に接続されている貨幣搬送路４１０へ排出される。貨幣搬送路４１０は、たとえば、ベルトコンベアにより、島金庫３００へ貨幣の搬送を行なう機構が設けられている。
【００４２】
貨幣搬送装置４００は、貨幣搬送路４１０に対し、複数の台間機２１０の各々から、貨幣搬送路４１０に排出された貨幣ＭＮを、島金庫３００へ搬送する処理を行なわせる。
【００４３】
島金庫３００は、詳細は後述するが、貨幣搬送路４１０が搬送した貨幣を蓄積する。なお、図１の遊技エリアＡＲ１，ＡＲ２，・・・，ＡＲｎの各々に含まれる複数の遊技機設置島の各々に、島金庫３００が設置される。すなわち、島金庫３００は、遊技場４０００に複数台設置される。
【００４４】
図４は、島金庫３００の内部構成の一例を示すブロック図である。図４では、説明のために管理装置５００も示している。図４を参照して、島金庫３００は、貨幣蓄積部３９０を含む。
【００４５】
貨幣蓄積部３９０は、前述の貨幣搬送路４１０が搬送した貨幣を蓄積する。貨幣蓄積部３９０は、蓄積している貨幣の総額情報を、後述する制御部３１０へ送信する。
【００４６】
図５は、島金庫３００の外観を正面から示した図である。図５を参照して、島金庫３００には、表示部３３０と、入力部３４０と、生体情報取得部３５０とを含む。
【００４７】
表示部３３０は、文字や画像等を表示する機能を有する。表示部３３０は、ＬＣＤパネル（Liquid Crystal Display Panel）、ＦＥＤパネル（Field Emission Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００４８】
入力部３４０は、複数のボタンを含む。複数のボタンは、数字、文字等を入力するためのボタンである。複数のボタンは、島金庫３００の外部に設けられている。複数のボタンのうち、いずれかのボタンが押下操作されると、入力部３４０は、押下操作されたボタンに対応するボタン信号を、後述する制御部３１０へ送信する。以下においては、オペレーター等による、入力部３４０に含まれる複数のボタンの押下操作をインターフェース操作Ｔともいう。
【００４９】
生体情報取得部３５０は、詳細は後述するが、人間の生体情報を取得する機能を有する。本実施の形態では、生体情報は、人間の体の一部である指紋をデータ化した情報であるとする。この場合、生体情報は、指紋の画像データ、指紋の特徴部分を抽出したデータ等となる。なお、生体情報は、指紋をデータ化した情報に限定されることなく、静脈、網膜、虹彩、顔等をデータ化した情報であってもよい。また、生体情報は、人間が発した声に基づく声紋等であってもよい。
【００５０】
生体情報取得部３５０は、人間の指が接触すると、接触した指の指紋をデータ化した生体情報を、後述する制御部３１０へ送信する。生体情報取得部３５０により、送信された生体情報を利用して、後述する照合処理により、認証が成功すると、島金庫３００の後述する前面扉が開閉可能となる。なお、生体情報取得部３５０がデータ化する生体情報は、指の指紋に限定されることなく、人間の体の一部であれば、他の部位であってもよい。
【００５１】
また、生体情報取得部３５０は、人間の体の一部が接触しなくても生体情報を取得する機能を有していてもよい。この場合、生体情報取得部３５０は、たとえば、ＣＣＤ（Charge Coupled Device）等を備え、ＣＣＤにより、静脈、網膜、虹彩、顔等を撮像することで生体情報を取得してもよい。
【００５２】
また、生体情報取得部３５０は、声紋をデータ化した生体情報を取得する機能を有していてもよい。この場合、生体情報取得部３５０はマイクを備え、マイクが収集した声に基づいて、当該声の声紋をデータ化した生体情報を取得してもよい。
【００５３】
以下においては、島金庫３００の扉が開閉可能となり、貨幣蓄積部３９０に蓄積された貨幣を取り出し可能な状態を、開錠状態ともいう。また、島金庫３００の扉が開閉不能であり、貨幣蓄積部３９０に蓄積された貨幣を取り出し不可能な状態を、施錠状態ともいう。また、島金庫３００は、後述する照合処理および認証処理も行なうので、以下においては、島金庫３００を認証端末ともいう。
【００５４】
図６は、開錠状態の島金庫３００を示す図である。図６を参照して、島金庫３００は、前面扉ＣＰ３１０と、制御基板ＣＰ３２０と、貨幣蓄積部３９０とを備える。
【００５５】
前面扉ＣＰ３１０には、後述する制御基板ＣＰ３２０が設けられる。前面扉ＣＰ３１０が開閉可能状態になると、貨幣蓄積部３９０に蓄積された貨幣を取り出し可能となる。
【００５６】
以下においては、遊技場４０００に含まれる、複数の島金庫３００の各々に蓄積された貨幣を回収することを許可された者を、貨幣回収担当者ともいう。貨幣回収担当者は、島金庫３００を操作することにより島金庫３００を開錠状態にすることができる。詳細は後述するが、貨幣回収担当者は、管理装置５００において、自分の生体情報を予め登録しておく。そして、貨幣回収担当者は、島金庫３００の生体情報取得部３５０により、自分の生体情報を取得させ、認証が成功すると、島金庫３００を開錠状態にし、貨幣蓄積部３９０に蓄積された貨幣を回収することができる。
【００５７】
再び、図４を参照して、島金庫３００は、さらに、制御部３１０と、記憶部３２０と、通信部３６０とを含む。制御部３１０、記憶部３２０および通信部３６０は、制御基板ＣＰ３２０上に配置される。
【００５８】
記憶部３２０は、データを不揮発的に記憶する機能を有する。記憶部３２０は、制御部３１０によってデータアクセスされる。記憶部３２０は、電源を供給されなくてもデータを不揮発的に保持可能な媒体（たとえば、フラッシュメモリ）である。記憶部３２０には、後述するデータ、その他の各種データ等が記憶されている。
【００５９】
制御部３１０は、島金庫３００内の各部に対する各種処理や、演算処理等を行なう機能を有する。制御部３１０は、マイクロプロセッサ（Microprocessor）、ＦＰＧＡ（Field Programmable Gate Array）、ＡＳＩＣ（Application Specific Integrated Circuit）、およびその他の演算機能を有する回路のいずれであってもよい。
【００６０】
制御部３１０は、生成した文字または画像等を、表示部３３０に表示させる処理も行なう。また、制御部３１０は、入力部３４０に含まれる、前述した複数のボタンのうち、押下操作があったボタンに対応するボタン信号を、入力部３４０から受信する。制御部３１０は、受信したボタン信号に応じた処理を行なう。
【００６１】
また、制御部３１０は、前述した生体情報取得部３５０から送信された生体情報を受信し、後述する、認証処理等を行なう。
【００６２】
通信部３６０は、制御部３１０とデータの送受信を行なう。また、通信部３６０は、シリアルデータ通信を行なう通信用インターフェースの機能を有する。通信部３６０は、通信ケーブルにより、管理装置５００と接続される。したがって、制御部３１０は、通信部３６０を利用して、管理装置５００とデータ通信が可能である。なお、通信部３６０は、パラレルデータ通信を行なう通信用インターフェースの機能を有していてもよい。
【００６３】
なお、通信部３６０は、無線によりデータ通信を行なう機能を有していてもよい。この場合、通信部３６０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。この場合、通信部３６０は、無線により、管理装置５００とデータ通信を行なうことができる。
【００６４】
前述したように、図１の遊技エリアＡＲ１，ＡＲ２，・・・，ＡＲｎの各々に含まれる複数の遊技機設置島の各々には、島金庫３００が設置される。そのため、管理装置５００は、遊技エリアＡＲ１，ＡＲ２，・・・，ＡＲｎの各々に含まれる複数の島金庫３００とデータ通信を行なうことができる。
【００６５】
また、制御部３１０は、前述した貨幣蓄積部３９０から送信された貨幣の総額情報を受信することにより、貨幣蓄積部３９０に蓄積されている貨幣の総額を認識することが可能となる。
【００６６】
（管理装置）
次に、本発明の登録装置を構成する管理装置５００について詳細に説明する。
【００６７】
図７は、本実施の形態における管理装置５００の内部構成の一例を示すブロック図である。なお、図７には、説明のために、島金庫３００、記録媒体５５５、後述する生体情報取得装置５９０も示している。記録媒体５５５には、後述するプログラム１８０が記録されている。すなわち、プログラム１８０は、媒体等に記録されてプログラム製品として流通される。また、記録媒体５５５もプログラム製品として流通される。
【００６８】
図７を参照して、管理装置５００には、マウス５４２と、キーボード５４４とが接続される。
【００６９】
マウス５４２は、オペレーターが管理装置５００を操作するためのインターフェースである。キーボード５４４は、オペレーターが管理装置５００を操作するためのインターフェースである。なお、キーボード５４４は、管理装置５００の内部に設けられる構成であってもよい。また、マウス５４２は、たとえば、タッチパッド等として、管理装置５００の内部に設けられる構成であってもよい。また、管理装置５００には、ペンタブレットが入力機器として接続されていてもよい。
【００７０】
管理装置５００は、表示部５３０と、制御部５１０と、記憶部５２０と、一時記憶部５２２とを備える。
【００７１】
記憶部５２０は、データを不揮発的に記憶する機能を有する。記憶部５２０は、制御部５１０によってデータアクセスされる。記憶部５２０は、大容量のデータを記憶可能なハードディスクである。なお、記憶部５２０は、ハードディスクに限定されることなく、電源を供給されなくてもデータを不揮発的に保持可能な媒体（たとえば、フラッシュメモリ）であればよい。記憶部５２０には、プログラム１８０、その他の各種データ等が記憶されている。
【００７２】
表示部５３０は、文字や画像等を表示する機能を有する。表示部５３０は、ＬＣＤパネル、ＣＲＴ（Cathode Ray Tube）、ＦＥＤパネル、ＰＤＰ（Plasma Display Panel）および有機ＥＬディスプレイパネルのいずれかを使用した装置である。なお、表示部５３０は、上記以外の表示方式のパネルを使用した装置であってもよい。なお、表示部５３０は、管理装置５００の外部に設けられた表示装置であってもよい。
【００７３】
制御部５１０は、記憶部５２０に記憶されたプログラム１８０に従って、管理装置５００内の各部に対する各種処理や、演算処理等を行なう機能を有する。制御部５１０は、マイクロプロセッサ、ＦＰＧＡ、ＡＳＩＣ、ＤＳＰおよびその他の演算機能を有する回路のいずれであってもよい。
【００７４】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、その他、データを揮発的に記憶保持可能な構成を有する回路のいずれであってもよい。
【００７５】
管理装置５００は、さらに、ＶＤＰ５３２と、ＶＲＡＭ（Video Random Access Memory）５３６とを備える。
【００７６】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００７７】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００７８】
管理装置５００は、さらに、入力部５４０と、記録媒体アクセス部５５０を備える。
入力部５４０には、マウス５４２と、キーボード５４４とが接続されている。オペレーターは、マウス５４２またはキーボード５４４を利用して、管理装置５００に指示を与える。マウス５４２またはキーボード５４４からの入力指示は、入力部５４０を介して制御部５１０へ送信される。制御部５１０は、入力部５４０からの入力指示に基づいて所定の処理を行なう。以下においては、オペレーター等による、マウス５４２またはキーボード５４４の操作を、インターフェース操作Ｐともいう。
【００７９】
記録媒体アクセス部５５０は、記録媒体５５５に記憶されている、データおよびプログラム等を読み出す機能を有する。記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００８０】
なお、記憶部５２０には、プログラム１８０がインストールされていなくてもよい。この場合、制御部５１０は、記録媒体アクセス部５５０を利用して、記録媒体５５５に記憶されたプログラム１８０を読み出して、プログラム１８０に基づいた所定の処理を行なう。
【００８１】
記録媒体５５５は、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード、ＵＳＢメモリ、磁気テープおよび上記以外の不揮発性メモリのいずれであってもよい。
【００８２】
管理装置５００は、さらに、通信部５６０と、通信部５６２とを備える。
通信部５６０は、制御部５１０とデータの送受信を行なう。なお、通信部５６０は、前述の通信部３６０と同様な構成および機能を有するので詳細な説明は繰り返さない。すなわち、通信部５６０は、島金庫３００と有線または無線で、データの送受信を行なう機能を有する。
【００８３】
通信部５６２は、制御部５１０と、データの送受信を行なう。通信部５６２は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００８４】
なお、通信部５６２は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６２は、ＩＥＥＥ１３９４に基づく通信用インターフェースの機能を有していてもよい。
【００８５】
通信部５６２には、生体情報取得装置５９０が接続されている。生体情報取得装置５９０は、島金庫３００の生体情報取得部３５０と同様な機能を有するので詳細な説明は繰り返さない。すなわち、生体情報取得装置５９０は、人間の生体情報を取得する機能を有する。生体情報取得装置５９０には、生体情報を取得するための、生体情報取得部５９２が設けられる。生体情報取得装置５９０は、生体情報取得部５９２が取得した生体情報を、通信部５６２を介して、制御部５１０へ送信する。
【００８６】
なお、生体情報取得装置５９０は、管理装置５００の内部に設けられる構成であってもよい。この場合、生体情報取得装置５９０により取得された生体情報は、制御部５１０へ送信される。
【００８７】
管理装置５００は、さらに、音声出力部５７２と、音声入力部５７４と、ＬＥＤ５７６とを備える。
【００８８】
音声出力部５７２は、制御部５１０で行なわれる処理に対応した音声を出力する機能を有する。音声出力部５７２には、音声を出力するスピーカが含まれる。制御部５１０は、音声出力部５７２とデータ通信する。制御部５１０が、音声データを音声出力部５７２へ送信すると、音声出力部５７２は、制御部５１０から受信した音声データに基づく音声をスピーカから出力する。
【００８９】
音声入力部５７４は、音声を入力する機能を有する。音声入力部５７４には、音声を入力するマイクが含まれる。音声入力部５７４は、マイクにより取得した音声を音声データに変換して、音声データを、制御部５１０へ送信する。制御部５１０は、音声入力部５７４とデータ通信する。
【００９０】
オペレーターが音声入力部５７４に含まれるマイクに対して音声を発すると、音声入力部５７４は、マイクにより取得した音声を音声データに変換して、音声データを、制御部５１０へ送信する。
【００９１】
ＬＥＤ５７６は、管理装置５００で行なわれる処理に応じて、光による報知を行なう。制御部５１０は、ＬＥＤ５７６とデータ通信する。ＬＥＤ５７６は、制御部５１０からの制御指示に基づいて、光を発する。
【００９２】
（管理装置の起動処理）
次に、店舗を開店するために、管理装置５００の電源がオンにされた場合の処理（以下、起動処理ともいう）について説明する。なお、以下に説明する起動処理は、管理装置５００と、遊技場４０００内の複数の島金庫３００の各々との通信設定が既に行なわれている状態での処理である。
【００９３】
また、以下においては、説明を簡単にするために、管理装置５００において生体情報（照合用生体情報）の登録が実施されていない状態における起動処理（たとえば、管理装置５００が遊技場に納入されて最初の起動処理）を、以下の図８に基づいて説明し、管理装置５００において生体情報（照合用生体情報）の登録が実施されて以降における起動処理（以下、起動処理ＳＡともいう）を、後述する図３５に基づいて説明する。
【００９４】
ここで、本実施の形態の管理装置５００は、生体情報の登録がなされているか否かに関わらず、図３５に示す起動処理ＳＡを実施するが、生体情報の登録が実施されていない場合において意味のない処理（ステップ）を図３５から削除して、図８に示す起動処理を説明している。
【００９５】
図８は、起動処理のフローチャートである。図８を参照して、ステップＳ１１０では、初期通信処理が行なわれる。初期通信処理では、制御部５１０が、遊技場４０００内の複数の島金庫３００の各々とデータ通信を行なう。この処理により、管理装置５００と、遊技場４０００内の複数の島金庫３００の各々とがデータ通信可能なオンライン状態となる。その後、ステップＳ１１４に進む。
【００９６】
ステップＳ１１４では、メイン画像表示処理が行なわれる。メイン画像表示処理では、制御部５１０が、ＶＤＰ５３２を利用して、後述する処理によって、記憶部５２０に記憶されているログデータに基づいて、以下のメイン画像を生成し、生成したメイン画像を、表示部５３０に表示させる。なお、初期状態では、ログデータには、情報が記述されてない。ここでは、生成されるメイン画像は、以下のメイン画像Ｇ１００であるとする。その後、ステップＳ１１４の処理は終了する。
【００９７】
図９は、一例としてのメイン画像Ｇ１００を示す図である。メイン画像Ｇ１００は、貨幣回収担当者が、島金庫３００において、何の操作も行なってない場合に表示部５３０に表示される画像である。
【００９８】
図９を参照して、メイン画像Ｇ１００には、異常履歴画像Ｇ１１０と、状態表示画像Ｇ１２０と、操作履歴画像Ｇ１３０とが配置される。
【００９９】
異常履歴画像Ｇ１１０は、記憶部５２０に記憶されているログデータに基づいて、異常履歴情報が表示される。異常履歴情報は、貨幣回収担当者が、島金庫３００において、後述する認証処理を行なった場合、異常が発生したときの情報である。状態表示画像Ｇ１２０は、管理装置５００の動作状態の情報を示す。操作履歴画像Ｇ１３０は、記憶部５２０に記憶されているログデータに基づいて、操作履歴情報が表示される。操作履歴情報は、貨幣回収担当者が、島金庫３００において、後述する認証処理を行なった場合の操作情報である。
【０１００】
メイン画像Ｇ１００は、さらに、ボタン画像ＢＧ１１０，ＢＧ１９０が配置される。
ボタン画像ＢＧ１１０は、インターフェース操作Ｐにより押下処理されることで、生体情報を登録する処理を行なうための画像を表示させるためのボタン画像である。ボタン画像ＢＧ１９０は、インターフェース操作Ｐにより、押下処理されることで、起動処理を終了するためのボタン画像である。
【０１０１】
再び、図８を参照して、ステップＳ１１４の処理の後、ステップＳ１２０に進む。
ステップＳ１２０では、制御部５１０が、登録画像移行操作があるか否かを判定する。登録画像移行操作は、ボタン画像ＢＧ１１０を押下処理するためのインターフェース操作Ｐである。ステップＳ１２０において、ＹＥＳならば、ステップＳ１２１に進む。一方、ステップＳ１２０において、ＮＯならば、後述するステップＳ１８０に進む。ここでは、登録画像移行操作があったとして、ステップＳ１２１に進む。
【０１０２】
ステップＳ１２１では、登録画像表示処理が行なわれる。登録画像表示処理では、登録画像を表示するための処理である。登録画像は、生体情報を登録する処理を行なうための画像である。具体的には、制御部５１０が、ＶＤＰ５３２を利用して、以下の担当者データテーブルＤ１００および端末データテーブルＤ２００に基づいて、以下の登録画像Ｇ２００を生成し、生成した登録画像Ｇ２００を、表示部５３０に表示させる。なお、担当者データテーブルＤ１００および端末データテーブルＤ２００は、予め、記憶部５２０に記憶されている。その後、ステップＳ１２１の処理は終了する。
【０１０３】
図１０は、一例としての担当者データテーブルＤ１００を示す図である。担当者データテーブルＤ１００は、複数の担当者データから構成される。複数の担当者データは、それぞれ、複数の貨幣回収担当者の情報を示すデータである。
【０１０４】
図１０を参照して、担当者データテーブルＤ１００において、「番号」とは、複数の担当者データを管理するための番号である。「担当者ＩＤ」とは、貨幣回収担当者を識別するためのＩＤである。「氏名」とは、貨幣回収担当者の氏名である。担当者データテーブルＤ１００において、たとえば、番号“１”の担当者データは、担当者ＩＤ“１１０１”および氏名「Ｈ．Ｋ」を示す。すなわち、担当者ＩＤ“１１０１”と、氏名「Ｈ．Ｋ」とは対応付けられている。なお、担当者ＩＤおよび氏名は、予め、キーボード５４４による入力操作により担当者データテーブルＤ１００に登録される。
【０１０５】
図１１は、一例としての端末データテーブルＤ２００を示す図である。端末データテーブルＤ２００は、複数の端末データから構成される。複数の端末データは、それぞれ、遊技場４０００内の複数の島金庫３００の情報を示すデータである。
【０１０６】
図１１を参照して、端末データテーブルＤ２００において、「番号」とは、複数の端末データを管理するための番号である。「端末ＩＤ」とは、認証端末としての島金庫３００を識別するためのＩＤである。「端末名」とは、認証端末としての島金庫３００の名称である。端末データテーブルＤ２００において、たとえば、番号“１０１”の端末データは、端末ＩＤ“ＭＢ１０１”および端末名「金庫１０１」を示す。すなわち、端末ＩＤ“ＭＢ１０１”と、端末名「金庫１０１」とは対応付けられている。なお、端末ＩＤおよび端末名は、予め、キーボード５４４による入力操作により端末データテーブルＤ２００に登録される。
【０１０７】
図１２は、一例としての登録画像Ｇ２００を示す図である。図１２を参照して、登録画像Ｇ２００には、ＩＤ表示画像Ｇ２１０と、氏名表示画像Ｇ２１１とが配置される。
【０１０８】
ＩＤ表示画像Ｇ２１０には担当者ＩＤが表示される。なお、初期状態では、図１０の担当者データテーブルＤ１００における、番号“１”の担当者データの「担当者ＩＤ」が表示される。氏名表示画像Ｇ２１１には氏名が表示される。なお、初期状態では、担当者データテーブルＤ１００における、番号“１”の担当者データの「氏名」が表示される。
【０１０９】
登録画像Ｇ２００には、さらに、登録者一覧画像Ｇ２６０が配置される。登録者一覧画像Ｇ２６０には、担当者データテーブルＤ１００を構成する複数の担当者データの情報が表示される。なお、登録者一覧画像Ｇ２６０に表示される「チェック」の欄の詳細については後述する。インターフェース操作Ｐにより、チェックマークが表示されていない「チェック」の欄をクリックすると、当該クリックされた「チェック」の欄にチェックマークが表示される。また、インターフェース操作Ｐにより、チェックマークが表示されている「チェック」の欄をクリックすると、当該クリックされた「チェック」の欄に表示されているチェックマークが消去される。
【０１１０】
インターフェース操作Ｐにより、登録者一覧画像Ｇ２６０内の担当者ＩＤまたは氏名の欄をクリックすると、当該クリックされた担当者ＩＤまたは氏名に対応する担当者データの担当者ＩＤおよび氏名が、それぞれ、ＩＤ表示画像Ｇ２１０および氏名表示画像Ｇ２１１に表示される。
【０１１１】
登録画像Ｇ２００には、さらに、生体情報名表示画像Ｇ２２１，Ｇ２３１，Ｇ２４１，Ｇ２５１と、生体情報名選択ボタン画像ＢＧ２２２，ＢＧ２３２，ＢＧ２４２，ＢＧ２５２とが配置される。
【０１１２】
生体情報名表示画像Ｇ２２１，Ｇ２３１，Ｇ２４１，Ｇ２５１の各々には、生体情報名が表示される。生体情報名とは、貨幣回収担当者の生体情報の名称である。なお、ＩＤ表示画像Ｇ２１０に表示されている担当者ＩＤにより特定される貨幣回収担当者の生体情報の登録処理が行なわれていない場合は、生体情報名表示画像Ｇ２２１，Ｇ２３１，Ｇ２４１，Ｇ２５１の各々には、生体情報名が表示されない。
【０１１３】
生体情報名選択ボタン画像ＢＧ２２２，ＢＧ２３２，ＢＧ２４２，ＢＧ２５２の各々は、インターフェース操作Ｐにより押下処理されることで、登録画像Ｇ２００内に、以下の生体情報名選択画像ＳＬＧ２２０が表示される。登録画像Ｇ２００内に、生体情報名選択画像ＳＬＧ２２０が表示された画像は、以下の登録画像Ｇ２００Ａとなる。
【０１１４】
図１３は、一例としての登録画像Ｇ２００Ａを示す図である。図１３を参照して、登録画像Ｇ２００Ａは、図１２の登録画像Ｇ２００と比較して、生体情報名選択画像ＳＬＧ２２０がさらに表示される点が異なる。それ以外は、登録画像Ｇ２００と同様なので詳細な説明は繰り返さない。
【０１１５】
生体情報名選択画像ＳＬＧ２２０には、複数の生体情報名が表示される。生体情報名選択画像ＳＬＧ２２０には、たとえば、右人指し指、左人指し指、右中指、左中指、右薬指、左薬指といった生体情報名が表示される。生体情報名選択画像ＳＬＧ２２０に表示される生体情報名は、上記に限定されることなく、他の生体情報の名称であってもよい。
【０１１６】
再び、図１２を参照して、登録画像Ｇ２００には、さらに、更新ボタン画像ＢＧ２２３，ＢＧ２３３，ＢＧ２４３，ＢＧ２５３と、登録ボタン画像ＢＧ２５９とが配置される。
【０１１７】
更新ボタン画像ＢＧ２２３，ＢＧ２３３，ＢＧ２４３，ＢＧ２５３の各々は、インターフェース操作Ｐにより押下処理されることで、対応する生体情報名選択ボタン画像に表示された生体情報名に対応付けて記憶された生体情報を、担当者ＩＤおよび氏名に対応付けるための処理を行なうためのボタン画像である。
【０１１８】
登録ボタン画像ＢＧ２５９は、インターフェース操作Ｐにより押下処理されることで、生体情報名表示画像Ｇ２２１，Ｇ２３１，Ｇ２４１，Ｇ２５１の各々に表示される生体情報名に対応して、後述する処理により取得された生体情報を、登録するためのボタン画像である。
【０１１９】
登録画像Ｇ２００には、さらに、端末一覧画像Ｇ２７０が配置される。端末一覧画像Ｇ２７０には、図１１の端末データテーブルＤ２００を構成する複数の端末データの情報が表示される。なお、端末一覧画像Ｇ２７０に表示される「チェック」の欄の詳細については後述する。インターフェース操作Ｐにより、チェックマークが表示されていない「チェック」の欄をクリックすると、当該クリックされた「チェック」の欄にチェックマークが表示される。また、インターフェース操作Ｐにより、チェックマークが表示されている「チェック」の欄をクリックすると、当該クリックされた「チェック」の欄に表示されているチェックマークが消去される。
【０１２０】
登録画像Ｇ２００には、さらに、ボタン画像ＢＧ２９１，ＢＧ２９２，ＢＧ２９３，ＢＧ２９９とが配置される。
【０１２１】
ボタン画像ＢＧ２９１は、インターフェース操作Ｐにより押下処理されることで、図１０の担当者データテーブルＤ１００に、新たに担当者データを追加するためのボタン画像である。ボタン画像ＢＧ２９２は、インターフェース操作Ｐにより押下処理されることで、後述する処理により登録された生体情報を、遊技場４０００内の複数の島金庫３００の少なくとも１つへ送信するためのボタン画像である。
【０１２２】
ボタン画像ＢＧ２９３は、詳細は後述するが、インターフェース操作Ｐにより押下処理されることで、生体情報を削除するためのボタン画像である。ボタン画像ＢＧ２９９は、インターフェース操作Ｐにより押下処理されることで、メイン画像を表示部５３０に表示させるためのボタン画像である。メイン画像は、たとえば、図９のメイン画像Ｇ１００である。
【０１２３】
再び、図８を参照して、ステップＳ１２１の処理の後、ステップＳ１２２に進む。
ステップＳ１２２では、制御部５１０が、生体情報名選択操作があるか否かを判定する。生体情報名選択操作は、図１２の生体情報名選択ボタン画像ＢＧ２２２，ＢＧ２３２，ＢＧ２４２，ＢＧ２５２のいずれかが、インターフェース操作Ｐにより押下されることで生体情報名選択画像ＳＬＧ２２０が表示された状態（図１３参照）で、生体情報名選択画像ＳＬＧ２２０に表示される複数の生体情報名のいずれかを選択するためのインターフェース操作Ｐである。ステップＳ１２２において、ＹＥＳならば、ステップＳ１３０に進む。一方、ステップＳ１２２において、ＮＯならば、後述するステップＳ１４０に進む。
【０１２４】
ここでは、生体情報名選択操作があったとして、ステップＳ１３０に進む。生体情報名選択操作は、一例として、生体情報名選択ボタン画像ＢＧ２２２が押下処理されることで生体情報名選択画像ＳＬＧ２２０が表示された状態で、生体情報名選択画像ＳＬＧ２２０に表示される、生体情報名としての右人指し指を選択するためのインターフェース操作Ｐであるとする。
【０１２５】
ステップＳ１３０では、生体情報登録処理が行なわれる。
図１４は、生体情報登録処理のフローチャートである。図１４を参照して、ステップＳ１３１では、指示画像表示処理が行なわれる。指示画像表示処理では、制御部５１０が、ＶＤＰ５３２を利用して、以下の指示画像ＷＧ３００を生成し、生成した指示画像ＷＧ３００を、表示部５３０に表示させる。この場合、指示画像ＷＧ３００は、図１３の登録画像Ｇ２００の前面に表示される。その後、ステップＳ１３１の処理は終了する。
【０１２６】
図１５は、一例としての指示画像ＷＧ３００を示す図である。図１５を参照して、指示画像ＷＧ３００には、生体情報取得装置５９０の生体情報取得部５９２に指を２回かざすことを促す旨のメッセージが表示される。当該メッセージは、たとえば、「生体情報取得部に指を２回かざしてください」である。
【０１２７】
指示画像ＷＧ３００には、さらに、ボタン画像ＷＢＧ３９０が配置される。ボタン画像ＷＢＧ３９０は、インターフェース操作Ｐにより押下処理されることにより、生体情報登録処理を終了するためのボタン画像である。
【０１２８】
再び、図１４を参照して、ステップＳ１３１の処理の後、ステップＳ１３２に進む。
ステップＳ１３２では、制御部５１０が、生体情報取得処理を実行する。生体情報取得処理は、他の処理とは独立して行なわれる。その後、ステップＳ１３２の処理は終了する。
【０１２９】
前述した生体情報取得装置５９０の生体情報取得部５９２に、貨幣回収担当者の体の一部が接触されると、生体情報取得装置５９０は、生体情報取得部５９２が取得した生体情報を、制御部５１０へ送信する。ここで、貨幣回収担当者の体の一部は、一例として、貨幣回収担当者の右人指し指であるとする。この場合、生体情報取得装置５９０が、制御部５１０へ送信する生体情報は、右人指し指の指紋をデータ化した情報である。
【０１３０】
ここで、生体情報取得装置５９０の生体情報取得部５９２には、貨幣回収担当者の右人指し指が２回接触されたとする。この場合、生体情報取得装置５９０は、生体情報取得部５９２が取得した２つの生体情報を、取得した順に、制御部５１０へ送信する。
【０１３１】
生体情報取得処理では、制御部５１０が、生体情報取得装置５９０から送信される、最初の生体情報を受信し、受信した生体情報を、前述した生体情報名選択操作により選択された生体情報名（右人指し指）と対応づけて、記憶部５２０に記憶させる。そして、制御部５１０は、生体情報取得装置５９０から送信される、２つ目の生体情報を受信し、受信した２つ目の生体情報と、記憶部５２０に記憶させた生体情報とを照合し、一致度合いを判定する。
【０１３２】
生体情報が、画像データである場合、当該一致度合いの判定は、たとえば、画像のマッチング処理により行なわれる。また、生体情報が、体の一部の特徴部分を抽出したデータである場合、当該一致度合いの判定は、たとえば、抽出データのマッチング処理により行なわれる。
【０１３３】
ここで、照合される２つの生体情報の各々は、右人指し指の指紋をデータ化した情報（たとえば、指紋の画像）である。制御部５１０は、２つの生体情報の一致度合いが、認証成功判定しきい値以上であると、認証成功と判定する。認証成功判定しきい値は、貨幣回収担当者の本人認証が成功したか否かを判定するためのしきい値である。認証成功判定しきい値は、たとえば、９０％であるとする。認証成功と判定さるのは、本人認証が成功と判定された場合である。
【０１３４】
一方、制御部５１０は、２つの右人指し指の指紋をデータ化した情報の一致度合いが、認証成功判定しきい値より小さい場合、認証失敗と判定する。すなわち、本人認証が失敗と判定される。
【０１３５】
制御部５１０は、認証成功と判定すると、記憶部５２０に記憶させた１つ目の生体情報を、記憶部５２０に記憶させたままにする。すなわち、生体情報を登録する。なお、記憶部５２０に登録させる生体情報は、受信した２つ目の生体情報であってもよい。また、制御部５１０は、認証失敗と判定すると、記憶部５２０に記憶させた１つ目の生体情報を削除する。すなわち、生体情報の登録は行なわれない。
【０１３６】
生体情報取得処理では、前述したように、受信した２つの生体情報の照合結果に基づいて、生体情報を登録する処理が行なわれる。しかしながら、生体情報取得処理で行なわれる生体情報の登録は、前述の処理に限定されない。たとえば、生体情報取得装置５９０から１つの生体情報を受信し、照合等の処理をすることなく、受信した生体情報を記憶部５２０に登録させてもよい。
【０１３７】
制御部５１０により、認証の結果が判定され、上記処理が行なわれると、生体情報取得処理は終了する。ステップＳ１３２の処理が終了すると、ステップＳ１３３に進む。
【０１３８】
ステップＳ１３３では、制御部５１０が、独立して実行される生体情報取得処理が終了したか否かを判定する。ステップＳ１３３において、ＹＥＳならば、ステップＳ１３４に進む。一方、一方、ステップＳ１３３において、ＮＯならば、後述するステップＳ１３９に進む。
【０１３９】
ステップＳ１３４では、認証結果画像表示処理が行なわれる。認証結果画像表示処理では、制御部５１０が、ＶＤＰ５３２を利用して、表示部５３０に表示中の指示画像ＷＧ３００を消去し、生体情報取得処理において判定された認証結果に基づいて、以下の認証結果画像ＷＧ４００を生成する。そして、制御部５１０は、ＶＤＰ５３２を利用して、認証結果画像ＷＧ４００を表示部５３０に所定時間（たとえば、５秒間）表示させた後、表示部５３０に表示中の認証結果画像ＷＧ４００を消去する。認証結果画像ＷＧ４００は、一例として、生体情報取得処理において判定された認証結果が、認証成功の場合に生成される画像である。
【０１４０】
図１６は、一例としての認証結果画像ＷＧ４００を示す図である。図１６を参照して、認証結果画像ＷＧ４００には、生体情報の認証が成功し、生体情報が登録された旨のメッセージが表示される。当該メッセージは、たとえば、「生体情報の認証が成功し、生体情報が登録されました」というメッセージである。
【０１４１】
再び、図１４を参照して、ステップＳ１３４では、制御部５１０が、ＶＤＰ５３２を利用して、表示部５３０に表示中の認証結果画像ＷＧ４００を消去した後、以下の登録画像Ｇ２００Ｂを生成し、生成した登録画像Ｇ２００Ｂを表示部５３０に表示させる。そして、この生体情報登録処理は終了し、図８の起動処理に戻り、ステップＳ１３０の次の処理に進む。
【０１４２】
図１７は、一例としての登録画像Ｇ２００Ｂを示す図である。図１７を参照して、登録画像Ｇ２００Ｂは、図１２の登録画像Ｇ２００と比較して、生体情報名表示画像Ｇ２２１の代わりに生体情報名表示画像Ｇ２２１Ｂが配置される点が異なる。それ以外は、登録画像Ｇ２００と同様なので詳細な説明は繰り返さない。生体情報名表示画像Ｇ２２１Ｂには、登録された生体情報名が表示される。
【０１４３】
再び、図１４を参照して、前述のステップＳ１３３において、ＮＯならば、ステップＳ１３９に進む。
【０１４４】
ステップＳ１３９では、制御部５１０が、登録終了操作があったか否かを判定する。登録終了操作は、図１５のボタン画像ＷＢＧ３９０を押下処理するためのインターフェース操作Ｐである。ステップＳ１３９において、ＹＥＳならば、制御部５１０が、ＶＤＰ５３２を利用して、表示部５３０に表示中の指示画像ＷＧ３００を消去し、登録画像Ｇ２００を表示部５３０に表示させる。そして、制御部５１０は、この生体情報登録処理とは独立して実行されている生体情報取得処理を終了させる。そして、この生体情報登録処理は終了し、図８の起動処理に戻り、ステップＳ１３０の次の処理に進む。一方、ステップＳ１３９において、ＮＯならば、再度、ステップＳ１３３の処理が行なわれる。
【０１４５】
再び、図８を参照して、ステップＳ１３０の処理の後、ステップＳ１４０に進む。なお、ここでは、表示部５３０には、図１７の登録画像Ｇ２００Ｂが表示されているとする。
【０１４６】
ステップＳ１４０では、制御部５１０が、メイン画像表示操作があるか否かを判定する。メイン画像表示操作は、表示部５３０に表示されている登録画像内のボタン画像ＢＧ２９９を押下処理するためのインターフェース操作Ｐである。ここで、登録画像は、登録画像Ｇ２００Ｂであるとする。ステップＳ１４０において、ＹＥＳならば、再度、ステップＳ１１４の処理が行なわれる。一方、ステップＳ１４０において、ＮＯならば、ステップＳ１４１に進む。ここでは、メイン画像表示操作がないとして、ステップＳ１４１に進む。
【０１４７】
ステップＳ１４１では、制御部５１０が、登録確定操作があるか否かを判定する。登録確定操作は、表示部５３０に表示されている登録画像内の登録ボタン画像ＢＧ２５９を押下処理するためのインターフェース操作Ｐである。ここで、登録画像は、登録画像Ｇ２００Ｂであるとする。ステップＳ１４１において、ＹＥＳならば、後述するステップＳ１４２に進む。一方、ステップＳ１４１において、ＮＯならば、再度、ステップＳ１２２の処理が行なわれる。ここでは、登録確定操作がないとして、ステップＳ１２２に進む。
【０１４８】
ステップＳ１２２では、前述した処理が行なわれるので詳細な説明は繰り返さない。ここでは、生体情報名選択操作があったとして、ステップＳ１３０の処理が行なわれる。生体情報名選択操作は、一例として、図１７の生体情報名選択ボタン画像ＢＧ２３２が押下処理されることで生体情報名選択画像ＳＬＧ２２０が表示された状態で、生体情報名選択画像ＳＬＧ２２０に表示される、生体情報名としての左人指し指を選択するためのインターフェース操作Ｐである。そして、前述したのと同様にステップＳ１３０の処理が行なわれることで、制御部５１０が、左人指し指の生体情報を、記憶部５２０に記憶させる。
【０１４９】
ステップＳ１２２でＹＥＳと判定されて、前述のステップＳ１３０の処理が行なわれ、ステップＳ１４０，Ｓ１４１でＮＯと判定され、再度、ステップＳ１２２でＹＥＳと判定され、ステップＳ１３０の処理が行なわれるという処理が繰り返されることにより、一人の貨幣回収担当者に対し、複数の生体情報が記憶部５２０に記憶される。
【０１５０】
以上のように、一人の貨幣回収担当者に対し、複数の生体情報が記憶部５２０に記憶されることにより、貨幣回収担当者の生体情報を取得する部位（たとえば、右人指し指）が負傷したとしても、負傷していない他の部位（たとえば、左人指し指）で、認証端末としての島金庫３００において、後述する認証処理を行なうことができる。すなわち、貨幣回収担当者の生体情報を取得する部位の負傷等により、島金庫３００において、後述する認証処理を行なえないという状況の発生率を低減することができる。
【０１５１】
ステップＳ１３０の処理が繰り返されることにより、表示部５３０には、一例として、以下の登録画像Ｇ２００Ｃが表示されるとする。
【０１５２】
図１８は、一例としての登録画像Ｇ２００Ｃを示す図である。図１８を参照して、登録画像Ｇ２００Ｃは、図１７の登録画像Ｇ２００Ｂと比較して、生体情報名表示画像Ｇ２３１，Ｇ２４１，Ｇ２５１の代わりに、それぞれ、生体情報名表示画像Ｇ２３１Ｃ，Ｇ２４１Ｃ，Ｇ２５１Ｃが配置される点が異なる。それ以外は、登録画像Ｇ２００Ｂと同様なので詳細な説明は繰り返さない。
【０１５３】
生体情報名表示画像Ｇ２３１Ｃ，Ｇ２４１Ｃ，Ｇ２５１Ｃの各々には、登録された生体情報名が表示される。
【０１５４】
なお、本実施の形態では、一人の貨幣回収担当者に対して最大で４つの生体情報を登録する例を説明したが、これに限定されることはなく、一人の貨幣回収担当者に対して５つ以上の生体情報が登録されてもよい。
【０１５５】
そして、ステップＳ１４０において、ＮＯと判定され、ステップＳ１４１の処理が行なわれるとする。ここで、登録確定操作があったとする。この場合、ステップＳ１４１において、ＹＥＳと判定され、ステップＳ１４２に進む。
【０１５６】
ステップＳ１４２では、登録生体情報対応付け処理が行なわれる。登録生体情報対応付け処理では、制御部５１０が、記憶部５２０において、生体情報名と対応づけて記憶されている生体情報を、表示部５３０に表示されている登録画像内の担当者ＩＤおよび氏名と対応づけて、記憶部５２０に記憶させる。これにより、記憶部５２０には、生体情報登録テーブルが記憶される。
【０１５７】
ここで、登録画像は、登録画像Ｇ２００Ｃであるとする。この場合、制御部５１０は、登録画像Ｇ２００Ｃの生体情報名表示画像Ｇ２２１Ｂ，Ｇ２３１Ｃ，Ｇ２４１Ｃ，Ｇ２５１Ｃの各々に表示される生体情報名に対応づけて、記憶部５２０において記憶されている生体情報を、登録画像Ｇ２００Ｃに表示されている担当者ＩＤ“１１０１”および氏名「Ｈ．Ｋ」と対応づけて、記憶部５２０に記憶させる。これにより、記憶部５２０には、以下の生体情報登録テーブルＤ３００が記憶される。そして、ステップＳ１４２の処理は終了し、再度、ステップＳ１４０の処理が行なわれる。
【０１５８】
図１９は、一例としての生体情報登録テーブルＤ３００を示す図である。図１９を参照して、生体情報登録テーブルＤ３００において、「担当者ＩＤ」、「氏名」、「生体情報名」は、図１２において説明したのと同様なので詳細な説明は繰り返さない。
【０１５９】
「有効フラグ」とは、後述する処理において、生体情報登録テーブルが送信される認証端末において、受信した生体情報登録テーブルを使用可能か否かを示すフラグである。「有効フラグ」が「オン」であれば、生体情報登録テーブルが使用可能であることを示す。「有効フラグ」が「オフ」であれば、生体情報登録テーブルが使用不可能であることを示す。
【０１６０】
「生体情報ＩＤ」とは、記憶部５２０において、生体情報名に対応づけて記憶されている生体情報を特定するためのＩＤである。記憶部５２０において、生体情報名に対応づけて記憶されている生体情報は、前述したように、生体情報名（たとえば、右人指し指）の指紋をデータ化した情報である。たとえば、生体情報ＩＤ“ＢＭ０１０３”は、記憶部５２０において、生体情報名「右中指」に対応付けて記憶されている、右中指の指紋をデータ化した情報（たとえば、右中指の指紋の画像データ）である。
【０１６１】
再び、図８を参照して、前述のステップＳ１２０において、ＮＯならば、ステップＳ１８０に進む。なお、ステップＳ１２０において、ＹＥＳと判定されて、ステップＳ１８０に進む場合は、表示部５３０に、メイン画像が表示されている。ここで、表示されているメイン画像は、一例として、図９のメイン画像Ｇ１００であるとする。
【０１６２】
ステップＳ１８０では、制御部５１０が、終了操作があるか否かを判定する。終了操作は、メイン画像に配置されるボタン画像ＢＧ１９０を押下処理するためのインターフェース操作Ｐである。ステップＳ１８０において、ＹＥＳならば、この起動処理は終了する。一方、ステップＳ１８０において、ＮＯならば、再度、ステップＳ１２０の処理が行なわれる。
【０１６３】
以上説明した起動処理において、複数の貨幣回収担当者の各々に対し、ステップＳ１３０，Ｓ１４２の処理が行なわれることにより、複数の貨幣回収担当者の各々に対応する生体情報登録テーブルが、記憶部５２０に記憶される。
【０１６４】
（一人の貨幣回収担当者の生体情報の一斉送信）
次に、生体情報取得装置５９０において取得された貨幣回収担当者の生体情報を、複数の島金庫３００（認証端末）の各々へ送信するための処理（以下、生体情報送信処理Ｓともいう）について説明する。
【０１６５】
なお、管理装置５００では、図８のステップＳ１３０，ステップＳ１４２の処理が行なわれることにより、一人の貨幣回収担当者の生体情報が取得され、記憶部５２０に、生体情報登録テーブルと、生体情報登録テーブルに示される「生体情報ＩＤ」により特定される全ての生体情報とが記憶されているとする。ここで、生体情報登録テーブルは、図１９の生体情報登録テーブルＤ３００であるとする。したがって、生体情報登録テーブルに示される「生体情報ＩＤ」により特定される全ての生体情報は、生体情報ＩＤ“ＢＭ０１０１”，“ＢＭ０１０２”，“ＢＭ０１０３”，“ＢＭ０１０４”によりそれぞれ特定される複数の生体情報である。なお、管理装置５００の表示部５３０には、図１８の登録画像Ｇ２００Ｃが表示されているとする。また、以下においては、複数の島金庫３００（認証端末）の各々において行なわれる、管理装置５００から送信される生体情報を受信するための処理を、生体情報受信処理Ｔともいう。
【０１６６】
図２０は、生体情報送信処理Ｓおよび生体情報受信処理Ｔのフローチャートである。生体情報送信処理Ｓおよび生体情報受信処理Ｔの各々は、他の処理とは独立して行なわれる処理である。図２０を参照して、管理装置５００が行なう生体情報送信処理Ｓでは、まず、ステップＳ２１０の処理が行なわれる。
【０１６７】
ステップＳ２１０では、制御部５１０が、島金庫３００（認証端末）を選択するための選択操作があるか否かを判定する。選択操作は、登録画像Ｇ２００Ｃ内の端末一覧画像Ｇ２７０に表示される複数の「チェック」の欄のうち少なくとも１つをクリックすることにより、チェックマークを表示するためのインターフェース操作Ｐである。ステップＳ２１０において、ＹＥＳならば、ステップＳ２１１に進む。一方、ステップＳ２１０において、ＮＯならば、再度、ステップＳ２１０の処理が行なわれる。
【０１６８】
ここでは、一例として、端末一覧画像Ｇ２７０に表示される複数の「チェック」の欄の全てにチェックマークを表示するための選択操作があったとして、ステップＳ２１１に進む。この場合の選択操作は、複数の島金庫３００（認証端末）を選択するための操作となる。なお、選択操作は、端末一覧画像Ｇ２７０に表示される複数の「チェック」の欄の全てではなく、当該複数の「チェック」の欄のうち、２つ以上の「チェック」の欄にチェックマークを表示するための操作であってもよい。
【０１６９】
ステップＳ２１１では、選択処理が行なわれる。選択処理では、選択操作に基づいて、制御部５１０が、ＶＤＰ５３２を利用して、以下の登録画像Ｇ２００Ｄを生成し、登録画像Ｇ２００Ｄを、表示部５３０に表示させる。そして、ステップＳ２１１の処理は終了する。
【０１７０】
図２１は、一例としての登録画像Ｇ２００Ｄを示す図である。図２１を参照して、登録画像Ｇ２００Ｄは、図１８の登録画像Ｇ２００Ｃと比較して、端末一覧画像Ｇ２７０の代わりに端末一覧画像Ｇ２７０Ｄが配置される点が異なる。それ以外は、登録画像Ｇ２００Ｃと同様なので詳細な説明は繰り返さない。
【０１７１】
端末一覧画像Ｇ２７０Ｄは、端末一覧画像Ｇ２７０と比較して、複数の「チェック」の欄にチェックマークが表示されている点が異なる。それ以外は、端末一覧画像Ｇ２７０と同様なので詳細な説明は繰り返さない。
【０１７２】
再び、図２０を参照して、ステップＳ２１１の処理の後、ステップＳ２２０に進む。
ステップＳ２２０では、制御部５１０が、生体情報送信操作があるか否かを判定する。生体情報送信操作は、ボタン画像ＢＧ２９２を押下処理するためのインターフェース操作Ｐである。ステップＳ２２０において、ＹＥＳならば、ステップＳ２２１に進む。一方、ステップＳ２２０において、ＮＯならば、再度、ステップＳ２２０の処理が行なわれる。ここでは、表示部５３０に登録画像Ｇ２００Ｄが表示されている状態で、生体情報送信操作があったとして、ステップＳ２２１に進む。
【０１７３】
ステップＳ２２１では、制御部５１０が、記憶部５２０に記憶されている、生体情報登録テーブルと、生体情報登録テーブルに示される「生体情報ＩＤ」により特定される全ての生体情報とを、照合を行なうための照合用生体情報として、図２１の端末一覧画像Ｇ２７０Ｄにおいてチェックマークが表示されている複数の端末ＩＤの各々に対応する島金庫３００（認証端末）へ送信する。
【０１７４】
ここで、送信される照合用生体情報としての生体情報登録テーブルは、図１９の生体情報登録テーブルＤ３００であるとする。したがって、送信される照合用生体情報としての全ての生体情報は、生体情報ＩＤ“ＢＭ０１０１”，“ＢＭ０１０２”，“ＢＭ０１０３”，“ＢＭ０１０４”によりそれぞれ特定される生体情報である。そして、ステップＳ２２１の処理は終了する。
【０１７５】
複数の島金庫３００（認証端末）の各々が行なう生体情報受信処理Ｔでは、まず、ステップＳ２６０の処理が行なわれる。
【０１７６】
ステップＳ２６０では、制御部３１０が、照合用生体情報を受信したか否かを判定する。ステップＳ２６０において、ＹＥＳならば、ステップＳ２６１に進む。一方、ステップＳ２６０において、ＮＯならば、再度、ステップＳ２６０の処理が行なわれる。ここでは、照合用生体情報を受信したとして、ステップＳ２６１に進む。受信された照合用生体情報は、図１９の生体情報登録テーブルＤ３００と、生体情報登録テーブルＤ３００に示される「生体情報ＩＤ」により特定される全ての生体情報である。
【０１７７】
ステップＳ２６１では、制御部３１０が、受信した照合用生体情報を、記憶部３２０に記憶させる。ここで、記憶部３２０に記憶される照合用生体情報は、生体情報登録テーブルＤ３００と、生体情報登録テーブルＤ３００に示される「生体情報ＩＤ」により特定される全ての生体情報である。この処理により、記憶部３２０に照合用生体情報が登録される。その後、ステップＳ２６２に進む。
【０１７８】
このように、金庫３００は、担当者を個々に識別可能な担当者ＩＤに対応付けて、受信した複数の生体情報を、照合用生体情報として記憶する。
【０１７９】
ステップＳ２６２では、制御部３１０が、登録完了通知を、管理装置５００へ送信する。登録完了通知は、管理装置５００から送信された、照合用生体情報を登録した旨を示す通知である。なお、登録完了通知には、自装置の端末ＩＤが含まれる。ここで、送信される登録完了通知には、端末ＩＤ“ＭＢ００１”が含まれるとする。その後、再度、ステップＳ２６０の処理が行なわれる。
【０１８０】
管理装置５００では、ステップＳ２２１の処理の後、ステップＳ２３０に進む。
ステップＳ２３０では、制御部５１０が、登録完了通知を受信したか否かを判定する。ステップＳ２３０において、ＹＥＳならば、ステップＳ２３１に進む。一方、ステップＳ２３０において、ＮＯならば、再度、ステップＳ２３０の処理が行なわれる。ここでは、端末ＩＤ“ＭＢ００１”を含む登録完了通知を受信したとして、ステップＳ２３１に進む。
【０１８１】
ステップＳ２３１では、島金庫３００（認証端末）において登録された生体情報を管理するための登録生体情報管理処理が行なわれる。登録生体情報管理処理では、制御部５１０が、送信した、照合用生体情報としての生体情報登録テーブルと、受信した登録完了通知に含まれる端末ＩＤとを対応づけた登録生体情報管理テーブルを生成する。そして、制御部５１０は、生成した登録生体情報管理テーブルを、記憶部５２０に記憶させる。
【０１８２】
ここでは、送信した、照合用生体情報としての生体情報登録テーブルは、図１９の生体情報登録テーブルＤ３００であるとする。また、受信した登録完了通知に含まれる端末ＩＤは、“ＭＢ００１”であるとする。この場合、生成される登録生体情報管理テーブルは、以下の登録生体情報管理テーブルＤ４００となる。そして、ステップＳ２３１の処理は終了する。
【０１８３】
図２２は、一例としての登録生体情報管理テーブルＤ４００を示す図である。図２２を参照して、登録生体情報管理テーブルＤ４００は、図１９の生体情報登録テーブルＤ３００と比較して、「有効フラグ」の項目がない点と、「登録済み端末ＩＤ」の項目が追加されている点とが異なる。それ以外は、生体情報登録テーブルＤ３００と同様なので詳細な説明は繰り返さない。「登録済み端末ＩＤ」は、照合用生体情報が登録された島金庫３００（認証端末）の端末ＩＤを示す。
【０１８４】
再び、図２０を参照して、ステップＳ２３１の処理の後、ステップＳ２３２に進む。
ステップＳ２３２では、制御部５１０が、照合用生体情報を送信した全ての島金庫３００（認証端末）の各々から、登録完了通知の受信を完了したか否かを判定する。ステップＳ２３２において、ＹＥＳならば、後述するステップＳ２３３に進む。一方、ステップＳ２３２において、ＮＯならば、再度、ステップＳ２３０の処理が行なわれる。ここでは、全ての島金庫３００（認証端末）の各々から、登録完了通知の受信を完了してないとして、ステップＳ２３０に進む。
【０１８５】
照合用生体情報を送信した全ての島金庫３００（認証端末）の各々において、前述した生体情報受信処理Ｔが行なわれるまで、ステップＳ２３０，Ｓ２３１の処理が繰り返し行なわれる。照合用生体情報を送信した全ての島金庫３００（認証端末）の各々において、前述した生体情報受信処理Ｔが行なわれると、ステップＳ２３２において、ＹＥＳと判定されて、ステップＳ２３３に進む。
【０１８６】
なお、ステップＳ２３２においてＹＥＳと判定された場合、記憶部５３０に記憶される登録生体情報管理テーブルＤ４００は、たとえば、以下の登録生体情報管理テーブルＤ４００Ａのようになる。
【０１８７】
図２３は、一例としての登録生体情報管理テーブルＤ４００Ａを示す図である。図２３を参照して、登録生体情報管理テーブルＤ４００Ａは、図２２の登録生体情報管理テーブルＤ４００と比較して、「登録済み端末ＩＤ」の項目に、照合用生体情報を送信した全ての島金庫３００（認証端末）の各々のＩＤが表示される点が異なる。それ以外は、登録生体情報管理テーブルＤ４００と同様なので詳細な説明は繰り返さない。
【０１８８】
再び、図２０を参照して、ステップＳ２３３では、チェックマーク消去処理が行なわれる。チェックマーク消去処理では、制御部５１０が、ＶＤＰ５３２を利用して、図２１の端末一覧画像Ｇ２７０Ｄにおいて表示されているチェックマークを消去する。すなわち、制御部５１０は、ＶＤＰ５３２を利用して、表示部５３０に、図１８の登録画像Ｇ２００Ｃを表示させる。そして、再度、ステップＳ２１０の処理が行なわれる。
【０１８９】
以上の生体情報受信処理Ｔが、複数の島金庫３００（認証端末）の各々で行なわれることにより、複数の島金庫３００の各々において、照合用生体情報が登録される。
【０１９０】
したがって、管理装置５００において、選択操作および生体情報送信操作といった簡単な操作を行なうことで、複数の島金庫３００（認証端末）の各々において、照合を行なうための照合用生体情報が登録される。したがって、照合用生体情報を複数の島金庫３００（認証端末）に登録するための作業負担が軽減される。すなわち、照合を行なうための照合用生体情報を認証端末に登録する際の手間を軽減できるという効果を奏する。
【０１９１】
（複数の貨幣回収担当者の生体情報の一斉送信）
次に、図７の生体情報取得装置５９０において取得された複数の貨幣回収担当者の生体情報を、複数の島金庫３００（認証端末）の各々へ送信するための処理について説明する。ここで、管理装置５００では、図８のステップＳ１３０，ステップＳ１４２の処理が繰返し行なわれることにより、複数の貨幣回収担当者の生体情報が取得され、記憶部５２０に、複数の生体情報登録テーブルから構成される複数生体情報登録テーブルと、複数生体情報登録テーブルを構成する複数の生体情報登録テーブルの各々に示される「生体情報ＩＤ」により特定される全ての生体情報とが記憶されているとする。
【０１９２】
たとえば、複数生体情報登録テーブルを構成する複数の生体情報登録テーブルのうちの１つの生体情報登録テーブルが、図１９の生体情報登録テーブルＤ３００である場合、生体情報登録テーブルＤ３００に示される「生体情報ＩＤ」により特定される全ての生体情報は、生体情報ＩＤ“ＢＭ０１０１”，“ＢＭ０１０２”，“ＢＭ０１０３”，“ＢＭ０１０４”によりそれぞれ特定される生体情報である。
【０１９３】
ここで、記憶部５２０に記憶されている複数生体情報登録テーブルは、以下の複数生体情報登録テーブルＤ５００であるとする。
【０１９４】
図２４は、一例としての複数生体情報登録テーブルＤ５００を示す図である。図２４を参照して、複数生体情報登録テーブルＤ５００は、複数の生体情報登録テーブルから構成される。複数生体情報登録テーブルＤ５００は、図１９の生体情報登録テーブルＤ３００と比較して、複数の生体情報登録テーブルから構成される点が異なる。それ以外は、生体情報登録テーブルＤ３００と同様なので詳細な説明は繰り返さない。複数生体情報登録テーブルＤ５００を構成する複数の生体情報登録テーブルのうちの１つは、たとえば、図１９の生体情報登録テーブルＤ３００である。
【０１９５】
再び、図２０を参照して、管理装置５００が行なう生体情報送信処理Ｓでは、まず、ステップＳ２１０の処理が行なわれる。
【０１９６】
ステップＳ２１０では、前述したのと同様な処理が行なわれるので詳細な説明は繰り返さない。ここで、前述した選択操作があったとする。この場合、ステップＳ２１０において、ＹＥＳと判定され、ステップＳ２１１に進む。
【０１９７】
ステップＳ２１１では、前述したのと同様な処理が行なわれるので詳細な説明は繰り返さない。この処理により、表示部５３０に、図２１の登録画像Ｇ２００Ｄが表示される。その後、ステップＳ２２０に進む。
【０１９８】
ステップＳ２２０では、前述したのと同様な処理が行なわれるので詳細な説明は繰り返さない。ここでは、表示部５３０に、図２１の登録画像Ｇ２００Ｄが表示されている状態で、生体情報送信操作があったとして、ステップＳ２２１に進む。
【０１９９】
ステップＳ２２１では、制御部５１０が、記憶部５２０に記憶されている、複数生体情報登録テーブルＤ５００と、複数生体情報登録テーブルＤ５００を構成する複数の生体情報登録テーブルの各々に示される「生体情報ＩＤ」により特定される全ての生体情報とを、照合用生体情報として、端末一覧画像Ｇ２７０Ｄにおいてチェックマークが表示されている複数の端末ＩＤの各々に対応する島金庫３００（認証端末）へ送信する。ここで、送信される照合用生体情報としての生体情報登録テーブルは、複数生体情報登録テーブルＤ５００であるとする。この場合、送信される照合用生体情報としての全ての生体情報は、複数生体情報登録テーブルＤ５００を構成する複数の生体情報登録テーブルの各々に示される「生体情報ＩＤ」により特定される全ての生体情報である。
【０２００】
複数の島金庫３００（認証端末）の各々が行なう生体情報受信処理Ｔでは、まず、ステップＳ２６０の処理が行なわれる。ここでは、照合用生体情報を受信したとして、ステップＳ２６１に進む。受信された照合用生体情報は、複数生体情報登録テーブルＤ５００と、複数生体情報登録テーブルＤ５００を構成する複数の生体情報登録テーブルの各々に示される「生体情報ＩＤ」により特定される全ての生体情報である。
【０２０１】
ステップＳ２６１では、制御部３１０が、受信した照合用生体情報を記憶部３２０に記憶させる。ここで、記憶部３２０に記憶される照合用生体情報は、複数生体情報登録テーブルＤ５００と、複数生体情報登録テーブルＤ５００を構成する複数の生体情報登録テーブルの各々に示される「生体情報ＩＤ」により特定される全ての生体情報である。この処理により、記憶部３２０に照合用生体情報が登録される。
【０２０２】
ステップＳ２６２では、前述したのと同様な処理が行なわれるので詳細な説明は繰り返さない。この処理により、端末ＩＤ“ＭＢ００１”を含む登録完了通知が、管理装置５００へ送信されるとする。
【０２０３】
管理装置５００では、ステップＳ２２１の処理の後、ステップＳ２３０に進む。
ステップＳ２３０では、前述したのと同様な処理が行なわれるので詳細な説明は繰り返さない。ここでは、端末ＩＤ“ＭＢ００１”を含む登録完了通知を受信したとして、ステップＳ２３１に進む。
【０２０４】
ステップＳ２３１では、登録生体情報管理処理が行なわれる。登録生体情報管理処理では、制御部５１０が、送信した、照合用生体情報としての生体情報登録テーブルＤ５００を構成する複数の生体情報登録テーブルの各々と、受信した登録完了通知に含まれる端末ＩＤとを対応づけた登録生体情報管理テーブルを生成する。そして、制御部５１０は、生成した登録生体情報管理テーブルを、記憶部５２０に記憶させる。
【０２０５】
ここでは、送信した、照合用生体情報としての複数生体情報登録テーブルは、図２４の複数生体情報登録テーブルＤ５００であるとする。また、受信した登録完了通知に含まれる端末ＩＤは、“ＭＢ００１”であるとする。この場合、生成される登録生体情報管理テーブルは、以下の登録生体情報管理テーブルＤ６００となる。そして、ステップＳ２３１の処理は終了する。
【０２０６】
図２５は、一例としての登録生体情報管理テーブルＤ６００を示す図である。図２５を参照して、登録生体情報管理テーブルＤ６００は、図２４の複数生体情報登録テーブルＤ５００と比較して、「有効フラグ」の項目がない点と、「登録済み端末ＩＤ」の項目が追加されている点とが異なる。それ以外は、複数生体情報登録テーブルＤ５００と同様なので詳細な説明は繰り返さない。「登録済み端末ＩＤ」は、照合用生体情報が登録された島金庫３００（認証端末）の端末ＩＤを示す。
【０２０７】
再び、図２０を参照して、ステップＳ２３１の処理の後、ステップＳ２３２に進む。
ステップＳ２３２では、制御部５１０が、照合用生体情報を送信した全ての島金庫３００（認証端末）の各々から、登録完了通知の受信を完了したか否かを判定する。ここでは、全ての島金庫３００（認証端末）の各々から、登録完了通知の受信を完了してないとして、ステップＳ２３０に進む。
【０２０８】
照合用生体情報を送信した全ての島金庫３００（認証端末）の各々において、前述した生体情報受信処理Ｔが行なわれるまで、ステップＳ２３０，Ｓ２３１の処理が繰り返り行なわれる。照合用生体情報を送信した全ての島金庫３００（認証端末）の各々において、前述した生体情報受信処理Ｔが行なわれると、ステップＳ２３２において、ＹＥＳと判定されて、ステップＳ２３３に進む。
【０２０９】
なお、ステップＳ２３２においてＹＥＳと判定された場合、記憶部５３０に記憶される登録生体情報管理テーブルＤ６００は、たとえば、以下の登録生体情報管理テーブルＤ６００Ａのようになる。
【０２１０】
図２６は、一例としての登録生体情報管理テーブルＤ６００Ａを示す図である。図２６を参照して、登録生体情報管理テーブルＤ６００Ａは、図２５の登録生体情報管理テーブルＤ６００と比較して、「登録済み端末ＩＤ」の項目に、照合用生体情報を送信した全ての島金庫３００（認証端末）の各々のＩＤが表示される点が異なる。それ以外は、登録生体情報管理テーブルＤ６００と同様なので詳細な説明は繰り返さない。
【０２１１】
再び、図２０を参照して、ステップＳ２３３では、前述したのと同様な処理が行なわれるので詳細な説明は繰り返さない。
【０２１２】
以上の生体情報受信処理Ｔが、複数の島金庫３００（認証端末）の各々で行なわれることにより、複数の島金庫３００の各々において、照合用生体情報が登録される。
【０２１３】
したがって、管理装置５００において、選択操作および生体情報送信操作といった簡単な操作を行なうことで、複数の島金庫３００（認証端末）の各々において、照合を行なうための照合用生体情報が登録される。ここで、登録される照合用生体情報は、複数生体情報登録テーブルＤ５００と、複数生体情報登録テーブルＤ５００を構成する複数の生体情報登録テーブルの各々に示される「生体情報ＩＤ」により特定される全ての生体情報とである。
【０２１４】
したがって、複数の貨幣回収担当者の照合用生体情報を複数の島金庫３００（認証端末）に登録するための作業負担が軽減される。すなわち、照合を行なうための照合用生体情報を認証端末に登録する際の手間を軽減できるという効果を奏する。
【０２１５】
なお、前述した処理では、図２４の複数生体情報登録テーブルＤ５００に登録された全ての担当者の生体情報が、図２１の端末一覧画像Ｇ２７０Ｄで選択を受付けた金庫に送られていた。しかしながら、これに限定されることなく、図２１の登録者一覧画像Ｇ２６０で、送信する担当者の選択を受付けて、受付けた担当者の生体情報が、図２１の端末一覧画像Ｇ２７０Ｄで選択を受付けた金庫に送られてもよい。
【０２１６】
（認証端末における認証処理）
次に、認証端末としての島金庫３００において行なわれる、担当者の本人認証を行なうための認証処理（以下、認証処理Ｔともいう）について説明する。なお、前述の処理により、認証端末としての島金庫３００の記憶部３２０には、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。
【０２１７】
ここで、照合用生体情報としての複数生体情報登録テーブルは、図２４の複数生体情報登録テーブルＤ５００であるとする。この場合、記憶部５２０には、複数生体情報登録テーブルＤ５００と、複数生体情報登録テーブルＤ５００を構成する複数の生体情報登録テーブルの各々に示される「生体情報ＩＤ」により特定される全ての照合用生体情報が記憶される。
【０２１８】
図２７は、認証処理Ｔのフローチャートである。図２７を参照して、認証処理Ｔでは、まず、ステップＳ４００の処理が行なわれる。
【０２１９】
ステップＳ４００では、制御部５１０が、担当者ＩＤ入力操作があるか否かを判定する。担当者ＩＤ入力操作は、貨幣回収担当者による、自分の担当者ＩＤを入力するためのインターフェース操作Ｔである。インターフェース操作Ｔは、前述したように、オペレーター等による、島金庫３００の入力部３４０に含まれる複数のボタンの押下操作である。ステップＳ４００において、ＹＥＳならば、ステップＳ４０１に進む。一方，ステップＳ４００において、ＮＯならば、再度、ステップＳ４００の処理が行なわれる。ここでは、担当者ＩＤが“１１０１”の貨幣回収担当者により、担当者ＩＤ入力操作が行なわれたとして、ステップＳ４０１に進む。この場合、貨幣回収担当者により入力された担当者ＩＤは、“１１０１”であるとする。
【０２２０】
ステップＳ４０１では、入力された担当者ＩＤが有効なＩＤであるか否かが判定される。具体的には、制御部５１０が、入力された担当者ＩＤが、記憶部５２に記憶されている複数生体情報登録テーブルに示されているか否かを判定する。ステップＳ４０１において、ＹＥＳならば、ステップＳ４０２に進む。一方、ステップＳ４０１において、ＮＯならば、制御部５１０は、表示部５３０にエラーメッセージを表示させ、再度、ステップＳ４００の処理が行なわれる。ここで、表示部５３０に表示されるエラーメッセージは、たとえば、「入力された担当者ＩＤは無効です」というメッセージである。
【０２２１】
ここで、入力された担当者ＩＤは、“１１０１”であり、記憶部５２０に記憶されている複数生体情報登録テーブルは、図２４の複数生体情報登録テーブルＤ５００である。この場合、ステップＳ４０１において、ＹＥＳと判定され、ステップＳ４０２に進む。
【０２２２】
ステップＳ４０２では、制御部５１０が、貨幣回収担当者の生体情報を取得したか否かが判定される。ステップＳ４０２において、ＹＥＳならば、ステップＳ４０４に進む。一方、ステップＳ４０２において、ＮＯならば、再度、ステップＳ４０２の処理が行なわれる。
【０２２３】
ここで、貨幣回収担当者が、管理装置５００において予め登録した照合用生体情報に対応する体の一部を、生体情報取得部３５０に接触させるとする。この場合、生体情報取得部３５０は、接触した体の一部をデータ化した生体情報を、制御部３１０へ送信する。したがって、ステップＳ４０２において、ＹＥＳと判定され、ステップＳ４０４に進む。
【０２２４】
ここで、体の一部を生体情報取得部３５０に接触させた貨幣回収担当者の担当者ＩＤは、“１１０１”であるとする。また、生体情報取得部３５０に接触した、貨幣回収担当者の体の一部は、右人指し指であるとする。この場合、制御部３１０が受信した生体情報は、貨幣回収担当者の右人指し指の指紋をデータ化した情報（たとえば、指紋の画像）である。
【０２２５】
ステップＳ４０４では、照合認証処理Ｔが行なわれる。
図２８は、照合認証処理Ｔのフローチャートである。図２８を参照して、ステップＳ４１０では、照合用生体情報が有効であるか否かが判定される。具体的には、制御部３１０が、記憶部３２０に記憶されている複数生体情報登録テーブルにおいて、貨幣回収担当者の担当者ＩＤに対応する「有効フラグ」が「オン」であるか否かを判定する。
【０２２６】
「有効フラグ」が「オン」である場合、貨幣回収担当者の担当者ＩＤに対応する複数の生体情報ＩＤにそれぞれ対応する複数の照合用生体情報は、有効な情報となる。一方、「有効フラグ」が「オフ」である場合、貨幣回収担当者の担当者ＩＤに対応する複数の生体情報ＩＤにそれぞれ対応する複数の照合用生体情報は、無効な情報となる。この場合、制御部３１０は、照合用生体情報無効と判定する。ステップＳ４１０において、ＹＥＳならば、ステップＳ４１１に進む。一方、ステップＳ４１０において、ＮＯならば、後述するステップＳ４１４に進む。
【０２２７】
ここで、複数生体情報登録テーブルは、図２４の複数生体情報登録テーブルＤ５００であるとする。また、貨幣回収担当者の担当者ＩＤは“１１０１”であるとする。この場合、図２４の複数生体情報登録テーブルＤ５００において、担当者ＩＤ“１１０１”に対応する「有効フラグ」が「オン」であるため、ステップＳ４１１に進む。
【０２２８】
ステップＳ４１１では、照合回数があるか否かが判定される。具体的には、複数生体情報登録テーブルにおいて、貨幣回収担当者の担当者ＩＤに対応する複数の生体情報ＩＤのうちの少なくとも１つの生体情報ＩＤに、後述する照合回数が関連付けられているか否かが判定される。ステップＳ４１１において、ＹＥＳならば、後述するステップＳ４１３に進む。一方、ステップＳ４１１において、ＮＯならば、ステップＳ４１２に進む。
【０２２９】
ここで、複数生体情報登録テーブルは、図２４の複数生体情報登録テーブルＤ５００であるとする。また、貨幣回収担当者の担当者ＩＤは“１１０１”であるとする。この場合、図２４の複数生体情報登録テーブルＤ５００において、担当者ＩＤ“１１０１”に対応する複数の生体情報ＩＤのうちの少なくとも１つの生体情報ＩＤに、後述する照合回数が関連付けられていない。そのため、ステップＳ４１１において、ＮＯと判定されて、ステップＳ４１２に進む。
【０２３０】
ステップＳ４１２では、担当者の本人認証を行なうための照合認証処理Ａが行なわれる。照合認証処理Ａでは、制御部３１０が、前述の処理により、生体情報取得部３５０から受信した生体情報と、複数生体情報登録テーブルにおいて、貨幣回収担当者の担当者ＩＤに対応する複数の生体情報ＩＤにそれぞれ対応する複数の照合用生体情報の各々とを照合し、一致度合いを判定する。
【０２３１】
生体情報が、画像データである場合、当該一致度合いの判定は、たとえば、画像のマッチング処理により行なわれる。また、生体情報が、体の一部の特徴部分を抽出したデータである場合、当該一致度合いの判定は、たとえば、抽出データのマッチング処理により行なわれる。
【０２３２】
制御部３１０は、受信した生体情報と、貨幣回収担当者の担当者ＩＤに対応する複数の生体情報ＩＤにそれぞれ対応する複数の照合用生体情報の各々との一致度合いにおいて、１つでも認証成功判定しきい値以上の一致度合いがあると、認証成功と判定する。認証成功判定しきい値は、担当者の本人認証が成功したか否かを判定するためのしきい値である。認証成功判定しきい値は、たとえば、９０％であるとする。すなわち、認証成功と判定さるのは、本人認証が成功と判定された場合である。
【０２３３】
一方、制御部３１０は、受信した生体情報と、貨幣回収担当者の担当者ＩＤに対応する複数の生体情報ＩＤにそれぞれ対応する複数の照合用生体情報の各々との一致度合いにおいて、認証成功判定しきい値以上の一致度合いが１つもない場合、認証失敗と判定する。すなわち、本人認証が失敗と判定される。
【０２３４】
ここで、制御部３１０が生体情報取得部３５０から受信した生体情報は、貨幣回収担当者の右人指し指の指紋をデータ化した情報（たとえば、指紋の画像）であるとする。また、複数生体情報登録テーブルは、図２４の複数生体情報登録テーブルＤ５００である。また、貨幣回収担当者の担当者ＩＤは、“１１０１”である。この場合、照合認証処理Ａでは、制御部３１０により、受信した生体情報と、複数生体情報登録テーブルＤ５００において、担当者ＩＤ“１１０１”に対応する複数の生体情報ＩＤ“ＢＭ０１０１”，“ＢＭ０１０２”，“ＢＭ０１０３”，“ＢＭ０１０４”によりそれぞれ特定される複数の照合用生体情報の各々との一致度合いが判定される。
【０２３５】
ここで、照合認証処理Ａにより判定された一致度合いは、９８％であるとする。したがって、一致度合いが９８％であると判定されるのに使用された貨幣回収担当者の生体情報は、貨幣回収担当者の右人指し指の指紋をデータ化した情報（たとえば、指紋の画像）である。また、一致度合いが９８％であると判定されるのに使用された照合用生体情報は、生体情報ＩＤ“ＢＭ０１０１” により特定される照合用生体情報（担当者ＩＤ“１１０１”の貨幣回収担当者の右人指し指の生体情報）である。また、この場合、制御部３１０は、認証成功と判定する。制御部５１０により、認証の結果が判定されると、照合認証処理Ａは終了し、ステップＳ４１４に進む。
【０２３６】
ステップＳ４１４では、制御部３１０が、認証結果情報を、管理装置５００へ送信する。送信される認証結果情報には、現在の日時と、認証処理Ｔを行なっている島金庫３００（認証端末）の端末ＩＤと、認証処理の対象となった貨幣回収担当者の担当者ＩＤと、前述の認証処理（ここでは、照合認証処理Ａ）による認証結果とが含まれる。送信される認証結果情報は、たとえば、以下の図に示される情報である。そして、ステップＳ４１４の処理は終了する。
【０２３７】
図２９は、送信される認証結果情報の一例を示す図である。図２９を参照して、「認証結果」の項目には、前述の処理において認証成功と判定された場合、たとえば、「認証ＯＫ」と記述される。なお、前述の処理において認証失敗または照合用生体情報無効と判定された場合、「認証結果」の項目には、たとえば、「認証ＮＧ」と記述される。
【０２３８】
管理装置５００では、認証結果情報受信処理Ｓが行なわれる。認証結果情報受信処理Ｓは、他の処理とは独立して行なわれる処理である。なお、管理装置５００の表示部５３０には、認証結果情報受信処理Ｓとは独立して、前述した図８の起動処理が行なわれることにより、図９のメイン画像Ｇ１００が表示されているとする。
【０２３９】
図３０は、認証結果情報受信処理Ｓのフローチャートである。ステップＳ５１０では、制御部５１０が、認証結果情報を受信したか否かを判定する。ステップＳ５１０において、ＹＥＳならば、ステップＳ５１１に進む。一方、ステップＳ５１０において、ＮＯならば、再度、ステップＳ５１０の処理が行なわれる。ここでは、図２９に示す認証結果情報を受信したとして、ステップＳ５１１に進む。
【０２４０】
ステップＳ５１１では、メイン画像更新処理が行なわれる。メイン画像更新処理では、制御部５１０が、ＶＤＰ５３２を利用して、受信した認証結果情報に基づいて、表示部５３０に表示されているメイン画像を変更したメイン画像を生成し、変更したメイン画像を表示部５３０に表示させる。ここで、変更したメイン画像は、以下のメイン画像Ｇ１００Ａであるとする。また、制御部５１０は、受信した認証結果情報を、記憶部５２０に記憶されているログデータに記述する。その後、再度、ステップＳ５１０の処理が行なわれる。
【０２４１】
図３１は、一例としてのメイン画像Ｇ１００Ａを示す図である。図３１を参照して、メイン画像Ｇ１００Ａは、図９のメイン画像Ｇ１００と比較して、操作履歴画像Ｇ１３０の代わりに操作履歴画像Ｇ１３０Ａが配置される点が異なる。それ以外は、メイン画像Ｇ１００と同様なので詳細な説明は繰り返さない。
【０２４２】
操作履歴画像Ｇ１３０Ａには、図２９に示す認証結果情報に基づく情報が表示される。「端末名」の項目には、認証結果情報に示される端末ＩＤに対応する端末名が表示される。「担当者名」の項目には、認証結果情報に示される担当者ＩＤに対応する担当者名が表示される。「状態」の項目には、認証結果情報に含まれる、認証結果が認証成功を示す「認証ＯＫ」の文字列が表示される。なお、前述した処理により、記憶部５２０に記憶されているログデータには、操作履歴画像Ｇ１３０Ａに表示されている各項目の情報が記述される。
【０２４３】
なお、受信した認証結果情報に含まれる認証結果が認証失敗または照合用生体情報無効を示す「認証ＮＧ」である場合、異常履歴画像Ｇ１１０に、受信した認証結果情報に基づく情報が、操作履歴画像Ｇ１３０Ａに表示された情報と同様に表示される。すなわち、異常履歴画像Ｇ１１０の「状態」の項目には、認証結果が認証失敗を示す「認証ＮＧ」の文字列が表示される。なお、この場合、前述した処理と同様に、記憶部５２０に記憶されているログデータには、異常履歴画像Ｇ１１０に表示される各項目の情報が記述される。
【０２４４】
再び、図２８を参照して、認証端末としての島金庫３００が行なう照合認証処理Ｔでは、ステップＳ４１４の処理の後、ステップＳ４２０に進む。
【０２４５】
ステップＳ４２０では、制御部３１０が、前述の照合認証処理（ここでは、照合認証処理Ａとする）において判定された一致度合いが、生体情報取得部位判定しきい値以上であるか否かを判定する。生体情報取得部位判定しきい値は、生体情報取得部３５０により取得された貨幣回収担当者の生体情報を特定するための値である。生体情報取得部位判定しきい値は、たとえば、８０（％）であるとする。
【０２４６】
ステップＳ４２０において、ＹＥＳならば、ステップＳ４２１に進む。一方、ステップＳ４２０において、ＮＯならば、ステップＳ４３０に進む。ステップＳ４２０において、ＹＥＳと判定されるのは、生体情報取得部３５０により取得された貨幣回収担当者の生体情報（たとえば、右人指し指の生体情報）が特定された場合である。すなわち、ステップＳ４２０において、ＹＥＳと判定されるのは、生体情報取得部３５０により取得された貨幣回収担当者の生体情報に対応する照合用生体情報が、記憶部３２０に記憶されていると判定される場合でもある。
【０２４７】
ここで、前述の照合認証処理Ａにおいて判定された一致度合いは、９８％であるとする。前述したように、一致度合いが９８％であると判定されるのに使用された生体情報は、貨幣回収担当者の右人指し指の指紋をデータ化した情報（たとえば、指紋の画像）である。この場合、ステップＳ４２０において、ＹＥＳと判定され、ステップＳ４２１に進む。以下においては、一致度合いが、生体情報取得判定しきい値以上であると判定されるのに使用された生体情報を、照合使用生体情報ともいう。
【０２４８】
ステップＳ４２１では、照合回数関連付け処理が行なわれる。照合回数関連付け処理では、制御部３１０が、記憶部３２０に記憶されている複数生体情報登録テーブルにおいて、貨幣回収担当者の担当者ＩＤに対応する複数の生体情報ＩＤのうち、照合使用生体情報に対応する生体情報ＩＤに照合回数を関連付けた、新たな複数生体情報登録テーブルを生成する。生体情報ＩＤは、記憶部３２０に記憶されている照合用生体情報を特定するためのＩＤである。そのため、生成される新たな複数生体情報登録テーブルは、照合用生体情報に照合回数を関連付けたテーブルでもある。
【０２４９】
ここで、照合回数とは、記憶部３２０に記憶されている複数の照合用生体情報のうち、前述の照合に使用された利用者（たとえば、貨幣回収担当者）の生体情報との一致度合いが生体情報取得部位判定しきい値以上の照合用生体情報の使用頻度を示す情報である。すなわち、本人認証が成功した場合、または、本人認証が失敗しても、照合に使用された生体情報（たとえば、右人指し指の生体情報）が特定できた場合に、照合回数関連付け処理が行なわれる。なお、照合回数関連付け処理は、本人認証が成功された場合にのみ行なわれてもよい。
【０２５０】
なお、複数生体情報登録テーブルにおいて、貨幣回収担当者の担当者ＩＤに対応する複数の生体情報ＩＤのうち、照合使用生体情報に対応する生体情報ＩＤに照合回数が関連付けられてない場合、制御部３１０は、当該照合使用生体情報に対応する生体情報ＩＤに関連付ける照合回数を１回とする。なお、既に照合回数が関連付けられている場合、制御部３１０は、照合回数関連付け処理が行なわれる毎に、関連付けられている照合回数を１インクリメントする。そして、ステップＳ４２１の処理は終了する。
【０２５１】
ここで、複数生体情報登録テーブルは、図２４の複数生体情報登録テーブルＤ５００であるとする。また、照合使用生体情報は、担当者ＩＤが“１１０１”の貨幣回収担当者の右人指し指の生体情報であるとする。当該右人指し指の生体情報の生体情報ＩＤは“ＢＭ０１０１”である。この場合、照合回数関連付け処理により生成される新たな複数生体情報登録テーブルは、以下の複数生体情報登録テーブルＤ５１０となる。
【０２５２】
図３２は、一例としての複数生体情報登録テーブルＤ５１０を示す図である。図３２を参照して、複数生体情報登録テーブルＤ５１０は、図２４の複数生体情報登録テーブルＤ５００と比較して、「照合回数」の項目が追加されている点が異なる。それ以外は、複数生体情報登録テーブルＤ５００と同様なので詳細な説明は繰り返さない。
【０２５３】
前述したように、生体情報ＩＤは、記憶部３２０に記憶されている照合用生体情報を特定するＩＤである。したがって、生成された新たな複数生体情報登録テーブルは、貨幣回収担当者の担当者ＩＤに対応する複数の生体情報ＩＤのうち、照合使用生体情報に対応する生体情報ＩＤにより特定される照合用生体情報に照合回数を関連付けたテーブルとなる。すなわち、生成された新たな複数生体情報登録テーブルにより、照合使用生体情報に、当該照合使用生体情報の照合回数が関連付けられることになる。
【０２５４】
再び、図２８を参照して、ステップＳ４２１の処理の後、ステップＳ４３０に進む。
ステップＳ４３０では、制御部３１０が、前述の照合認証処理Ａまたは後述する照合認証処理Ｂにおいて、認証成功と判定されたか否かを判定する。ステップＳ４３０において、ＹＥＳならば、ステップＳ４３８に進む。一方、ステップＳ４３０において、ＮＯならば、後述するステップＳ４３９に進む。なお、ステップＳ４３０において、ＮＯと判定された場合は、前述の処理において、制御部３１０が、認証失敗または照合用生体情報無効と判定した場合である。ここでは、照合認証処理Ａにおいて、認証成功と判定されたとして、ステップＳ４３８に進む。
【０２５５】
ステップＳ４３８では、開錠処理が行なわれる。開錠処理では、制御部３１０が、島金庫３００の前面扉ＣＰ３１０を開閉可能状態にする。すなわち、島金庫３００が開錠状態となる。これにより、貨幣回収担当者は、貨幣蓄積部３９０に蓄積された貨幣を取り出し可能となる。その後、この照合認証処理Ｔは終了し、図２７の認証処理Ｔに戻り、認証処理Ｔも終了する。
【０２５６】
ステップＳ４３０において、ＮＯならば、ステップＳ４３９に進む。
ステップＳ４３９では、認証失敗処理が行なわれる。認証失敗処理では、制御部３１０が、表示部３３０にエラーメッセージを表示させる。エラーメッセージは、たとえば、「認証ＮＧ」というメッセージである。その後、この照合認証処理Ｔは終了し、図２７の認証処理Ｔに戻り、認証処理Ｔも終了する。
【０２５７】
次に、記憶部３２０に複数生体情報登録テーブルＤ５１０が記憶されている状態で、担当者ＩＤが“１１０１”の貨幣回収担当者が、認証端末としての島金庫３００を開錠状態にする操作を行なったとする。
【０２５８】
再び、図２７を参照して、認証処理Ｔでは、まず、ステップＳ４００の処理が行なわれる。
【０２５９】
ステップＳ４００では、前述したのと同様な処理が行なわれるので詳細な説明は繰り返さない。ここでは、担当者ＩＤが“１１０１”の貨幣回収担当者により、前述と同様な担当者ＩＤ入力操作が行なわれたとして、ステップＳ４０１に進む。
【０２６０】
ステップＳ４０１では、前述したのと同様な処理が行なわれるので詳細な説明は繰り返さない。ここでは、有効なＩＤと判定されて、ステップＳ４０２に進む。
【０２６１】
ステップＳ４０２では、前述したのと同様な処理が行なわれるので詳細な説明は繰り返さない。ここで、生体情報取得部３５０に、貨幣回収担当者の右人指し指が、生体情報取得部３５０に接触されたとする。この場合、生体情報取得部３５０は、接触した体の一部をデータ化した生体情報を、制御部３１０へ送信する。これにより、ステップＳ４０２において、ＹＥＳと判定され、ステップＳ４０４に進み、照合認証処理Ｔが行なわれる。
【０２６２】
再び、図２８を参照して、ステップＳ４１０では、前述したのと同様な処理が行なわれるので詳細な説明は繰り返さない。ここでは、複数生体情報登録テーブルにおいて、貨幣回収担当者の担当者ＩＤに対応する「有効フラグ」が「オン」であるとして、ステップＳ４１１に進む。
【０２６３】
ステップＳ４１１では、前述したように、複数生体情報登録テーブルにおいて、貨幣回収担当者の担当者ＩＤに対応する複数の生体情報ＩＤのうちの少なくとも１つの生体情報ＩＤに、照合回数情報が関連付けられているか否かが判定される。ここで、複数生体情報登録テーブルは、図３２の複数生体情報登録テーブルＤ５１０であるとする。この場合、照合回数情報が関連付けられているため、ステップＳ４１１において、ＹＥＳと判定され、ステップＳ４１３に進む。
【０２６４】
ステップＳ４１３では、担当者の本人認証を行なうための照合認証処理Ｂが行なわれる。照合認証処理Ｂでは、制御部３１０が、前述の処理により、生体情報取得部３５０から受信した生体情報と、複数生体情報登録テーブルにおいて、貨幣回収担当者の担当者ＩＤに対応する複数の生体情報ＩＤのうち、関連付けられている照合回数の多い生体情報ＩＤに対応する照合用生体情報から順に、照合し、一致度合いを判定する。なお、照合する処理、一致度合いを判定する処理は、ステップＳ４１２の照合認証処理Ａと同様なので詳細な説明は繰り返さない。
【０２６５】
ここで、複数生体情報登録テーブルは、図３２の複数生体情報登録テーブルＤ５１０である。そのため、照合は、最初に、生体情報ＩＤ“ＢＭ０１０１”に対応する照合用生体情報、次に、その他の照合用生体情報という順で照合が行なわれる。照合認証処理Ｂでは、ステップＳ４２１の照合認証処理Ａと同様に、一致度合いが判定され、認証成功または認証失敗が判定される。その後、ステップＳ４１４に進む。
【０２６６】
ステップＳ４１４では、前述したのと同様な処理が行なわれるので詳細な説明は繰り返さない。その後、ステップＳ４２０に進む。
【０２６７】
ステップＳ４２０では、前述したのと同様な処理が行なわれるので詳細な説明は繰り返さない。ここでは、ＹＥＳと判定されたとして、ステップＳ４２１に進む。
【０２６８】
ステップＳ４２１では、前述したのと同様な処理が行なわれるので詳細な説明は繰り返さない。その後、ステップＳ４３０に進む。
【０２６９】
ステップＳ４３０では、前述したのと同様な処理が行なわれるので詳細な説明は繰り返さない。ここでは、照合認証処理Ｂにおいて、認証成功と判定されたとして、ステップＳ４３８に進む。
【０２７０】
ステップＳ４３０では、前述したのと同様な処理が行なわれるので詳細な説明は繰り返さない。その後、この照合認証処理Ｔは終了し、図２７の認証処理Ｔに戻り、認証処理Ｔも終了する。
【０２７１】
なお、同一の島金庫３００（認証端末）において、担当者ＩＤが異なる複数の貨幣回収担当者の各々が、島金庫３００を開錠状態にするために、常に同じ体の一部（たとえば、人指し指）を使用するのではなく、たまに、異なる体の一部（たとえば、左人指し指）を使用して、島金庫３００を開錠状態にするために、認証処理Ｔが繰返し行なわれたとする。
【０２７２】
この場合、前述した図２７の認証処理Ｔおよび図２８の照合認証処理Ｔが繰返し行なわれることにより、島金庫３００の記憶部３２０に記憶されている複数生体情報登録テーブルは、たとえば、以下の複数生体情報登録テーブルＤ５１０Ａとなる。
【０２７３】
図３３は、一例としての複数生体情報登録テーブルＤ５１０Ａを示す図である。複数生体情報登録テーブルＤ５１０Ａは、図３２の複数生体情報登録テーブルＤ５１０と比較して、「照合回数」の項目の情報が異なる。それ以外は、複数生体情報登録テーブルＤ５１０と同様なので詳細な説明は繰り返さない。
【０２７４】
次に、記憶部３２０に複数生体情報登録テーブルＤ５１０Ａが記憶されている状態で、担当者ＩＤが“１１０１”の貨幣回収担当者が、認証端末としての島金庫３００を開錠状態にする操作を行なったとする。
【０２７５】
再び、図２７を参照して、認証処理Ｔでは、まず、ステップＳ４００の処理が行なわれる。
【０２７６】
ステップＳ４００では、前述したのと同様な処理が行なわれるので詳細な説明は繰り返さない。ここでは、担当者ＩＤが“１１０１”の貨幣回収担当者により、前述と同様な担当者ＩＤ入力操作が行なわれたとして、ステップＳ４０１に進む。
【０２７７】
ステップＳ４０１では、前述したのと同様な処理が行なわれるので詳細な説明は繰り返さない。ここでは、有効なＩＤと判定されて、ステップＳ４０２に進む。
【０２７８】
ステップＳ４０２では、前述したのと同様な処理が行なわれるので詳細な説明は繰り返さない。生体情報取得部３５０に、貨幣回収担当者の右人指し指が、生体情報取得部３５０に接触されたとする。この場合、生体情報取得部３５０は、接触した体の一部をデータ化した生体情報を、制御部３１０へ送信する。これにより、ステップＳ４０２において、ＹＥＳと判定され、ステップＳ４０４に進み、照合認証処理Ｔが行なわれる。
【０２７９】
再び、図２８を参照して、ステップＳ４１０では、前述したのと同様な処理が行なわれるので詳細な説明は繰り返さない。ここでは、複数生体情報登録テーブルにおいて、貨幣回収担当者の担当者ＩＤに対応する「有効フラグ」が「オン」であるとして、ステップＳ４１１に進む。
【０２８０】
ステップＳ４１１では、前述したように、複数生体情報登録テーブルにおいて、貨幣回収担当者の担当者ＩＤに対応する複数の生体情報ＩＤのうちの少なくとも１つの生体情報ＩＤに、照合回数情報が関連付けられているか否かが判定される。ここで、複数生体情報登録テーブルは、図３３の複数生体情報登録テーブルＤ５１０Ａであるとする。この場合、照合回数情報が関連付けられていると判定されて、ステップＳ４１１において、ＹＥＳと判定され、ステップＳ４１３に進む。
【０２８１】
ステップＳ４１３では、前述した照合認証処理Ｂが行なわれる。照合認証処理Ｂでは、制御部３１０が、前述の処理により、生体情報取得部３５０から受信した生体情報と、複数生体情報登録テーブルにおいて、貨幣回収担当者の担当者ＩＤに対応する複数の生体情報ＩＤのうち、関連付けられている照合回数の多い生体情報ＩＤに対応する照合用生体情報とから順に、照合し、一致度合いを判定する。なお、照合する処理、一致度合いを判定する処理は、ステップＳ４２１の照合認証処理Ａと同様なので詳細な説明は繰り返さない。
【０２８２】
具体的には、制御部３１０が、図３３に示す複数生体情報登録テーブルＤ５１０Ａにおいて、前記入力された担当者ＩＤに対応付けて登録されている照合回数を参照し、照合回数が最大の生体情報ＩＤに対応する照合用生体情報と、前記取得した生体情報とを照合する。照合の結果、認証成功であれば、照合認証処理Ｂを終了し、次のステップに進む。一方、認証失敗であった場合には、制御部３１０は、照合回数が次に大きい生体情報ＩＤに対応する照合用生体情報により照合を行なう。そして、認証失敗が続く限り、照合回数が最小の生体情報ＩＤに対応する照合用生体情報まで順に照合を行なって、照合認証処理Ｂを終了する。
【０２８３】
ここで、複数生体情報登録テーブルは、図３３の複数生体情報登録テーブルＤ５１０Ａである。そのため、照合は、生体情報ＩＤ“ＢＭ０１０１”，“ＢＭ０１０２”，“ＢＭ０１０３”，“ＢＭ０１０４”の順で、生体情報ＩＤ“ＢＭ０１０１”，“ＢＭ０１０２”，“ＢＭ０１０３”，“ＢＭ０１０４”の各々に対応する照合用生体情報の順で照合が行なわれる。ステップＳ４１３以降の処理は、前述したのと同様なので詳細な説明は繰り返さない。
【０２８４】
したがって、照合回数の多い生体情報ＩＤに対応する照合用生体情報から順に照合が行なわれる。すなわち、貨幣回収担当者の使用頻度が高い体の一部の照合用生体情報から順に照合が行なわれるため、無駄な照合が行なわれる可能性が低くなり、認証時間を短縮することができるという効果を奏する。
【０２８５】
（複数の貨幣回収担当者の生体情報を、選択された認証端末へ送信する処理）
次に、図７の生体情報取得装置５９０において取得された複数の貨幣回収担当者の生体情報を、選択された島金庫３００（認証端末）へ送信するための処理について説明する。ここで、管理装置５００では、前述した図８のステップＳ１３０，ステップＳ１４２の処理が繰返し行なわれることにより、複数の貨幣回収担当者の生体情報が取得され、記憶部５２０に、複数の生体情報登録テーブルから構成される複数生体情報登録テーブルと、複数生体情報登録テーブルを構成する複数の生体情報登録テーブルの各々に示される「生体情報ＩＤ」により特定される全ての生体情報とが記憶されているとする。ここで、記憶部５２０に記憶されている複数生体情報登録テーブルは、図２４の複数生体情報登録テーブルＤ５００であるとする。ここで、管理装置５００の表示部５３０には、図１８の登録画像Ｇ２００Ｃが表示されているとする。
【０２８６】
再び、図２０を参照して、管理装置５００が行なう生体情報送信処理Ｓでは、まず、ステップＳ２１０の処理が行なわれる。
【０２８７】
ステップＳ２１０では、前述したのと同様な処理が行なわれるので詳細な説明は繰り返さない。ここで、選択操作があったとする。この場合、ステップＳ２１０において、ＹＥＳと判定され、ステップＳ２１１に進む。この場合、選択操作は、図１８の端末一覧画像Ｇ２７０に表示される複数の「チェック」のうち、１つにチェックマークを表示するための操作であるとする。この場合の選択操作は、１台の島金庫３００（認証端末）を選択するための操作となる。なお、選択操作は、２台以上の島金庫３００（認証端末）を選択するための操作であってもよい。
【０２８８】
ステップＳ２１１では、前述したのと同様な処理が行なわれるので詳細な説明は繰り返さない。この処理により、表示部５３０に、以下の登録画像Ｇ２００Ｅが表示される。
【０２８９】
図３４は、一例としての登録画像Ｇ２００Ｅを示す図である。図３４を参照して、登録画像Ｇ２００Ｅは、図１８の登録画像Ｇ２００Ｃと比較して、端末一覧画像Ｇ２７０の代わりに端末一覧画像Ｇ２７０Ｅが配置される点が異なる。それ以外は、登録画像Ｇ２００Ｃと同様なので詳細な説明は繰り返さない。
【０２９０】
端末一覧画像Ｇ２７０Ｄは、端末一覧画像Ｇ２７０と比較して、１つの「チェック」の欄にチェックマークが表示されている点が異なる。それ以外は、端末一覧画像Ｇ２７０と同様なので詳細な説明は繰り返さない。
【０２９１】
再び、図２０を参照して、ステップＳ２１１の処理の後、ステップＳ２２０に進む。
ステップＳ２２０では、前述したのと同様な処理が行なわれるので詳細な説明は繰り返さない。ここでは、ここでは、表示部５３０に、図３４の登録画像Ｇ２００Ｅが表示されている状態で、生体情報送信操作があったとして、ステップＳ２２１に進む。
【０２９２】
ステップＳ２２１では、制御部５１０が、記憶部５２０に記憶されている、複数生体情報登録テーブルＤ５００と、複数生体情報登録テーブルＤ５００を構成する複数の生体情報登録テーブルの各々に示される「生体情報ＩＤ」により特定される全ての生体情報とを、照合用生体情報として、端末一覧画像Ｇ２７０Ｄにおいてチェックマークが表示されている端末ＩＤ“ＭＢ００１”に対応する島金庫３００（認証端末）へ送信する。ここで、送信される照合用生体情報としての生体情報登録テーブルは、複数生体情報登録テーブルＤ５００であるとする。この場合、送信される照合用生体情報としての全ての生体情報は、複数生体情報登録テーブルＤ５００を構成する複数の生体情報登録テーブルの各々に示される「生体情報ＩＤ」により特定される全ての生体情報である。
【０２９３】
端末ＩＤが“ＭＢ００１”である島金庫３００（認証端末）が行なう生体情報受信処理Ｔでは、まず、ステップＳ２６０の処理が行なわれる。ここでは、照合用生体情報を受信したとして、ステップＳ２６１に進む。受信された照合用生体情報は、複数生体情報登録テーブルＤ５００と、複数生体情報登録テーブルＤ５００を構成する複数の生体情報登録テーブルの各々に示される「生体情報ＩＤ」により特定される全ての生体情報である。
【０２９４】
ステップＳ２６１では、前述したの同様な処理が行なわれるので詳細な説明は繰り返さない。この処理により、記憶部３２０に照合用生体情報が登録される。記憶部３２０に記憶される照合用生体情報は、複数生体情報登録テーブルＤ５００と、複数生体情報登録テーブルＤ５００を構成する複数の生体情報登録テーブルの各々に示される「生体情報ＩＤ」により特定される全ての生体情報である。
【０２９５】
ステップＳ２６２では、前述したのと同様な処理が行なわれるので詳細な説明は繰り返さない。この処理により、端末ＩＤ“ＭＢ００１”を含む登録完了通知が、管理装置５００へ送信されるとする。
【０２９６】
管理装置５００では、ステップＳ２２１の処理の後、ステップＳ２３０に進む。
ステップＳ２３０では、前述したのと同様な処理が行なわれるので詳細な説明は繰り返さない。ここでは、端末ＩＤ“ＭＢ００１”を含む登録完了通知を受信したとして、ステップＳ２３１に進む。
【０２９７】
ステップＳ２３１では、前述したのと同様な処理が行なわれるので詳細な説明は繰り返さない。この処理により、記憶部５２０には、図２５の登録生体情報管理テーブルＤ６００が記憶されるとする。ステップＳ２３１の処理の後、ステップＳ２３２に進む。
【０２９８】
ステップＳ２３２では、制御部５１０が、照合用生体情報を送信した全ての島金庫３００（認証端末）の各々から、登録完了通知の受信を完了したか否かを判定する。ここでは、全ての島金庫３００（認証端末）（端末ＩＤが“ＭＢ００１”の島金庫３００（認証端末））から、登録完了通知の受信を完了したとして、ステップＳ２３３に進む。
【０２９９】
ステップＳ２３３では、前述したのと同様な処理が行なわれるので詳細な説明は繰り返さない。
【０３００】
したがって、管理装置５００において、選択操作および生体情報送信操作といった簡単な操作を行なうことで、選択した島金庫３００（認証端末）において、複数の貨幣回収担当者の照合用生体情報が登録される。ここで、登録される照合用生体情報は、複数生体情報登録テーブルＤ５００と、複数生体情報登録テーブルＤ５００を構成する複数の生体情報登録テーブルの各々に示される「生体情報ＩＤ」により特定される全ての生体情報とである。
【０３０１】
したがって、複数の貨幣回収担当者の照合用生体情報を、選択した特定の島金庫３００（認証端末）に登録するための作業負担が軽減される。すなわち、照合を行なうための照合用生体情報を認証端末に登録する際の手間を軽減できるという効果を奏する。
【０３０２】
次に、管理装置５００において、生体情報の登録が実施された後の起動処理（起動処理ＳＡ）について説明する。ここで、管理装置５００では、前述した図８のステップＳ１３０，ステップＳ１４２の処理が繰返し行なわれることにより、複数の貨幣回収担当者の生体情報が取得され、記憶部５２０に、複数の生体情報登録テーブルから構成される複数生体情報登録テーブルと、複数生体情報登録テーブルを構成する複数の生体情報登録テーブルの各々に示される「生体情報ＩＤ」により特定される全ての生体情報とが記憶されているとする。ここで、記憶部５２０に記憶されている複数生体情報登録テーブルは、図２４の複数生体情報登録テーブルＤ５００であるとする。
【０３０３】
また、管理装置５００では、前述の図２０の生体情報送信処理Ｓにおいて、複数の島金庫３００（認証端末）を選択するための選択操作があったことにより、ステップＳ２１０において、ＹＥＳと判定され、前述したステップＳ２１１からステップＳ２３３までの処理が繰返し行なわれることにより、記憶部５２０には、登録生体情報管理テーブルが記憶されているとする。ここで、登録生体情報管理テーブルは、図２６の登録生体情報管理テーブルＤ６００Ａであるとする。この場合、登録生体情報管理テーブルＤ６００Ａに示される複数の登録済み端末ＩＤは、前述の図２０の生体情報送信処理Ｓにおいて、複数の島金庫３００（認証端末）を選択するための選択操作があったことにより、ステップＳ２１０において、ＹＥＳと判定され、前述したステップＳ２１１からステップＳ２３３までの処理が行なわれることにより、登録されたＩＤである。
【０３０４】
ここで、登録生体情報管理テーブルＤ６００Ａにおける登録済み端末ＩＤの登録は、前述した生体情報送信処理Ｓのみではなく、生体情報登録処理において行なうことも可能である。具体的には、図１８の登録画像Ｇ２００Ｃに示すように担当者の生体情報の取得を行なった後に、同登録画像の端末一覧画像Ｇ２７０において端末を選択することなく、登録ボタン画像ＢＧ２５９を操作すると、前述したように、図２４に示す複数生体情報登録テーブルＤ５００が作成される。
【０３０５】
一方、登録画像Ｇ２００Ｃの端末一覧画像Ｇ２７０において、前記取得した生体情報を、照合用生体情報として記憶させる端末ＩＤに対応するチェック欄にチェックを入れた後に、登録ボタン画像ＢＧ２５９を操作すると、担当者ＩＤや前記取得した生体情報（に対応する生体情報ＩＤ）に対応付けて、チェックされた端末ＩＤが登録済み端末ＩＤとして、登録生体情報管理テーブルＤ６００Ａに記憶される。
【０３０６】
図３５は、起動処理ＳＡのフローチャートを示す。図３５を参照して、起動処理ＳＡは、図８の起動処理と比較して、ステップＳ１１１Ａ，Ｓ１９０Ａの処理がさらに行なわれる点が異なる。それ以外は、起動処理と同様なので詳細な説明は繰り返さない。以下、起動処理と異なる処理を、主に説明する。
【０３０７】
ステップＳ１１０では、前述したのと同様な処理が行なわれるので詳細な説明は繰り返さない。その後、ステップＳ１１１Ａに進む。つまり、管理装置５００の起動処理に伴って、ステップＳ１１１Ａの処理が実行される。
【０３０８】
ステップＳ１１１Ａでは、照合用生体情報送信処理ＳＡが行なわれる。照合用生体情報送信処理ＳＡでは、制御部５１０が、記憶部５２０に記憶されている、複数生体情報登録テーブルと、複数生体情報登録テーブルに示される「生体情報ＩＤ」により特定される全ての生体情報とを、照合用生体情報として、登録生体情報管理テーブル示される複数の登録済み端末ＩＤにそれぞれ対応する複数の島金庫３００（認証端末）へ送信する。
【０３０９】
具体的には、制御部５１０が、各担当者の生体情報登録テーブルと、該生体情報登録テーブルに登録された生体情報ＩＤに対応する生体情報（照合用生体情報）とを、各担当者の担当者ＩＤに対応付けて登録生体情報管理テーブルに記憶されている登録済み端末ＩＤの島金庫３００に送信する。
【０３１０】
ここで、登録生体情報管理テーブルは、図２６の登録生体情報管理テーブルＤ６００Ａであるとする。この場合、照合用生体情報送信処理ＳＡにより、登録生体情報管理テーブルＤ６００Ａに示される複数の登録済み端末ＩＤにそれぞれ対応する複数の島金庫３００（認証端末）へ、照合用生体情報が送信される。また、送信される照合用生体情報としての生体情報登録テーブルは、図２４の複数生体情報登録テーブルＤ５００であるとする。この場合、送信される照合用生体情報としての全ての生体情報は、複数生体情報登録テーブルＤ５００を構成する複数の生体情報登録テーブルの各々に示される「生体情報ＩＤ」により特定される全ての生体情報である。
【０３１１】
複数の島金庫３００（認証端末）の各々では、管理装置５００から送信される照合用生体情報を受信するための生体情報受信処理ＴＡが行なわれる。生体情報受信処理ＴＡは、他の処理とは、独立して行なわれる処理である。
【０３１２】
図３６は、生体情報受信処理ＴＡのフローチャートである。図３６を参照して、生体情報受信処理ＴＡは、図２０の生体情報受信処理Ｔと比較して、ステップＳ２６２の処理が行なわれない点が異なる。それ以外は、生体情報受信処理Ｔと同様なので詳細な説明は繰り返さない。
【０３１３】
ステップＳ２６０では、前述したのと同様な処理が行なわれるので詳細な説明は繰り返さない。ここでは、照合用生体情報を受信したとして、ステップＳ２６１に進む。受信された照合用生体情報は、図２４の複数生体情報登録テーブルＤ５００と、複数生体情報登録テーブルＤ５００を構成する複数の生体情報登録テーブルの各々に示される「生体情報ＩＤ」により特定される全ての生体情報である。
【０３１４】
ステップＳ２６１では、前述したのと同様な処理が行なわれるので詳細な説明は繰り返さない。この処理により、記憶部３２０に照合用生体情報が登録される。この処理により、島金庫３００（認証端末）において前述の認証処理（たとえば、図２７の認証処理Ｔ）により島金庫３００（認証端末）を開錠状態にすることが可能となる。その後、再度，ステップＳ２６０の処理が行なわれる。
【０３１５】
再び、図３５を参照して、管理装置５００が行なう起動処理ＳＡでは、ステップＳ１１１Ａの処理の後、ステップＳ１１４に進む。
【０３１６】
ステップＳ１１４では、前述したのと同様な処理が行なわれるので詳細な説明は繰り返さない。この処理により、表示部５３０には、以下のメイン画像Ｇ１００Ｂが表示されるとする。そして、ステップＳ１１４の処理は終了する。
【０３１７】
図３７は、一例としてのメイン画像Ｇ１００Ｂを示す図である。図３７を参照して、メイン画像Ｇ１００Ｂは、図９のメイン画像Ｇ１００と比較して、異常履歴画像Ｇ１１０の代わりに異常履歴画像Ｇ１１０Ｂが配置される点と、操作履歴画像Ｇ１３０の代わりに操作履歴画像Ｇ１３０Ｂが配置される点とが異なる。それ以外は、メイン画像Ｇ１００と同様なので詳細な説明は繰り返さない。
【０３１８】
異常履歴画像Ｇ１１０Ｂには、記憶部５２０に記憶されているログデータに基づいて、異常履歴情報が表示される。操作履歴画像Ｇ１３０Ｂには、記憶部５２０に記憶されているログデータに基づいて、操作履歴情報が表示される。
【０３１９】
再び、図３５を参照して、ステップＳ１１４の処理の後、ステップＳ１２０に進む。
ステップＳ１２０では、前述したのと同様な処理が行なわれるので詳細な説明は繰り返さない。ここでは、登録画像移行操作がないとする。この場合、ステップＳ１８０に進む。
【０３２０】
ステップＳ１８０では、前述したのと同様な処理が行なわれるので詳細な説明は繰り返さない。ここでは、前述した終了操作があるとする。この場合、ステップＳ１９０Ａに進む。なお、終了操作は、通常、遊技場の閉店処理において行なわれる。
【０３２１】
ステップＳ１９０Ａでは、終了処理ＳＡが行なわれる。また、以下においては、複数の島金庫３００（認証端末）の各々において行なわれる、管理装置５００から送信される、後述する削除指示ＳＡを受信するための処理を、削除指示受信処理ＴＡともいう。削除指示受信処理ＴＡは、他の処理とは、独立して行なわれる処理である。
【０３２２】
図３８は、終了処理ＳＡおよび削除指示受信処理ＴＡのフローチャートである。図３８を参照して、管理装置５００が行なう終了処理ＳＡでは、まず、ステップＳ１９２Ａの処理が行なわれる。
【０３２３】
ステップＳ１９２Ａでは、制御部５１０が、削除指示ＳＡを、全ての島金庫３００（認証端末）へ送信する。削除指示ＳＡは、前述の図３５のステップＳ１１１Ａの照合用生体情報送信処理ＳＡにおいて照合用生体情報を送信した全ての島金庫３００（認証端末）の各々の記憶部３２０に記憶されている照合用生体情報を削除するための指示である。その後、ステップＳ１９２Ａの処理は終了する。
【０３２４】
複数の島金庫３００（認証端末）の各々が行なう削除指示受信処理ＴＡでは、まず、ステップＳ２７０Ａの処理が行なわれる。ここで、複数の島金庫３００（認証端末）の各々の記憶部３２０には、前述の図３６のステップＳ２６１の処理により、照合用生体情報が記憶されているとする。照合用生体情報は、図２４の複数生体情報登録テーブルＤ５００と、複数生体情報登録テーブルＤ５００を構成する複数の生体情報登録テーブルの各々に示される「生体情報ＩＤ」により特定される全ての生体情報であるとする。
【０３２５】
ステップＳ２７０Ａでは、制御部３１０が、削除指示ＳＡを受信したか否かを判定する。ステップＳ２７０Ａにおいて、ＹＥＳならば、ステップＳ２７１Ａに進む。一方、ステップＳ２７０Ａにおいて、ＮＯならば、再度、ステップＳ２７０Ａの処理が行なわれる。ここでは、削除指示ＳＡを受信したとして、ステップＳ２７１Ａに進む。
【０３２６】
ステップＳ２７１Ａでは、照合用生体情報削除処理ＴＡが行なわれる。照合用生体情報削除処理ＴＡでは、制御部３１０が、記憶部３２０に記憶されている全ての照合用生体情報を削除する。ここで、削除される照合用生体情報は、図２４の複数生体情報登録テーブルＤ５００と、複数生体情報登録テーブルＤ５００を構成する複数の生体情報登録テーブルの各々に示される「生体情報ＩＤ」により特定される全ての生体情報である。その後、再度、ステップＳ２７０Ａの処理が行なわれる。
【０３２７】
この場合、複数生体情報登録テーブルＤ５１０Ａの担当者ＩＤや照合回数は削除されないので、照合回数は、前述の終了処理毎に、クリアされることのない累計値が記憶される。なお、照合回数は、所定期間（たとえば、１ヶ月）毎に、リセットされてもよい。
【０３２８】
管理装置５００では、ステップＳ１９２Ａの処理の後、この終了処理ＳＡは終了し、図３５の起動処理ＳＡに戻り、起動処理ＳＡも終了する。起動処理ＳＡが終了すると、管理装置５００の電源がオフとなる。
【０３２９】
以上説明したように、管理装置５００の起動処理時に、選択された複数の島金庫３００（認証端末）の各々に、照合用生体情報が送信され、選択された複数の島金庫３００（認証端末）の各々において、照合用生体情報の登録が行なわれる。そして、管理装置５００の終了処理時に、選択された複数の島金庫３００（認証端末）の各々に記憶されている照合用生体情報が削除される。
【０３３０】
したがって、管理装置５００の終了処理時に、自動的に、選択された複数の島金庫３００（認証端末）の各々に記憶されている照合用生体情報が削除される処理が行なわれる。その結果、管理装置５００が動作してないときに、複数の島金庫３００（認証端末）において、たとえば、不正者が、認証を行い、貨幣を取り出すために島金庫３００を開錠状態にすることが不可能となる。そのため、セキュリティを向上させることができるという効果を奏する。
【０３３１】
また、管理装置５００が動作してないときに、不正者が、島金庫３００（認証端末）から照合用生体情報を取り出して不正利用するといった行為を防ぐことができるという効果を奏する。
【０３３２】
また、管理装置５００の終了処理時に、当該管理装置５００とオフライン状態の島金庫３００（認証端末）が存在する場合、当該島金庫３００（認証端末）の記憶部３２０に記憶されている照合用生体情報は削除されない。したがって、たとえば、翌日においても、管理装置５００の起動処理時に、照合用生体情報が削除されなかった島金庫３００（認証端末）と、管理装置５００とがオフラインであっても、当該照合用生体情報が削除されなかった島金庫３００（認証端末）において、前述の認証処理（たとえば、図２７の認証処理Ｔ）により島金庫３００（認証端末）を開錠状態にすることができるという効果を奏する。
【０３３３】
また、動作中の管理装置５００に不足の自体（たとえば、故障等）が発生し、前述のステップＳ１９０Ａの終了処理ＳＡが行なわれなかった場合、複数の島金庫３００（認証端末）の記憶部３２０に記憶されている照合用生体情報は削除されない。したがって、たとえば、翌日においても、管理装置５００の発生した不足の自体が解消されず、前述のステップＳ１１１Ａの処理が行なわれなかったとしても、複数の島金庫３００（認証端末）の各々において、前述の認証処理（たとえば、図２７の認証処理Ｔ）により島金庫３００（認証端末）を開錠状態にすることができるという効果を奏する。
【０３３４】
なお、上記処理では、選択された複数の島金庫３００（認証端末）の各々に、照合用生体情報が送信される処理を説明したが、本発明はこれに限定されることはない。たとえば、管理装置５００の起動処理時に、データ通信可能な全ての島金庫３００（認証端末）の各々に、照合用生体情報が送信されてもよい。この場合、管理装置５００の終了処理時に、前述した図３５のステップＳ１９０Ａの処理が行なわれることにより、複数の島金庫３００（認証端末）の各々に記憶されている照合用生体情報が削除される。
【０３３５】
（管理装置の起動処理の他の例２）
次に、管理装置５００の電源がオンにされた場合のさらに他の例の処理（以下、起動処理ＳＢともいう）について説明する。ここで、管理装置５００では、前述した図８のステップＳ１３０，ステップＳ１４２の処理が繰返し行なわれることにより、複数の貨幣回収担当者の生体情報が取得され、記憶部５２０に、複数の生体情報登録テーブルから構成される複数生体情報登録テーブルと、複数生体情報登録テーブルを構成する複数の生体情報登録テーブルの各々に示される「生体情報ＩＤ」により特定される全ての生体情報とが記憶されているとする。ここで、記憶部５２０に記憶されている複数生体情報登録テーブルは、図２４の複数生体情報登録テーブルＤ５００であるとする。
【０３３６】
また、管理装置５００では、前述の図２０の生体情報送信処理Ｓにおいて、複数の島金庫３００（認証端末）を選択するための選択操作があったことにより、ステップＳ２１０において、ＹＥＳと判定され、前述したステップＳ２１１からステップＳ２３３までの処理が繰返し行なわれることにより、記憶部５２０には、登録生体情報管理テーブルが記憶されているとする。ここで、登録生体情報管理テーブルは、図２６の登録生体情報管理テーブルＤ６００Ａであるとする。この場合、登録生体情報管理テーブルＤ６００Ａに示される複数の登録済み端末ＩＤは、前述の図２０の生体情報送信処理Ｓにおいて、複数の島金庫３００（認証端末）を選択するための選択操作があったことにより、ステップＳ２１０において、ＹＥＳと判定され、前述したステップＳ２１１からステップＳ２３３までの処理が行なわれることにより、登録されたＩＤである。
【０３３７】
また、この場合、登録生体情報管理テーブルＤ６００Ａに示される複数の登録済み端末ＩＤにそれぞれ対応する複数の島金庫３００（認証端末）の各々の記憶部３２０には、前述の処理（たとえば、図２０で説明した処理）により、照合用生体情報が記憶されているとする。なお、図２０のステップＳ２２１では、管理装置５００が、「有効フラグ」の項目が全てオフである複数生体情報登録テーブル（たとえば、図２４の複数生体情報登録テーブルＤ５００において、「有効フラグ」の項目が全てオフであるテーブル）を、照合用生体情報として、複数の島金庫３００（認証端末）へ送信したとする。
【０３３８】
記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。なお、複数の島金庫３００（認証端末）の各々において、前述した図２８の照合認証処理Ｔが繰返し行なわれることにより、複数の島金庫３００（認証端末）の各々の記憶部５３０に記憶される、照合用生体情報としての複数生体情報登録テーブルは、以下の複数生体情報登録テーブルＤ５１０Ｂであるとする。
【０３３９】
図３９は、一例としての複数生体情報登録テーブルＤ５１０Ｂを示す図である。図３９を参照して、複数生体情報登録テーブルＤ５１０Ｂは、図３３の複数生体情報登録テーブルＤ５１０Ａと比較して、「有効フラグ」の項目が全てオフである点が異なる。それ以外は、複数生体情報登録テーブルＤ５１０Ａと同様なので詳細な説明は繰り返さない。
【０３４０】
したがって、記憶部３２０に記憶されている、複数生体情報登録テーブルＤ５１０Ｂを構成する複数の生体情報登録テーブルの各々に示される「生体情報ＩＤ」により特定される全ての照合用生体情報は、前述した認証処理（たとえば、図２７の認証処理Ｔ）に使用される場合、無効な情報となる。
【０３４１】
図４０は、起動処理ＳＢのフローチャートを示す。図４０を参照して、起動処理ＳＢは、図８の起動処理と比較して、ステップＳ１１１Ｂ，Ｓ１９０Ｂの処理がさらに行なわれる点が異なる。それ以外は、起動処理と同様なので詳細な説明は繰り返さない。以下、起動処理と異なる処理を、主に説明する。
【０３４２】
ステップＳ１１０では、前述したのと同様な処理が行なわれるので詳細な説明は繰り返さない。その後、ステップＳ１１１Ｂに進む。つまり、管理装置５００の起動処理に伴って、ステップＳ１１１Ｂの処理が実行される。
【０３４３】
ステップＳ１１１Ｂでは、照合用生体情報有効化処理ＳＢが行なわれる。照合用生体情報有効化処理ＳＢでは、制御部５１０が、記憶部５２０に記憶されている、登録生体情報管理テーブルに示される「生体情報ＩＤ」により特定される全ての照合用生体情報を有効化するための有効化指示ＳＢを、登録生体情報管理テーブル示される複数の登録済み端末ＩＤにそれぞれ対応する複数の島金庫３００（認証端末）へ送信する。
【０３４４】
ここで、登録生体情報管理テーブルは、図２６の登録生体情報管理テーブルＤ６００Ａである。したがって、照合用生体情報有効化処理ＳＢにより、登録生体情報管理テーブルＤ６００Ａに示される複数の登録済み端末ＩＤにそれぞれ対応する複数の島金庫３００（認証端末）へ、有効化指示ＳＢが送信される。
【０３４５】
複数の島金庫３００（認証端末）の各々では、管理装置５００から送信される有効化指示ＳＢを受信するための有効化指示受信処理ＴＢが行なわれる。有効化指示受信処理ＴＢは、他の処理とは、独立して行なわれる処理である。
【０３４６】
図４１は、有効化指示受信処理ＴＢのフローチャートである。図４１を参照して、ステップＳ２８０では、制御部３１０が、有効化指示ＳＢを受信したか否かを判定する。ステップＳ２８０において、ＹＥＳならば、ステップＳ２８１に進む。一方、ステップＳ２８０において、ＮＯならば、再度、ステップＳ２８０の処理が行なわれる。ここでは、有効化指示ＳＢを受信したとして、ステップＳ２８１に進む。
【０３４７】
ステップＳ２８１では、照合用生体情報有効化処理ＴＢが行なわれる。照合用生体情報有効化処理ＴＢでは、制御部３１０が、記憶部３２０に記憶されている、複数生体情報登録テーブルに示される「生体情報ＩＤ」により特定される全ての照合用生体情報を有効化する。具体的には、制御部３１０が、記憶部３２０に記憶されている、複数生体情報登録テーブルに示される「有効フラグ」の項目を全てオンとする。
【０３４８】
ここで、複数生体情報登録テーブルは、図３９の複数生体情報登録テーブルＤ５１０Ｂであるとする。この場合、複数生体情報登録テーブルＤ５１０Ｂに示される「有効フラグ」の項目が全てオンとされる。この処理により記憶部３２０に記憶されている複数生体情報登録テーブルＤ５１０Ｂは、図３３の複数生体情報登録テーブルＤ５１０Ａとなる。すなわち、複数生体情報登録テーブルＤ５１０Ａに示される「生体情報ＩＤ」により特定される、記憶部３２０に記憶されている、全ての照合用生体情報が有効化される。
【０３４９】
この処理により、島金庫３００（認証端末）において前述の認証処理（たとえば、図２７の認証処理Ｔ）により島金庫３００（認証端末）を開錠状態にすることが可能となる。その後、再度，ステップＳ２８０の処理が行なわれる。
【０３５０】
再び、図４０を参照して、管理装置５００が行なう起動処理ＳＢでは、ステップＳ１１０Ｂの処理の後、ステップＳ１１４に進む。ステップＳ１１４では、前述したのと同様な処理が行なわれるので詳細な説明は繰り返さない。この処理により、表示部５３０には、図３７のメイン画像Ｇ１００Ｂが表示されるとする。そして、ステップＳ１１４の処理は終了し、ステップＳ１２０に進む。
【０３５１】
ステップＳ１２０では、前述したのと同様な処理が行なわれるので詳細な説明は繰り返さない。ここでは、登録画像移行操作がないとする。この場合、ステップＳ１８０に進む。
【０３５２】
ステップＳ１８０では、前述したのと同様な処理が行なわれるので詳細な説明は繰り返さない。ここでは、前述した終了操作があるとする。この場合、ステップＳ１９０Ｂに進む。
【０３５３】
ステップＳ１９０Ｂでは、終了処理ＳＢが行なわれる。また、以下においては、複数の島金庫３００（認証端末）の各々において行なわれる、管理装置５００から送信される、後述する無効化指示ＳＢを受信するための処理を、無効化指示受信処理ＴＢともいう。無効化指示受信処理ＴＢは、他の処理とは、独立して行なわれる処理である。
【０３５４】
図４２は、終了処理ＳＢおよび無効化指示受信処理ＴＢのフローチャートである。図４２を参照して、管理装置５００が行なう終了処理ＳＡでは、まず、ステップＳ１９２Ｂの処理が行なわれる。
【０３５５】
ステップＳ１９２Ｂでは、制御部５１０が、無効化指示ＳＢを、記憶部５２０に記憶されている登録生体情報管理テーブルに示される複数の登録済み端末ＩＤにそれぞれ対応する複数の島金庫３００（認証端末）へ送信する。ここで登録生体情報管理テーブルは、図２６の登録生体情報管理テーブルＤ６００Ａであるとする。無効化指示ＳＢは、前述の図４０のステップＳ１１１Ｂの照合用生体情報有効化処理ＳＢにおいて有効化指示ＳＢを送信した全ての島金庫３００（認証端末）の各々の記憶部３２０に記憶されている照合用生体情報を無効化するための指示である。その後、ステップＳ１９２Ｂの処理は終了する。
【０３５６】
複数の島金庫３００（認証端末）の各々が行なう無効化指示受信処理ＴＢでは、まず、ステップＳ２７０Ｂの処理が行なわれる。なお、記憶部３２０には、前述した図４１のステップＳ２８１の処理により、図３３の複数生体情報登録テーブルＤ５１０Ａが記憶されているとする。すなわち、複数生体情報登録テーブルＤ５１０Ａに示される「生体情報ＩＤ」により特定される、記憶部５２０に記憶されている、全ての照合用生体情報が有効である。
【０３５７】
ステップＳ２７０Ｂでは、制御部３１０が、無効化指示ＳＢを受信したか否かを判定する。ステップＳ２７０Ｂにおいて、ＹＥＳならば、ステップＳ２７１Ｂに進む。一方、ステップＳ２７０Ｂにおいて、ＮＯならば、再度、ステップＳ２７０Ｂの処理が行なわれる。ここでは、無効化指示ＳＢを受信したとして、ステップＳ２７１Ｂに進む。
【０３５８】
ステップＳ２７１Ｂでは、照合用生体情無効化処理ＴＢが行なわれる。照合用生体情無効化処理ＴＢでは、制御部３１０が、記憶部３２０に記憶されている、複数生体情報登録テーブルに示される「生体情報ＩＤ」により特定される全ての照合用生体情報を無効化する。具体的には、制御部３１０が、記憶部３２０に記憶されている、複数生体情報登録テーブルに示される「有効フラグ」の項目を全てオフとする。ここで、複数生体情報登録テーブルは、図３３の複数生体情報登録テーブルＤ５１０Ａであるとする。この場合、複数生体情報登録テーブルＤ５１０Ａに示される「有効フラグ」の項目が全てオフとされる。この処理により記憶部３２０に記憶されている複数生体情報登録テーブルＤ５１０Ａは、図３９の複数生体情報登録テーブルＤ５１０Ｂとなる。すなわち、複数生体情報登録テーブルＤ５１０Ｂに示される「生体情報ＩＤ」により特定される、記憶部３２０に記憶されている、全ての照合用生体情報が無効化される。その後、再度、ステップＳ２７０Ｂの処理が行なわれる。
【０３５９】
管理装置５００では、ステップＳ１９２Ｂの処理の後、この終了処理ＳＢは終了し、図４０の起動処理ＳＢに戻り、起動処理ＳＢも終了する。起動処理ＳＢが終了すると、管理装置５００の電源がオフとなる。
【０３６０】
以上説明したように、管理装置５００の起動処理時に、選択された複数の島金庫３００（認証端末）の各々に、有効化指示ＳＢが送信され、選択された複数の島金庫３００（認証端末）の各々において、無効であった照合用生体情報を有効にする処理が行なわれる。そして、管理装置５００の終了処理時に、選択された複数の島金庫３００（認証端末）の各々に記憶されている照合用生体情報が無効化される。
【０３６１】
したがって、管理装置５００の終了処理時に、自動的に、選択された複数の島金庫３００（認証端末）の各々に記憶されている照合用生体情報が無効化される処理が行なわれる。その結果、管理装置５００が動作してないときに、複数の島金庫３００（認証端末）において、たとえば、不正者が、認証を行い、貨幣を取り出すために島金庫３００を開錠状態にすることが不可能となる。そのため、セキュリティを向上させることができるという効果を奏する。
【０３６２】
なお、上記処理では、選択された複数の島金庫３００（認証端末）へ有効化指示ＳＢおよび無効化指示ＳＢを送信する処理を説明したが、本発明はこれに限定されることはない。たとえば、管理装置５００の起動処理時に、データ通信可能な全ての島金庫３００（認証端末）の各々に、有効化指示ＳＢが送信されてもよい。この場合、管理装置５００の終了処理時に、前述した図４０のステップＳ１９０Ｂの処理が行なわれることにより、無効化指示ＳＢが、データ通信可能な全ての島金庫３００（認証端末）の各々に送信されることにより、複数の島金庫３００（認証端末）の各々に記憶されている全ての照合用生体情報が無効化される。
【０３６３】
（認証端末の起動処理）
次に、遊技場４０００内の複数の島金庫３００（認証端末）の各々において、電源がオンにされた場合に行なわれる処理（以下、起動処理Ｔともいう）について説明する。この場合、複数の島金庫３００（認証端末）の各々の記憶部３２０には、前述の処理により、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。ここで、照合用生体情報としての複数生体情報登録テーブルは、前述の図４２のステップＳ１９２Ｂ，Ｓ２７１Ｂが行なわれることにより、図３９の複数生体情報登録テーブルＤ５１０Ｂであるとする。
【０３６４】
したがって、記憶部３２０に記憶されている、複数生体情報登録テーブルＤ５１０Ｂを構成する複数の生体情報登録テーブルの各々に示される「生体情報ＩＤ」により特定される全ての照合用生体情報は、前述した認証処理（たとえば、図２７の認証処理Ｔ）に使用される場合、無効な情報となる。
【０３６５】
図４３は、起動処理Ｔのフローチャートを示す。図４３を参照して、ステップＳ６１０では、制御部３１０が、島金庫３００（認証端末）と管理装置５００との間での通信状況が、通信不能状態（オフライン）であるか否かを判定する。ステップＳ６１０において、ＹＥＳならば、ステップＳ６１２に進む。一方、ステップＳ６１０において、ＮＯならば、この起動処理Ｔは終了する。ステップＳ６１０において、ＮＯと判定される場合は、島金庫３００（認証端末）と管理装置５００との間での通信状況が、通信可能状態（オンライン）である場合である。ここでは、通信不能状態と判定されたとして、ステップＳ６１２に進む。
【０３６６】
ここで、ステップＳ６１０における通信状況の判定処理は、管理装置５００の起動と、島金庫３００の起動の時間差を考慮して、島金庫３００の起動から所定時間（たとえば、１５分）継続して行なわれる。なお、島金庫３００において、起動時刻を設定しておき、当該起動時刻になることで、自動的に起動処理が行なわれるようにしてもよい。この場合には、起動時刻を管理装置５００の起動時刻と同時期に設定することで、ステップＳ６１０の処理の継続時間を短縮することができる。
【０３６７】
ステップＳ６１２では、照合用生体情報が無効であるか否かが判定される。具体的には、制御部３１０が、記憶部３２０に記憶されている複数生体情報登録テーブルを構成する複数の生体情報登録テーブルの各々に示される「生体情報ＩＤ」により特定される全ての照合用生体情報が無効であるか否かを判定する。すなわち、複数生体情報登録テーブルに示される「有効フラグ」の項目が全てオフであるか否かが判定される。ステップＳ６１２において、ＹＥＳならば、ステップＳ６１４に進む。一方、ステップＳ６１２において、ＮＯならば、この起動処理Ｔは終了する。ここで、複数生体情報登録テーブルは図３９の複数生体情報登録テーブルＤ５１０Ｂであるとする。この場合、ステップＳ６１２において、ＹＥＳと判定されて、ステップＳ６１４に進む。
【０３６８】
ステップＳ６１４では、照合用生体情報有効化処理ＴＢが行なわれる。照合用生体情報有効化処理ＴＢは、図４１のステップＳ２８１と同様な処理が行なわれるので詳細な説明は繰り返さない。ここで、記憶部３２０に記憶されている複数生体情報登録テーブルは、図３９の複数生体情報登録テーブルＤ５１０Ｂであるとする。この場合、この処理により、複数生体情報登録テーブルＤ５１０Ｂに示される「有効フラグ」の項目が全てオンとされる。この処理により記憶部３２０に記憶されている複数生体情報登録テーブルＤ５１０Ｂは、図３３の複数生体情報登録テーブルＤ５１０Ａとなる。すなわち、複数生体情報登録テーブルＤ５１０Ａに示される「生体情報ＩＤ」により特定される、記憶部３２０に記憶されている、全ての照合用生体情報が有効化される。
【０３６９】
この処理により、島金庫３００（認証端末）において前述の認証処理（たとえば、図２７の認証処理Ｔ）により島金庫３００（認証端末）を開錠状態にすることが可能となる。そして、この起動処理Ｔは終了する。
【０３７０】
以上説明したように、島金庫３００（認証端末）と管理装置５００との間での通信状況が、通信不能状態（オフライン）の場合、当該島金庫３００（認証端末）において、照合用生体情報を有効化する。したがって、たとえば、管理装置５００が、たとえば、故障等により機能していない場合においても、前述の認証処理（たとえば、図２７の認証処理Ｔ）により島金庫３００（認証端末）を開錠状態にすることができるという効果を奏する。
【０３７１】
また、島金庫３００（認証端末）において、照合用生体情報を有効化する処理は、照合用生体情報が無効化されている場合に行なわれる。したがって、たとえば、管理装置５００の不正終了等により、前述した図４０の起動処理ＳＢのステップＳ１９０Ｂが行なわれず、記憶部３２０に記憶されている照合用生体情報が有効のまま、島金庫３００（認証端末）が電源オフとなった場合、照合用生体情報を有効化するといった、無駄な処理を行なうことを防止することができる。
【０３７２】
（特定の照合用生体情報の削除）
次に、複数の島金庫３００（認証端末）の各々の記憶部３２０に記憶されている複数の照合用生体情報のうち、特定の貨幣回収担当者の照合用生体情報を削除するための処理について説明する。この場合、管理装置５００において行なわれる処理を、以下においては、照合用生体情報削除処理Ｓともいう。また、この場合、複数の島金庫３００（認証端末）の各々において行なわれる処理を、以下においては、照合用生体情報削除処理Ｔともいう。
【０３７３】
ここで、複数の島金庫３００（認証端末）の各々の記憶部３２０には、前述の処理により、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。ここで、照合用生体情報としての複数生体情報登録テーブルは、図３３の複数生体情報登録テーブルＤ５１０Ａであるとする。
【０３７４】
また、管理装置５００の記憶部５２０には、前述の処理により、図２６の登録生体情報管理テーブルＤ６００Ａが記憶されているとする。なお、管理装置５００の表示部５３０には、図８、図３５および図４０のいずれかの処理により、図１８の登録画像Ｇ２００Ｃが表示されているとする。
【０３７５】
図４４は、照合用生体情報削除処理Ｓおよび照合用生体情報削除処理Ｔのフローチャートである。照合用生体情報削除処理Ｓおよび照合用生体情報削除処理Ｔの各々は、他の処理とは独立して行なわれる処理である。図４４を参照して、管理装置５００が行なう照合用生体情報削除処理Ｓでは、まず、ステップＳ７１０の処理が行なわれる。
【０３７６】
ステップＳ７１０では、制御部５１０が、選択操作があるか否かを判定する。ここで、選択操作は、図１８の登録画像Ｇ２００Ｃ内の登録者一覧画像Ｇ２６０に表示される複数の「チェック」の欄のうち少なくとも１つをクリックすることにより、チェックマークを表示するためのインターフェース操作Ｐである。ステップＳ７１０において、ＹＥＳならば、ステップＳ７１１に進む。一方、ステップＳ７１０において、ＮＯならば、再度、ステップＳ７１０の処理が行なわれる。ここでは、選択操作があったとして、ステップＳ７１１に進む。
【０３７７】
ここで、選択操作は、図１８の登録者一覧画像Ｇ２６０に表示される複数の「チェック」の欄のうち、担当者ＩＤ“１１０１”に対応する「チェック」の欄にチェックマークを表示するためのインターフェース操作Ｐであるとする。この場合、選択操作が行なわれることにより、チェックマークが表示された「チェック」の欄に対応する担当者ＩＤの入力が、制御部５１０により受付けられることになる。
【０３７８】
ステップＳ７１１では、選択処理Ｓが行なわれる。選択処理Ｓでは、選択操作に基づいて、制御部５１０が、ＶＤＰ５３２を利用して、以下の登録画像Ｇ２００Ｅを生成し、登録画像Ｇ２００Ｅを、表示部５３０に表示させる。そして、ステップＳ７１１の処理は終了する。
【０３７９】
図４５は、一例としての登録画像Ｇ２００Ｅを示す図である。図４５を参照して、登録画像Ｇ２００Ｅは、図１８の登録画像Ｇ２００Ｃと比較して、登録者一覧画像Ｇ２６０の代わりに登録者一覧画像Ｇ２６０Ｅが配置される点が異なる。それ以外は、登録画像Ｇ２００Ｃと同様なので詳細な説明は繰り返さない。
【０３８０】
登録者一覧画像Ｇ２６０Ｅは、登録者一覧画像Ｇ２６０と比較して、担当者ＩＤ“１１０１”に対応する「チェック」の欄にチェックマークが表示されている点が異なる。それ以外は、登録者一覧画像Ｇ２６０と同様なので詳細な説明は繰り返さない。
【０３８１】
再び、図４４を参照して、管理装置５００が行なう照合用生体情報削除処理Ｓでは、ステップＳ７１１の処理の後、ステップＳ７２０に進む。
【０３８２】
ステップＳ７２０では、制御部５１０が、照合用生体情報削除操作があるか否かを判定する。照合用生体情報削除操作は、生体情報を削除するためのボタン画像ＢＧ２９３を押下処理するためのインターフェース操作Ｐである。ステップＳ７２０において、ＹＥＳならば、ステップＳ７２３に進む。一方、ステップＳ７２０において、ＮＯならば、再度、ステップＳ７２０の処理が行なわれる。ここでは、表示部５３０に登録画像Ｇ２００Ｅが表示されている状態で、照合用生体情報削除操作があったとして、ステップＳ７２３に進む。
【０３８３】
ステップＳ７２３では、制御部５１０が、削除指示ＳＢを、記憶部５２０に記憶されている登録生体情報管理テーブルにおいて、前述の選択操作により受付けられた担当者ＩＤに対応する複数の登録済み端末ＩＤにそれぞれ対応する複数の島金庫３００（認証端末）へ送信する。ここで、前述の選択操作により受付けられた担当者ＩＤは、図４５の登録者一覧画像Ｇ２６０Ｅのチェックマークが表示されている「チェック」の欄に対応する担当者ＩＤ“１１０１”であるとする。
【０３８４】
ここで登録生体情報管理テーブルは、図２６の登録生体情報管理テーブルＤ６００Ａであるとする。削除指示ＳＢは、島金庫３００（認証端末）の記憶部３２０に記憶されている照合用生体情報を削除するための指示である。なお、送信される削除指示ＳＢには、受付けられた担当者ＩＤが含まれる。なお、削除指示ＳＢに含まれる担当者ＩＤは、“１１０１”であるとする。
【０３８５】
なお、前述の選択操作により複数の担当者ＩＤが受付けられた場合は、登録生体情報管理テーブルにおいて、受付けられた各担当者ＩＤに対応する複数の登録済み端末ＩＤにそれぞれ対応する複数の島金庫３００（認証端末）へ削除指示ＳＢが送信される。
【０３８６】
複数の島金庫３００（認証端末）の各々が行なう照合用生体情報削除処理Ｔでは、まず、ステップＳ７６０の処理が行なわれる。なお、前述したように、記憶部３２０には、照合用生体情報が記憶されているとする。照合用生体情報は、図３３の複数生体情報登録テーブルＤ５１０Ａと、複数生体情報登録テーブルＤ５１０Ａを構成する複数の生体情報登録テーブルの各々に示される「生体情報ＩＤ」により特定される全ての生体情報であるとする。
【０３８７】
また、本実施の形態では、登録者一覧画像Ｇ２６０Ｅに一覧表示された担当者ＩＤに対応するチェック欄の選択を受付けることで、担当者ＩＤの入力を受付けているが、担当者ＩＤの入力欄を設け、キーボード等により直接入力を受付けてもよい。
【０３８８】
ステップＳ７６０では、制御部３１０が、削除指示ＳＢを受信したか否かを判定する。ステップＳ７６０において、ＹＥＳならば、ステップＳ７６１に進む。一方、ステップＳ７６０において、ＮＯならば、再度、ステップＳ７６０の処理が行なわれる。ここでは、削除指示ＳＢを受信したとして、ステップＳ７６１に進む。なお、受信した削除指示ＳＢには、識別情報としての担当者ＩＤ“１１０１”が含まれるとする。
【０３８９】
ステップＳ７６１では、照合用生体情報削除処理ＴＢが行なわれる。照合用生体情報削除処理ＴＢでは、制御部３１０が、記憶部３２０に記憶されている複数生体情報登録テーブルにおいて、削除指示ＳＢに含まれる担当者ＩＤに対応する複数の生体情報ＩＤにより特定される全ての照合用生体情報と、複数生体情報登録テーブルを構成する複数の生体情報登録テーブルにおいて、削除指示ＳＢに含まれる担当者ＩＤに対応する生体情報登録テーブルを削除する。
【０３９０】
ここで、複数生体情報登録テーブルは、図３３の複数生体情報登録テーブルＤ５１０Ａであるとする。また、削除指示ＳＢに含まれる担当者ＩＤは“１１０１”である。この場合、複数生体情報登録テーブルＤ５１０Ａにおいて、担当者ＩＤ“１１０１” に対応する生体情報ＩＤ“ＢＭ０１０１”，“ＢＭ０１０２”，“ＢＭ０１０３”，“ＢＭ０１０４”によりそれぞれ特定される複数の照合用生体情報と、複数生体情報登録テーブルＤ５１０Ａを構成する複数の生体情報登録テーブルにおいて、担当者ＩＤ“１１０１” に対応する生体情報登録テーブルが削除される。したがって、図３３の複数生体情報登録テーブルＤ５１０Ａは、担当者ＩＤ“１１０１” に対応する生体情報登録テーブルが削除されたテーブルとなる。その後、再度、ステップＳ７６０の処理が行なわれる。
【０３９１】
再び、管理装置５００では、ステップＳ７２３の処理の後、この照合用生体情報削除処理Ｓは終了する。
【０３９２】
以上説明したように、管理装置５００において、特定の貨幣回収担当者の担当者ＩＤを選択するための選択操作、照合用生体情報削除操作という簡単な操作を行なうことだけで、複数の島金庫３００（認証端末）の各々において、記憶部３２０に記憶されている複数の照合用生体情報のうち、特定の貨幣回収担当者の照合用生体情報を削除することができる。
【０３９３】
すなわち、担当者ＩＤを指定するだけで、複数の島金庫３００（認証端末）の各々において、当該指定した担当者ＩＤに対応する全ての照合用生体情報が削除されるので、照合用生体情報を削除する際の手間を軽減できるという効果を奏する。
【０３９４】
（特定の照合用生体情報の無効化）
次に、複数の島金庫３００（認証端末）の各々の記憶部３２０に記憶されている複数の照合用生体情報のうち、特定の貨幣回収担当者の照合用生体情報を無効化するための処理について説明する。この場合、管理装置５００において行なわれる処理を、以下においては、照合用生体情報無効化処理Ｓともいう。また、この場合、複数の島金庫３００（認証端末）の各々において行なわれる処理を、以下においては、照合用生体情報無効化処理Ｔともいう。
【０３９５】
ここで、複数の島金庫３００（認証端末）の各々の記憶部３２０には、前述の処理により、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。ここで、照合用生体情報としての複数生体情報登録テーブルは、図３３の複数生体情報登録テーブルＤ５１０Ａであるとする。
【０３９６】
また、管理装置５００の記憶部５２０には、前述の処理により、図２６の登録生体情報管理テーブルＤ６００Ａが記憶されているとする。なお、管理装置５００の表示部５３０には、図８、図３５および図４０のいずれかの処理により、以下の登録画像Ｇ２００Ｆが表示されているとする。
【０３９７】
図４６は、一例としての登録画像Ｇ２００Ｆを示す図である。図４６を参照して、登録画像Ｇ２００Ｆは、図１８の登録画像Ｇ２００Ｃと比較して、ボタン画像ＢＧ２９４がさらに配置される点が異なる。それ以外は、登録画像Ｇ２００Ｃと同様なので詳細な説明は繰り返さない。
【０３９８】
ボタン画像ＢＧ２９４は、インターフェース操作Ｐにより押下処理されることで、生体情報を無効化するためのボタン画像である。
【０３９９】
図４７は、照合用生体情報無効化処理Ｓおよび照合用生体情報無効化処理Ｔのフローチャートである。照合用生体情報無効化処理Ｓおよび照合用生体情報無効化処理Ｔの各々は、他の処理とは独立して行なわれる処理である。図４７を参照して、照合用生体情報無効化処理Ｓは、図４４の照合用生体情報削除処理Ｓと比較して、ステップＳ７２０の代わりにステップＳ７２０Ｂの処理が行なわれる点と、ステップＳ７２３の代わりにステップＳ７２３Ｂの処理が行なわれる点とが異なる。それ以外は、照合用生体情報無効化処理Ｓと同様なので詳細な説明は繰り返さない。以下、照合用生体情報無効化処理Ｓと異なる処理を、主に説明する。
【０４００】
図４７を参照して、管理装置５００が行なう照合用生体情報無効化処理Ｓでは、まず、ステップＳ７１０の処理が行なわれる。
【０４０１】
ステップＳ７１０では、前述したのと同様な処理が行なわれるので詳細な説明は繰り返さない。ここでは、選択操作があったとして、ステップＳ７１１に進む。この場合、選択操作は、図４６の登録画像Ｇ２００Ｆ内の登録者一覧画像Ｇ２６０に表示される複数の「チェック」の欄のうち、担当者ＩＤ“１１０１”に対応する「チェック」の欄にチェックマークを表示するためのインターフェース操作Ｐであるとする。この場合、選択操作が行なわれることにより、チェックマークが表示された「チェック」の欄に対応する担当者ＩＤの入力が、制御部５１０により受付けられることになる。
【０４０２】
ステップＳ７１１では、選択処理Ｓが行なわれる。選択処理Ｓでは、選択操作に基づいて、制御部５１０が、ＶＤＰ５３２を利用して、以下の登録画像Ｇ２００Ｇを生成し、登録画像Ｇ２００Ｇを、表示部５３０に表示させる。そして、ステップＳ７１１の処理は終了する。
【０４０３】
図４８は、一例としての登録画像Ｇ２００Ｇを示す図である。図４８を参照して、登録画像Ｇ２００Ｇは、図４６の登録画像Ｇ２００Ｆと比較して、登録者一覧画像Ｇ２６０の代わりに登録者一覧画像Ｇ２６０Ｇが配置される点が異なる。それ以外は、登録画像Ｇ２００Ｆと同様なので詳細な説明は繰り返さない。
【０４０４】
登録者一覧画像Ｇ２６０Ｇは、登録者一覧画像Ｇ２６０と比較して、担当者ＩＤ“１１０１”に対応する「チェック」の欄にチェックマークが表示されている点が異なる。それ以外は、登録者一覧画像Ｇ２６０と同様なので詳細な説明は繰り返さない。
【０４０５】
再び、図４７を参照して、管理装置５００が行なう照合用生体情報無効化処理Ｓでは、ステップＳ７１１の処理の後、ステップＳ７２０Ｂに進む。
【０４０６】
ステップＳ７２０Ｂでは、制御部５１０が、照合用生体情報無効化操作があるか否かを判定する。照合用生体情報無効化操作は、生体情報を無効化するためのボタン画像ＢＧ２９４を押下処理するためのインターフェース操作Ｐである。ステップＳ７２０Ｂにおいて、ＹＥＳならば、ステップＳ７２３Ｂに進む。一方、ステップＳ７２０Ｂにおいて、ＮＯならば、再度、ステップＳ７２０Ｂの処理が行なわれる。ここでは、表示部５３０に登録画像Ｇ２００Ｇが表示されている状態で、照合用生体情報無効化操作があったとして、ステップＳ７２３Ｂに進む。
【０４０７】
ステップＳ７２３Ｂでは、制御部５１０が、無効化指示ＳＢを、記憶部５２０に記憶されている登録生体情報管理テーブルにおいて、前述の選択操作により受付けられた担当者ＩＤに対応する複数の登録済み端末ＩＤにそれぞれ対応する複数の島金庫３００（認証端末）へ送信する。ここで、前述の選択操作により受付けられた担当者ＩＤは、図４８の登録者一覧画像Ｇ２６０Ｇのチェックマークが表示されている「チェック」の欄に対応する担当者ＩＤ“１１０１”であるとする。
【０４０８】
ここで登録生体情報管理テーブルは、図２６の登録生体情報管理テーブルＤ６００Ａであるとする。無効化指示ＳＢは、島金庫３００（認証端末）の各々の記憶部３２０に記憶されている照合用生体情報を無効化するための指示である。なお、送信される無効化指示ＳＢには、受付けられた担当者ＩＤが含まれる。なお、無効化指示ＳＢに含まれる担当者ＩＤは、“１１０１”であるとする。
【０４０９】
なお、前述の選択操作により複数の担当者ＩＤが受付けられた場合は、登録生体情報管理テーブルにおいて、受付けられた各担当者ＩＤに対応する複数の登録済み端末ＩＤにそれぞれ対応する複数の島金庫３００（認証端末）へ無効化指示ＳＢが送信される。
【０４１０】
複数の島金庫３００（認証端末）の各々が行なう照合用生体情報無効化処理Ｔでは、まず、ステップＳ７６０Ｂの処理が行なわれる。なお、前述したように、記憶部３２０には、照合用生体情報が記憶されているとする。照合用生体情報は、図３３の複数生体情報登録テーブルＤ５１０Ａと、複数生体情報登録テーブルＤ５１０Ａを構成する複数の生体情報登録テーブルの各々に示される「生体情報ＩＤ」により特定される全ての生体情報であるとする。
【０４１１】
ステップＳ７６０Ｂでは、制御部３１０が、無効化指示ＳＢを受信したか否かを判定する。ステップＳ７６０Ｂにおいて、ＹＥＳならば、ステップＳ７６１Ｂに進む。一方、ステップＳ７６０Ｂにおいて、ＮＯならば、再度、ステップＳ７６０Ｂの処理が行なわれる。ここでは、無効化指示ＳＢを受信したとして、ステップＳ７６１Ｂに進む。なお、受信した無効化指示ＳＢには、識別情報としての担当者ＩＤ“１１０１”が含まれるとする。
【０４１２】
ステップＳ７６１Ｂでは、照合用生体情報無効化処理ＴＢＡが行なわれる。照合用生体情報無効化処理ＴＢＡでは、制御部３１０が、記憶部３２０に記憶されている複数生体情報登録テーブルにおいて、無効化指示ＳＢに含まれる担当者ＩＤに対応する「有効フラグ」をオフにする。
【０４１３】
ここで、複数生体情報登録テーブルは、図３３の複数生体情報登録テーブルＤ５１０Ａであるとする。また、削除指示ＳＢに含まれる担当者ＩＤは“１１０１”である。この場合、複数生体情報登録テーブルＤ５１０Ａにおいて、担当者ＩＤ“１１０１” に対応する「有効フラグ」がオフにされる。この処理により、複数生体情報登録テーブルＤ５１０Ａは、以下の複数生体情報登録テーブルＤ５１０Ｃとなる。
【０４１４】
図４９は、一例としての複数生体情報登録テーブルＤ５１０Ｃを示す図である。図４９を参照して、複数生体情報登録テーブルＤ５１０Ｃは、図３３の複数生体情報登録テーブルＤ５１０Ａと比較して、担当者ＩＤ“１１０１” に対応する「有効フラグ」がオフである点が異なる。それ以外は、複数生体情報登録テーブルＤ５１０Ａと同様なので詳細な説明は繰り返さない。
【０４１５】
すなわち、複数生体情報登録テーブルＤ５１０Ｃにおいて、担当者ＩＤ“１１０１” に対応する生体情報ＩＤ“ＢＭ０１０１”，“ＢＭ０１０２”，“ＢＭ０１０３”，“ＢＭ０１０４”によりそれぞれ特定される複数の照合用生体情報が無効化される。その後、再度、ステップＳ７６０Ｂの処理が行なわれる。
【０４１６】
再び、管理装置５００では、ステップＳ７２３Ｂの処理の後、この照合用生体情報無効化処理Ｓは終了する。
【０４１７】
以上説明したように、特定の貨幣回収担当者の担当者ＩＤを選択するための選択操作、照合用生体情報無効化操作という簡単な操作を行なうことだけで、複数の島金庫３００（認証端末）の各々において、記憶部３２０に記憶されている複数の照合用生体情報のうち、特定の貨幣回収担当者の照合用生体情報を無効化することができる。
【０４１８】
すなわち、担当者ＩＤを指定するだけで、複数の島金庫３００（認証端末）の各々において、当該指定した担当者ＩＤに対応する全ての照合用生体情報が無効化されるので、照合用生体情報を無効化する際の手間を軽減できるという効果を奏する。
【０４１９】
＜第２の実施の形態＞
本実施の形態では、貨幣回収担当者の出社および退社に基づいて行なわれる処理について説明する。
【０４２０】
図５０は、本実施の形態における生体情報照合システム１００００Ａの構成一例を示す図である。図５０を参照して、生体情報照合システム１００００Ａは、図１の生体情報照合システム１００００と比較して、管理事務所３０００の代わりに管理事務所３０００Ａが含まれる点が異なる。それ以外は、生体情報照合システム１００００と同様なので詳細な説明は繰り返さない。
【０４２１】
管理事務所３０００Ａは、図１の管理事務所３０００と比較して、さらに、出社退社判定装置６００が設置されている点が異なる。それ以外は、管理事務所３０００と同様なので詳細な説明は繰り返さない。出社退社判定装置６００は、従業員等の出社および退社を判定する機能を有する。出社退社判定装置６００は、たとえば、タイムレコーダである。出社退社判定装置６００は、管理装置５００の通信部５６２（図７参照）と通信ケーブルにより接続される。
【０４２２】
出社退社判定装置６００は、本発明の受付け手段の一例であって、担当者ＩＤが記録されたカード（以下、ＩＤカードともいう）を、非接触で読取る機能を有する。ＩＤカードは、たとえば、社員証である。なお、ＩＤカードは、社員証に限定されることなく、他のものであってもよい。出社退社判定装置６００に、ＩＤカードを近づけると、出社退社判定装置６００は、ＩＤカードに記憶された担当者ＩＤを読取る。そして、出社退社判定装置６００は、読取った担当者ＩＤを、管理装置５００へ送信する機能を有する。なお、出社退社判定装置６００の外部には、テンキーが設けられていてもよい。この場合、テンキーの押下操作により、担当者ＩＤが入力されてもよい。この場合、出社退社判定装置６００は、入力された担当者ＩＤを、管理装置５００へ送信する。
【０４２３】
出社退社判定装置６００は、出社モードおよび退社モードを有する。出社モードおよび退社モードの切換えは、出社退社判定装置６００の外部に設けられた図示しないボタンの押下操作により行なわれる。
【０４２４】
なお、出社退社判定装置６００は、時刻に応じて、出社モードおよび退社モードが自動的に切換えられてもよい。また、出社退社判定装置６００は、ＩＤカードの読取り時に、担当者が、出社モードおよび退社モードにそれぞれ対応する複数のボタン（図示せず）のうち、いずれかのボタン選択により、出社モードおよび退社モードが切換えられてもよい。
【０４２５】
出社モードの出社退社判定装置６００において、ＩＤカードが近づけられると、出社退社判定装置６００は、ＩＤカードを有する担当者が出社したことを示す出社情報を、管理装置５００へ送信する。なお、出社情報には、出社退社判定装置６００がＩＤカードから読取った担当者ＩＤが含まれる。また、退社モードの出社退社判定装置６００において、ＩＤカードが近づけられると、出社退社判定装置６００は、ＩＤカードを有する担当者が退社したことを示す退社情報を、管理装置５００へ送信する。なお、退社情報には、出社退社判定装置６００がＩＤカードから読取った担当者ＩＤが含まれる。
【０４２６】
本実施の形態における、管理装置５００、島金庫３００、台間機２１０および貨幣搬送装置４００の構成および機能は、第１の実施の形態において、説明した構成および機能と同様なので詳細な説明は繰り返さない。
【０４２７】
（出社時および退社時の処理）
次に、貨幣回収担当者の出社時および退社時における処理（以下、出社時退社時処理ともいう）について説明する。以下においては、管理装置５００で行なわれる出社時退社時処理を、出社時退社時処理Ｓともいう。ここで、貨幣回収担当者の担当者ＩＤは、“１１０１”であるとする。また、貨幣回収担当者が有するＩＤカードには、担当者ＩＤ“１１０１”が記憶されているとする。
【０４２８】
ここで、管理装置５００での記憶部５２０には、前述した処理により、登録生体情報管理テーブルが記憶されているとする。ここで、登録生体情報管理テーブルは、図２６の登録生体情報管理テーブルＤ６００Ａであるとする。
【０４２９】
また、登録生体情報管理テーブルＤ６００Ａに示される複数の登録済み端末ＩＤにそれぞれ対応する複数の島金庫３００（認証端末）の各々の記憶部３２０には、前述の図２０の生体情報送信処理Ｓまたは図３５のステップＳ１１１Ａの照合用生体情報送信処理ＳＡにより、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。ここで、照合用生体情報としての複数生体情報登録テーブルは、図３９の複数生体情報登録テーブルＤ５１０Ｂであるとする。すなわち、記憶部３２０に記憶されている、複数生体情報登録テーブルＤ５１０Ｂを構成する複数の生体情報登録テーブルの各々に示される「生体情報ＩＤ」により特定される全ての照合用生体情報は、前述した認証処理（たとえば、図２７の認証処理Ｔ）に使用される場合、無効な情報となる。
【０４３０】
つまり、島金庫３００は、当該島金庫３００（対象機器）の操作を許可されている担当者それぞれの照合用生体情報を、記憶手段としての記憶部３２０に記憶している。
【０４３１】
図５１は、出社時退社時処理Ｓのフローチャートである。図５１を参照して、ステップＳ１１１０では、制御部５１０が、出社情報を受信したか否かが判定される。ステップＳ１１１０において、ＹＥＳならば、ステップＳ１１１２に進む。一方、ステップＳ１１１０において、ＮＯならば、後述するステップＳ１１２０に進む。
【０４３２】
ここで、出社モードの出社退社判定装置６００に、貨幣回収担当者がＩＤカードを近づけたとする。この場合、出社退社判定装置６００は、当該ＩＤカードに記憶されている担当者ＩＤを読取り、当該担当者ＩＤを含む出社情報を、管理装置５００へ送信する。この場合、制御部５１０が、出社情報を受信したと判定し、ステップＳ１１１２に進む。ここで、出社退社判定装置６００に読取られた担当者ＩＤは、“１１０１”であるとする。したがって、受信された出社情報には、担当者ＩＤ“１１０１”が含まれるとする。
【０４３３】
つまり、制御部５１０は、出社退社判定装置６００から出社情報を受信することに基づいて、該出社情報に含まれる担当者ＩＤの担当者の出社を判定する。
【０４３４】
ステップＳ１１１２では、制御部５１０が、受信した出社情報に含まれる担当者ＩＤを含む有効化指示ＳＣを、記憶部５２０に記憶されている登録生体情報管理テーブルにおいて、受信した出社情報に含まれる担当者ＩＤ（“１１０１”）に対応する複数の登録済み端末ＩＤにそれぞれ対応する複数の島金庫３００（認証端末）へ送信する。
【０４３５】
ここで登録生体情報管理テーブルは、図２６の登録生体情報管理テーブルＤ６００Ａであるとする。有効化指示ＳＣは、島金庫３００（認証端末）の記憶部３２０に記憶されている照合用生体情報を有効化するための指示である。なお、送信される有効化指示ＳＣには、受信された出社情報に含まれる担当者ＩＤが含まれる。ここで、受信された出社情報には、担当者ＩＤ“１１０１”が含まれる。したがって、送信される有効化指示ＳＣには、担当者ＩＤ“１１０１”が含まれる。そして、ステップＳ１１１２の処理は終了する。
【０４３６】
複数の島金庫３００（認証端末）の各々では、管理装置５００から送信される有効化指示ＳＣを受信するための有効化指示受信処理ＴＣが行なわれる。有効化指示受信処理ＴＣは、他の処理とは、独立して行なわれる処理である。
【０４３７】
図５２は、有効化指示受信処理ＴＣのフローチャートである。図５２を参照して、ステップＳ１１５０では、制御部３１０が、有効化指示ＳＣを受信したか否かを判定する。ステップＳ１１５０において、ＹＥＳならば、ステップＳ１１５１に進む。一方、ステップＳ１１５０において、ＮＯならば、再度、ステップＳ１１５０の処理が行なわれる。ここでは、有効化指示ＳＣを受信したとして、ステップＳ１１５１に進む。
【０４３８】
ステップＳ１１５１では、照合用生体情報有効化処理ＴＣが行なわれる。照合用生体情報有効化処理ＴＣでは、制御部３１０が、記憶部３２０に記憶されている複数生体情報登録テーブルにおいて、有効化指示ＳＣに含まれる担当者ＩＤに対応する「有効フラグ」をオンにする。
【０４３９】
ここで、複数生体情報登録テーブルは、図３９の複数生体情報登録テーブルＤ５１０Ｂであるとする。また、有効化指示ＳＣに含まれる担当者ＩＤは“１１０１”である。この場合、複数生体情報登録テーブルＤ５１０Ｂにおいて、担当者ＩＤ“１１０１” に対応する「有効フラグ」がオンにされる。この処理により、複数生体情報登録テーブルＤ５１０Ｂは、以下の複数生体情報登録テーブルＤ５１０Ｄとなる。
【０４４０】
図５３は、一例としての複数生体情報登録テーブルＤ５１０Ｄを示す図である。図５３を参照して、複数生体情報登録テーブルＤ５１０Ｄは、図３９の複数生体情報登録テーブルＤ５１０Ｂと比較して、担当者ＩＤ“１１０１” に対応する「有効フラグ」がオンである点が異なる。それ以外は、複数生体情報登録テーブルＤ５１０Ｂと同様なので詳細な説明は繰り返さない。
【０４４１】
すなわち、複数生体情報登録テーブルＤ５１０Ｄにおいて、担当者ＩＤ“１１０１” に対応する生体情報ＩＤ“ＢＭ０１０１”，“ＢＭ０１０２”，“ＢＭ０１０３”，“ＢＭ０１０４”によりそれぞれ特定される複数の照合用生体情報が有効化される。その後、再度、ステップＳ１１５０の処理が行なわれる。
【０４４２】
以上説明した有効化指示受信処理ＴＣが、複数の島金庫３００（認証端末）の各々で行なわれることにより、複数の島金庫３００（認証端末）の記憶部３２０に記憶されている複数の照合用生体情報のうち、出社が判定された貨幣回収担当者のみに対応する複数の照合用生体情報が有効化される。
【０４４３】
再び、図５１を参照して、ステップＳ１１１２の処理の後、ステップＳ１１２０に進む。
【０４４４】
ステップＳ１１２０では、制御部５１０が、退社情報を受信したか否かが判定される。ステップＳ１１２０において、ＹＥＳならば、ステップＳ１１２２に進む。一方、ステップＳ１１２０において、ＮＯならば、再度、ステップＳ１１１０の処理が行なわれる。
【０４４５】
ここで、退社モードの出社退社判定装置６００に、貨幣回収担当者がＩＤカードを近づけたとする。この場合、出社退社判定装置６００は、当該ＩＤカードに記憶されている担当者ＩＤを読取り、当該担当者ＩＤを含む退社情報を、管理装置５００へ送信する。この場合、制御部５１０が、退社情報を受信したと判定し、ステップＳ１１２２に進む。ここで、出社退社判定装置６００に読取られた担当者ＩＤは、“１１０１”であるとする。したがって、受信された出社情報には、担当者ＩＤ“１１０１”が含まれるとする。
【０４４６】
つまり、制御部５１０は、出社退社判定装置６００から退社情報を受信することに基づいて、該退社情報に含まれる担当者ＩＤの担当者の退社を判定する。
【０４４７】
ステップＳ１１２２では、制御部５１０が、受信した退社情報に含まれる担当者ＩＤを含む無効化指示ＳＣを、記憶部５２０に記憶されている登録生体情報管理テーブルにおいて、受信した出社情報に含まれる担当者ＩＤ（“１１０１”）に対応する複数の登録済み端末ＩＤにそれぞれ対応する複数の島金庫３００（認証端末）へ送信する。
【０４４８】
ここで登録生体情報管理テーブルは、図２６の登録生体情報管理テーブルＤ６００Ａであるとする。無効化指示ＳＣは、島金庫３００（認証端末）の記憶部３２０に記憶されている照合用生体情報を無効化するための指示である。なお、送信される無効化指示ＳＣには、受信された退社情報に含まれる担当者ＩＤが含まれる。ここで、受信された退社情報には、担当者ＩＤ“１１０１”が含まれる。したがって、送信される無効化指示ＳＣには、担当者ＩＤ“１１０１”が含まれる。そして、ステップＳ１１２２の処理は終了する。
【０４４９】
複数の島金庫３００（認証端末）の各々では、管理装置５００から送信される無効化指示ＳＣを受信するための無効化指示受信処理ＴＣが行なわれる。無効化指示受信処理ＴＣは、他の処理とは、独立して行なわれる処理である。
【０４５０】
図５４は、無効化指示受信処理ＴＣのフローチャートである。図５４を参照して、ステップＳ１１６０では、制御部３１０が、無効化指示ＳＣを受信したか否かを判定する。ステップＳ１１６０において、ＹＥＳならば、ステップＳ１１６１に進む。一方、ステップＳ１１６０において、ＮＯならば、再度、ステップＳ１１６０の処理が行なわれる。ここでは、無効化指示ＳＣを受信したとして、ステップＳ１１６１に進む。
【０４５１】
ステップＳ１１６１では、照合用生体情報無効化処理ＴＣが行なわれる。照合用生体情報無効化処理ＴＣでは、制御部３１０が、記憶部３２０に記憶されている複数生体情報登録テーブルにおいて、無効化指示ＳＣに含まれる担当者ＩＤに対応する「有効フラグ」をオフにする。
【０４５２】
ここで、記憶部３２０に記憶されている複数生体情報登録テーブルは、前述の処理により、図５３の複数生体情報登録テーブルＤ５１０Ｄであるとする。また、無効化指示ＳＣに含まれる担当者ＩＤは“１１０１”である。この場合、複数生体情報登録テーブルＤ５１０Ｄにおいて、担当者ＩＤ“１１０１” に対応する「有効フラグ」がオフにされる。この処理により、複数生体情報登録テーブルＤ５１０Ｄは、図３９の複数生体情報登録テーブルＤ５１０Ｂとなる。
【０４５３】
すなわち、複数生体情報登録テーブルＤ５１０Ｄにおいて、担当者ＩＤ“１１０１” に対応する生体情報ＩＤ“ＢＭ０１０１”，“ＢＭ０１０２”，“ＢＭ０１０３”，“ＢＭ０１０４”によりそれぞれ特定される複数の照合用生体情報が無効化される。
【０４５４】
以上説明した無効化指示受信処理ＴＣが、複数の島金庫３００（認証端末）の各々で行なわれることにより、複数の島金庫３００（認証端末）の記憶部３２０に記憶されている複数の照合用生体情報のうち、退社が判定された貨幣回収担当者のみに対応する複数の照合用生体情報が無効化される。
【０４５５】
再び、図５１を参照して、ステップＳ１１２２の処理の後、再度、ステップＳ１１１０の処理が行なわれる。
【０４５６】
（認証端末における認証処理の他の例）
次に、複数の島金庫３００（認証端末）の各々において行なわれる、担当者の本人認証を行なうための認証処理（以下、認証処理ＴＣともいう）について説明する。なお、前述の処理により、認証端末としての島金庫３００の記憶部３２０には、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。
【０４５７】
ここで、照合用生体情報としての複数生体情報登録テーブルは、前述の処理が行なわれることにより、図５３の複数生体情報登録テーブルＤ５１０Ｄであるとする。この場合、記憶部５２０には、複数生体情報登録テーブルＤ５１０Ｄと、複数生体情報登録テーブルＤ５１０Ｄを構成する複数の生体情報登録テーブルの各々に示される「生体情報ＩＤ」により特定される全ての照合用生体情報が記憶される。
【０４５８】
図５５は、認証処理ＴＣのフローチャートである。図５５を参照して、認証処理ＴＣは、図２７の認証処理Ｔと比較して、ステップＳ４００，Ｓ４０１，Ｓ４０４の処理が行なわれない点が異なる。また、認証処理ＴＣは、図２８の照合認証処理Ｔと比較して、ステップＳ４１０，Ｓ４１１，Ｓ４１３の処理が行なわれない点と、ステップＳ４１２の代わりにステップＳ４１２Ｃの処理が行なわれる点と、ステップＳ４３０の代わりにステップＳ４３０Ｃの処理が行なわれる点とが異なる。認証処理Ｔおよび認証処理ＴＣにおいて、同じステップ番号を示す処理は認証処理Ｔおよび認証処理ＴＣと同様なので詳細な説明は繰り返さない。
【０４５９】
以下、認証処理Ｔおよび認証処理ＴＣと異なる処理を、主に説明する。
ステップＳ４０２では、前述したのと同様な処理が行なわれるので詳細な説明は繰り返さない。ここで、生体情報取得部３５０に、貨幣回収担当者の右人指し指が、生体情報取得部３５０に接触されたとする。この場合、生体情報取得部３５０は、接触した体の一部をデータ化した生体情報を、制御部３１０へ送信する。これにより、ステップＳ４０２において、ＹＥＳと判定されて、ステップＳ４１２Ｃに進む。この場合、制御部３１０が受信した生体情報は、貨幣回収担当者の右人指し指の指紋をデータ化した情報（たとえば、指紋の画像）である。
【０４６０】
ステップＳ４１２Ｃでは、担当者の本人認証を行なうための照合認証処理Ｃが行なわれる。照合認証処理Ｃでは、制御部３１０が、前述の処理により、生体情報取得部３５０から受信した生体情報と、複数生体情報登録テーブルにおいて、「有効フラグ」がオンとなっている担当者ＩＤに対応する複数の生体情報ＩＤにそれぞれ対応する複数の照合用生体情報の各々とを照合し、一致度合いを判定する。すなわち、受信した生体情報と、複数の照合用生体情報のうち、有効な照合用生体情報のみとの照合が行なわれる。一致度合いの判定方法は、図２８のステップＳ４１２の照合認証処理Ａと同様なので詳細な説明は繰り返さない。
【０４６１】
したがって、受信した生体情報と、無効な照合用生体情報との照合を行なうといった無駄な処理が行なわれないので、照合に要する時間を大幅に短縮することができるという効果を奏する。
【０４６２】
ここで、本実施の形態の照合認証処理Ｃでは、担当者ＩＤの入力を受付けることなく、取得した生体情報と有効化されている各担当者の照合用生体情報との照合が順に行なわれるが、その際、各担当者の複数の照合用生体情報については、図２８のステップＳ４１３の照合認証処理Ｂと同様に、対応する照合回数が大きいものから順に照合が行なわれる。
【０４６３】
なお、本実施の形態においても、担当者ＩＤの入力を受付け、受付けた担当者ＩＤに対応する担当者ＩＤに対応する有効化フラグがオンになっているか否か（有効化されているか否か）を判定し、有効化されている場合に、当該担当者ＩＤに対応付けて記憶されている照合用生体情報と、取得した生体情報との照合を行なうようにしてもよい。
【０４６４】
制御部３１０は、受信した生体情報と、有効な照合用生体情報との一致度合いにおいて、１つでも前述した認証成功判定しきい値以上の一致度合いがあると、認証成功と判定する。すなわち、本人認証が成功と判定される。一方、制御部３１０は、受信した生体情報と、有効な照合用生体情報との一致度合いにおいて、認証成功判定しきい値以上の一致度合いが１つもない場合、認証失敗と判定する。すなわち、本人認証が失敗と判定される。
【０４６５】
ここで、制御部３１０が生体情報取得部３５０から受信した生体情報は、貨幣回収担当者の右人指し指の指紋をデータ化した情報（たとえば、指紋の画像）であるとする。また、複数生体情報登録テーブルは、図５３の複数生体情報登録テーブルＤ５１０Ｄである。この場合、この照合認証処理Ｃでは、制御部３１０により、受信した生体情報と、複数生体情報登録テーブルＤ５１０Ｄにおいて、「有効フラグ」がオンとなっている担当者ＩＤ“１１０１”に対応する複数の生体情報ＩＤ“ＢＭ０１０１”，“ＢＭ０１０２”，“ＢＭ０１０３”，“ＢＭ０１０４”によりそれぞれ特定される複数の照合用生体情報の各々との一致度合いが判定される。
【０４６６】
ここでは、判定された一致度合いは、９８％であるとする。したがって、一致度合いが９８％であると判定されるのに使用された生体情報は、貨幣回収担当者の右人指し指の指紋をデータ化した情報（たとえば、指紋の画像）である。また、この場合、制御部３１０により認証成功と判定されたとする。制御部５１０により、認証の結果が判定されると、照合認証処理Ｃは終了し、ステップＳ４１４に進む。
【０４６７】
ステップＳ４１４では、前述した図２８のステップＳ４１４の処理と同様な処理が行なわれるので詳細な説明は繰り返さない。この処理により、認証結果情報が、管理装置５００へ送信される。そして、ステップＳ４２０に進む。
【０４６８】
管理装置５００では、前述した図３０の認証結果情報受信処理Ｓが行なわれことにより、表示部５３０に認証結果が表示される。
【０４６９】
ステップＳ４２０では、前述した図２８のステップＳ４２０の処理と同様な処理が行なわれるので詳細な説明は繰り返さない。この処理により、制御部３１０が、前述の照合認証処理Ｃにおいて判定された一致度合いが、前述した生体情報取得部位判定しきい値以上であるか否かを判定する。ステップＳ４２０において、ＹＥＳならば、ステップＳ４２１に進む。一方、ステップＳ４２０において、ＮＯならば、ステップＳ４３０Ｃに進む。ここでは、ＹＥＳと判定されて、ステップＳ４２１に進むとする。
【０４７０】
ステップＳ４２１では、前述した図２８のステップＳ４２１の処理と同様な処理が行なわれるので詳細な説明は繰り返さない。そして、ステップＳ４３０Ｃに進む。
【０４７１】
ステップＳ４３０Ｃでは、前述の照合認証処理Ｃにおいて、認証成功と判定されたか否かを判定する。ステップＳ４３０Ｃにおいて、ＹＥＳならば、ステップＳ４３８に進む。一方、ステップＳ４３０Ｃにおいて、ＮＯならば、後述するステップＳ４３９に進む。ここでは、照合認証処理Ｃにおいて、認証成功と判定されたとして、ステップＳ４３８に進む。
【０４７２】
ステップＳ４３８では、前述した図２８のステップＳ４３８の開錠処理が行なわれるので詳細な説明は繰り返さない。この処理により、島金庫３００が開錠状態となる。すなわち、島金庫３００の前面扉ＣＰ３１０が開閉可能状態となる。すなわち、貨幣回収担当者が、前面扉ＣＰ３１０の開閉を行なうことが可能となる。すなわち、貨幣回収担当者が、対象機器としての島金庫３００の前面扉ＣＰ３１０の開閉操作が許可される。
【０４７３】
これにより、貨幣回収担当者は、貨幣蓄積部３９０に蓄積された貨幣を取り出し可能となる。その後、この照合認証処理ＴＣは終了し、図５５の認証処理ＴＣに戻り、認証処理ＴＣも終了する。
【０４７４】
以上説明したように、貨幣回収担当者が出社したと判定されると、複数の島金庫３００（認証端末）の各々において、当該出社が判定された貨幣回収担当者のみの照合用生体情報が有効化される。また、貨幣回収担当者が退社したと判定されると、複数の島金庫３００（認証端末）の各々において、当該出社が判定された貨幣回収担当者のみの照合用生体情報が無効化される。
【０４７５】
したがって、貨幣回収担当者の照合用生体情報は、当該貨幣回収担当者が勤務中であるときのみ有効となる。そのため、たとえば、貨幣回収担当者が勤務してないときに、不正者が、貨幣を取り出すために島金庫３００を開錠状態にすることが不可能となる。そのため、高いセキュリティを維持することができるという効果を奏する。
【０４７６】
また、貨幣回収担当者の生体情報と、複数の照合用生体情報のうち、有効な照合用生体情報のみとの照合が行なわれる。
【０４７７】
したがって、貨幣回収担当者の生体情報と、無効な照合用生体情報との照合を行なうといった無駄な処理が行なわれないので、照合に要する時間を大幅に短縮することができるという効果を奏する。
【０４７８】
（出社時および退社時の処理の他の例）
次に、貨幣回収担当者の出社時および退社時における処理（以下、出社時退社時処理ともいう）の他の例について説明する。以下においては、管理装置５００で行なわれる出社時退社時処理を、出社時退社時処理ＳＡともいう。ここで、貨幣回収担当者の担当者ＩＤは、“１１０１”であるとする。また、貨幣回収担当者が有するＩＤカードには、担当者ＩＤ“１１０１”が記憶されているとする。
【０４７９】
ここで、管理装置５００の記憶部５２０には、前述した処理により、登録生体情報管理テーブルが記憶されているとする。ここで、登録生体情報管理テーブルは、図２６の登録生体情報管理テーブルＤ６００Ａであるとする。
【０４８０】
また、登録生体情報管理テーブルＤ６００Ａに示される複数の登録済み端末ＩＤにそれぞれ対応する複数の島金庫３００（認証端末）の各々の記憶部３２０には、前述の処理により、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。ここで、照合用生体情報としての複数生体情報登録テーブルは、図３９の複数生体情報登録テーブルＤ５１０Ｂであるとする。すなわち、記憶部３２０に記憶されている、複数生体情報登録テーブルＤ５１０Ｂを構成する複数の生体情報登録テーブルの各々に示される「生体情報ＩＤ」により特定される全ての照合用生体情報は、前述した認証処理（たとえば、図５５の認証処理ＴＣ）に使用される場合、無効な情報となる。
【０４８１】
なお、以下の出社時退社時処理ＳＡが行なわれる前から、管理装置５００において、他の処理とは独立して、時刻管理処理が行なわれているとする。時刻管理処理では、制御部５１０が、現在の時刻の管理を行なう処理を行なう。制御部５１０により管理される現在の時刻は、以下の出社時退社時処理ＳＡにおける処理により、出社が判定された貨幣回収担当者の担当者ＩＤに対応付けられる。
【０４８２】
図５６は、出社時退社時処理ＳＡのフローチャートである。図５６を参照して、出社時退社時処理ＳＡは、図５１の出社時退社時処理Ｓと比較して、ステップＳ１１１１Ａ，Ｓ１１１４Ａ，Ｓ１１１５Ａ，Ｓ１１２２Ａの処理がさらに行なわれる点が異なる。それ以外は、出社時退社時処理Ｓと同様なので詳細な説明は繰り返さない。以下、出社時退社時処理Ｓと異なる処理を、主に説明する。
【０４８３】
ステップＳ１１１０では、前述したのと同様な処理が行なわれるので詳細な説明は繰り返さない。ステップＳ１１１０において、ＹＥＳならば、ステップＳ１１１１Ａに進む。一方、ステップＳ１１１０において、ＮＯならば、後述するステップＳ１１４Ａに進む。
【０４８４】
ここで、出社モードの出社退社判定装置６００に、貨幣回収担当者がＩＤカードを近づけたとする。この場合、出社退社判定装置６００は、当該ＩＤカードに記憶されている担当者ＩＤを読取り、当該担当者ＩＤを含む出社情報を、管理装置５００へ送信する。この場合、制御部５１０が、出社情報を受信したと判定し、ステップＳ１１１１Ａに進む。ここで、出社退社判定装置６００に読取られた担当者ＩＤは、“１１０１”であるとする。したがって、受信された出社情報には、担当者ＩＤ“１１０１”が含まれるとする。
【０４８５】
ステップＳ１１１１Ａでは、制御部５１０が、経過時間管理処理の実行を開始する。経過時間管理処理は、この出社時退社時処理ＳＡとは、独立して行なわれる処理である。そして、ステップＳ１１１１Ａの処理は終了する。
【０４８６】
経過時間管理処理は、貨幣回収担当者の出社が判定されてからの経過時間を管理する処理である。具体的には、制御部３１０が、出社情報を受信してからの経過時間を測定する処理を継続して行なう。制御部３１０により測定される経過時間は、出社が判定された貨幣回収担当者の担当者ＩＤに対応付けられる。
【０４８７】
ステップＳ１１１１Ａの処理の後、ステップＳ１１１２に進む。
ステップＳ１１１２では、前述したのと同様な処理が行なわれるので詳細な説明は繰り返さない。この処理により、有効化指示ＳＣが、図２６の登録生体情報管理テーブルＤ６００Ａにおいて、受信した出社情報に含まれる担当者ＩＤ（“１１０１”）に対応する複数の登録済み端末ＩＤにそれぞれ対応する複数の島金庫３００（認証端末）へ送信される。
【０４８８】
複数の島金庫３００（認証端末）の各々では、前述した図５２の有効化指示受信処理ＴＣが行なわれる。これにより、複数の島金庫３００（認証端末）の各々において、出社が判定された貨幣回収担当者のみに対応する複数の照合用生体情報が有効化される。
【０４８９】
ステップＳ１１１２の処理の後、ステップＳ１１１４Ａに進む。
ステップＳ１１１４Ａでは、制御部５１０が、前述した経過時間管理処理により管理されている経過時間が、所定時間経過したか否かが判定される。ステップＳ１１１４Ａにおいて、ＹＥＳならば、ステップＳ１１２２Ａに進む。一方、ステップＳ１１１４Ａにおいて、ＮＯならば、ステップＳ１１１５Ａに進む。ここで、所定時間は、たとえば、貨幣回収担当者の平均的な勤務時間であるとする。所定時間は、たとえば、１０時間であるとする。
【０４９０】
ステップＳ１１１５Ａでは、制御部５１０が、前述した時刻管理処理により管理されている現在の時刻が、所定時刻であるか否かが判定される。ステップＳ１１１５Ａにおいて、ＹＥＳならば、ステップＳ１１２２Ａに進む。一方、ステップＳ１１１５Ａにおいて、ＮＯならば、ステップＳ１１２０に進む。ここで、所定時刻は、たとえば、貨幣回収担当者が日常的に勤務していない時刻である。所定時刻は、たとえば、午前１時である。
【０４９１】
ステップＳ１１１４ＡおよびステップＳ１１１５Ａのいずれかにおいて、ＹＥＳと判定される場合は、貨幣回収担当者が退社していると予想される場合である。
【０４９２】
なお、出社時退社時処理ＳＡでは、ステップＳ１１１４ＡおよびステップＳ１１１５Ａのいずれかの処理が行なわれなくてもよい。
【０４９３】
ステップＳ１１２２Ａは、ステップＳ１１１４ＡおよびステップＳ１１１５Ａのいずれかにおいて、ＹＥＳと判定された場合、または、前述したステップＳ１１２０の処理においてＹＥＳ判定され、退社情報を受信した場合に行なわれる処理である。
【０４９４】
ステップＳ１１２２Ａでは、制御部５１０が、担当者ＩＤを含む無効化指示ＳＣを、記憶部５２０に記憶されている登録生体情報管理テーブルにおいて、当該担当者ＩＤに対応する複数の登録済み端末ＩＤにそれぞれ対応する複数の島金庫３００（認証端末）へ送信する。
【０４９５】
ここで、ステップＳ１１１４ＡにおいてＹＥＳと判定されて、ステップＳ１１２２Ａの処理が行なわれる場合、送信される無効化指示ＳＣに含まれる担当者ＩＤは、経過時間管理処理において管理される経過時間に対応付けられる担当者ＩＤである。また、ステップＳ１１１５ＡにおいてＹＥＳと判定されて、ステップＳ１１２２Ａの処理が行なわれる場合、送信される無効化指示ＳＣに含まれる担当者ＩＤは、時刻管理処理において管理される現在の時刻に対応付けられる担当者ＩＤである。また、ステップＳ１１２０においてＹＥＳと判定されて、ステップＳ１１２２Ａの処理が行なわれる場合、無効化指示ＳＣに含まれる担当者ＩＤは、受信し退社情報に含まれる担当者ＩＤである。
【０４９６】
ここで登録生体情報管理テーブルは、図２６の登録生体情報管理テーブルＤ６００Ａであるとする。無効化指示ＳＣに含まれる担当者ＩＤは、担当者ＩＤ“１１０１”であるとする。そして、ステップＳ１１２２の処理は終了する。
【０４９７】
複数の島金庫３００（認証端末）の各々では、前述した図５４の無効化指示受信処理ＴＣが行なわれるので詳細な説明は繰り返さない。この処理により、複数の島金庫３００（認証端末）の各々において、退社していると予想される貨幣回収担当者または退社が判定された貨幣回収担当者のみに対応する複数の照合用生体情報が無効化される。
【０４９８】
以上説明した出社時退社時処理ＳＡにより、貨幣回収担当者の照合用生体情報は、当該貨幣回収担当者が勤務中でないと予想されるときに、自動的に無効化される。そのため、貨幣回収担当者が退社を行なうための操作（たとえば、退社モードの出社退社判定装置６００に、貨幣回収担当者がＩＤカードを近づける操作）を忘れて退社したとしても、たとえば、貨幣回収担当者が勤務してないときに、不正者が、貨幣を取り出すために島金庫３００を開錠状態にすることが不可能となる。そのため、セキュリティを向上させることができるという効果を奏する。
【０４９９】
（勤務予定情報に基づく、他の例としての処理）
次に、前述したような、出社退社判定装置６００から受信する出社情報および退社情報を使用せず、複数の貨幣回収担当者の各々の勤務予定情報に基づく、他の例としての処理について説明する。複数の貨幣回収担当者の各々は、一般的に、所定期間（たとえば、１ヶ月）先までの勤務予定時刻が決まっている。
【０５００】
管理装置５００の記憶部５２０には、予め以下の勤務予定データテーブルＤ１０００が記憶されているとする。
【０５０１】
図５７は、一例としての勤務予定データテーブルＤ１０００を示す図である。図５７を参照して、勤務予定データテーブルＤ１０００は、複数の勤務予定データから構成される。勤務予定データテーブルＤ１０００において、「番号」とは、複数の勤務予定データを管理するための番号である。「担当者ＩＤ」は前述したので詳細な説明は繰り返さない。「出社予定時刻」は、対応する「日付」における出社予定時刻を示す。「退社予定時刻」は、対応する「日付」における退社予定時刻を示す。
【０５０２】
勤務予定データテーブルＤ１０００において、たとえば、番号“１”の勤務予定データは、２００６年９月１日における、担当者ＩＤが“１１０１”の貨幣回収担当者の「出社予定時刻」は午前９時であり、「退社予定時刻」は１８時（午後６時）であることを示す。
【０５０３】
次に、勤務予定データテーブルに基づく、管理装置５００で行なわれる処理（以下、勤務予定対応処理Ｓともいう）を説明する。
【０５０４】
ここで、管理装置５００の記憶部５２０には、前述した処理により、登録生体情報管理テーブルが記憶されているとする。ここで、登録生体情報管理テーブルは、図２６の登録生体情報管理テーブルＤ６００Ａであるとする。
【０５０５】
また、登録生体情報管理テーブルＤ６００Ａに示される複数の登録済み端末ＩＤにそれぞれ対応する複数の島金庫３００（認証端末）の各々の記憶部３２０には、前述の処理により、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。ここで、照合用生体情報としての複数生体情報登録テーブルは、図３９の複数生体情報登録テーブルＤ５１０Ｂであるとする。すなわち、記憶部３２０に記憶されている、複数生体情報登録テーブルＤ５１０Ｂを構成する複数の生体情報登録テーブルの各々に示される「生体情報ＩＤ」により特定される全ての照合用生体情報は、前述した認証処理（たとえば、図５５の認証処理ＴＣ）に使用される場合、無効な情報となる。
【０５０６】
つまり、島金庫３００は、当該島金庫３００（対象機器）の操作を許可されている担当者それぞれの照合用生体情報を、生体情報記憶手段としての記憶部３２０に記憶している。
【０５０７】
なお、以下の勤務予定対応処理Ｓが行なわれる前から、管理装置５００において、他の処理とは独立して、日時管理処理が行なわれているとする。日時管理処理は、以下の勤務予定対応処理Ｓとは、独立して行なわれる処理である。日時管理処理では、制御部５１０が、現在の日時の管理を行なう処理を行なう。
【０５０８】
図５８は、勤務予定対応処理Ｓのフローチャートである。図５８を参照して、ステップＳ１２１０では、現在の時刻が出社予定時刻であるか否かが判定される。具体的には、制御部５１０が、記憶部５２０に記憶されている勤務予定データテーブルを構成する複数の勤務予定データのうち、前述した日時管理処理により管理されている現在の日時と一致する出社予定時刻を示す勤務予定データがあるか否かを判定する。ステップＳ１２１０において、ＹＥＳならば、ステップＳ１２１２に進む。一方、ステップＳ１２１０において、ＮＯならば、後述するステップＳ１２２０に進む。
【０５０９】
ここで、勤務予定データテーブルは、図５７の勤務予定データテーブルＤ１０００であるとする。また、日時管理処理により管理されている現在の日時は、２００６年９月１日の午前９時であるとする。この場合、現在の日時が、勤務予定データテーブルＤ１０００に示される番号“１”の勤務予定データの示す日付に対応する出社予定時刻と一致するので、ステップＳ１２１０において、ＹＥＳと判定されて、ステップＳ１２１２に進む。
【０５１０】
ステップＳ１２１２では、制御部５１０が、有効化指示ＳＣを、記憶部５２０に記憶されている登録生体情報管理テーブルにおいて、検出された勤務予定データＡが示す担当者ＩＤに対応する複数の登録済み端末ＩＤにそれぞれ対応する複数の島金庫３００（認証端末）へ送信する。有効化指示ＳＣは、島金庫３００（認証端末）の記憶部３２０に記憶されている照合用生体情報を有効化するための指示である。検出された勤務予定データＡとは、ステップＳ１２１０において、検出された勤務予定データである。また、送信される有効化指示ＳＣには、検出された勤務予定データＡが示す担当者ＩＤが含まれる。
【０５１１】
ここで、検出された勤務予定データＡは、勤務予定データテーブルＤ１０００に示される番号“１”の勤務予定データであるとする。したがって、検出された勤務予定データＡが示す担当者ＩＤは、“１１０１”であるとする。したがって、送信される有効化指示ＳＣには、担当者ＩＤ“１１０１”が含まれる。また、登録生体情報管理テーブルは、図２６の登録生体情報管理テーブルＤ６００Ａであるとする。そして、ステップＳ１２１２の処理は終了する。
【０５１２】
複数の島金庫３００（認証端末）の各々では、前述した図５２の有効化指示受信処理ＴＣが行なわれる。この有効化指示受信処理ＴＣにより、複数の島金庫３００（認証端末）の各々の記憶部５２０に記憶されている図３９の複数生体情報登録テーブルＤ５１０Ｂは、図５３の複数生体情報登録テーブルＤ５１０Ｄとなる。これにより、複数の島金庫３００（認証端末）の各々において、出社予定時刻となった貨幣回収担当者のみに対応する複数の照合用生体情報が有効化される。
【０５１３】
ステップＳ１２１２の処理の後、ステップＳ１２２０に進む。
ステップＳ１２２０では、現在の時刻が退社予定時刻であるか否かが判定される。具体的には、制御部５１０が、記憶部５２０に記憶されている勤務予定データテーブルを構成する複数の勤務予定データのうち、前述した日時管理処理により管理されている現在の日時と一致する退社予定時刻を示す勤務予定データがあるか否かを判定する。ステップＳ１２２０において、ＹＥＳならば、ステップＳ１２２２に進む。一方、ステップＳ１２２０において、ＮＯならば、再度、ステップＳ１２１０の処理が行なわれる。
【０５１４】
ここで、勤務予定データテーブルは、図５７の勤務予定データテーブルＤ１０００であるとする。また、日時管理処理により管理されている現在の日時は、２００６年９月１日の１８時（午後６時）であるとする。この場合、現在の日時が、勤務予定データテーブルＤ１０００に示される番号“１”の勤務予定データの示す日付に対応する退社予定時刻と一致するので、ステップＳ１２２０において、ＹＥＳと判定されて、ステップＳ１２２２に進む。
【０５１５】
ステップＳ１２２２では、制御部５１０が、無効化指示ＳＣを、記憶部５２０に記憶されている登録生体情報管理テーブルにおいて、検出された勤務予定データＢが示す担当者ＩＤに対応する複数の登録済み端末ＩＤにそれぞれ対応する複数の島金庫３００（認証端末）へ送信する。無効化指示ＳＣは、島金庫３００（認証端末）の記憶部３２０に記憶されている照合用生体情報を無効化するための指示である。検出された勤務予定データＢとは、ステップＳ１２２０において、検出された勤務予定データである。送信される無効化指示ＳＣには、検出された勤務予定データＢが示す担当者ＩＤが含まれる。
【０５１６】
ここで、検出された勤務予定データは、勤務予定データテーブルＤ１０００に示される番号“１”の勤務予定データＢであるとする。したがって、検出された勤務予定データＢが示す担当者ＩＤは、“１１０１”であるとする。したがって、送信される無効化指示ＳＣには、担当者ＩＤ“１１０１”が含まれる。また、登録生体情報管理テーブルは、図２６の登録生体情報管理テーブルＤ６００Ａであるとする。そして、ステップＳ１２２２の処理は終了する。
【０５１７】
複数の島金庫３００（認証端末）の各々では、前述した図５４の無効化指示受信処理ＴＣが行なわれるので詳細な説明は繰り返さない。この無効化指示受信処理ＴＣにより、複数の島金庫３００（認証端末）の各々の記憶部５２０に記憶されている図５３の複数生体情報登録テーブルＤ５１０Ｄは、図３９の複数生体情報登録テーブルＤ５１０Ｂとなる。この処理により、複数の島金庫３００（認証端末）の各々において、退社予定時刻となった貨幣回収担当者のみに対応する複数の照合用生体情報が無効化される。
【０５１８】
上記の勤務予定対応処理Ｓにより、複数の島金庫３００（認証端末）の各々において、担当者ＩＤ“１１０１”の貨幣回収担当者に対応する複数の照合用生体情報が有効化されているときに、担当者ＩＤ“１１０１”の貨幣回収担当者が、島金庫３００（認証端末）を開錠させるための操作を行なったとする。
【０５１９】
この場合、島金庫３００（認証端末）において、前述した図５５の認証処理ＴＣが行なわれるので詳細な説明は繰り返さない。この処理により、貨幣回収担当者の生体情報と、複数の照合用生体情報のうち、有効な照合用生体情報のみとの照合が行なわれる。
【０５２０】
また、この処理により、島金庫３００が開錠状態となる。すなわち、島金庫３００の前面扉ＣＰ３１０が開閉可能状態となる。すなわち、貨幣回収担当者が、前面扉ＣＰ３１０の開閉を行なうことが可能となる。すなわち、貨幣回収担当者が、対象機器としての島金庫３００の前面扉ＣＰ３１０の開閉操作が許可される。これにより、貨幣回収担当者は、貨幣蓄積部３９０に蓄積された貨幣を取り出し可能となる。
【０５２１】
以上説明したように、貨幣回収担当者の出社予定時刻になると、自動的に、複数の島金庫３００（認証端末）の各々において、当該出社予定時刻に対応する貨幣回収担当者のみに対応する複数の照合用生体情報が有効化される。また、貨幣回収担当者がの退社予定時刻になると、自動的に、複数の島金庫３００（認証端末）の各々において、当該退社予定時刻に対応する貨幣回収担当者のみに対応する複数の照合用生体情報が無効化される。
【０５２２】
したがって、貨幣回収担当者が出社を行なうための操作（たとえば、出社モードの出社退社判定装置６００に、貨幣回収担当者がＩＤカードを近づける操作）を忘れて出社したとしても、複数の島金庫３００（認証端末）の各々の操作が可能となる。
【０５２３】
また、貨幣回収担当者が退社を行なうための操作（たとえば、退社モードの出社退社判定装置６００に、貨幣回収担当者がＩＤカードを近づける操作）を忘れて退社したとしても、たとえば、貨幣回収担当者が勤務してないときに、不正者が、貨幣を取り出すために島金庫３００を開錠状態にすることが不可能となる。そのため、高いセキュリティを維持することができるという効果を奏する。
【０５２４】
また、島金庫３００（認証端末）において、前述した図５５の認証処理ＴＣが行なわれることにより、貨幣回収担当者の生体情報と、複数の照合用生体情報のうち、有効な照合用生体情報のみとの照合が行なわれる。
【０５２５】
したがって、貨幣回収担当者の生体情報と、無効な照合用生体情報との照合を行なうといった無駄な処理が行なわれないので、照合に要する時間を大幅に短縮することができるという効果を奏する。
【０５２６】
（勤務予定外出勤の対応）
次に、勤務予定時刻外に、貨幣回収担当者が、島金庫３００（認証端末）を操作する必要がある場合における管理装置５００で行なわれる処理（以下、勤務予定外出勤対応処理Ｓともいう）を説明する。以下においては、勤務予定外に出勤した貨幣回収担当者を、勤務予定外出勤貨幣回収担当者ともいう。
【０５２７】
ここで、管理装置５００の記憶部５２０には、前述した処理により、登録生体情報管理テーブルと、登録生体情報管理テーブルに示される「生体情報ＩＤ」により特定される全ての生体情報とが記憶されているとする。ここで、登録生体情報管理テーブルは、図２６の登録生体情報管理テーブルＤ６００Ａであるとする。
【０５２８】
また、登録生体情報管理テーブルＤ６００Ａに示される複数の登録済み端末ＩＤにそれぞれ対応する複数の島金庫３００（認証端末）の各々の記憶部３２０には、前述の処理により、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。ここで、照合用生体情報としての複数生体情報登録テーブルは、図３９の複数生体情報登録テーブルＤ５１０Ｂであるとする。すなわち、記憶部３２０に記憶されている、複数生体情報登録テーブルＤ５１０Ｂを構成する複数の生体情報登録テーブルの各々に示される「生体情報ＩＤ」により特定される全ての照合用生体情報は、前述した認証処理（たとえば、図５５の認証処理ＴＣ）に使用される場合、無効な情報となる。勤務予定外出勤対応処理Ｓは、管理装置５００において実行させるためのインターフェース操作Ｐ（たとえば、プログラムの実行操作）があった場合に行なわれる処理である。
【０５２９】
図５９は、勤務予定外出勤対応処理Ｓのフローチャートである。図５９を参照して、ステップＳ１３１０では、識別情報入力要求処理が行なわれる。識別情報入力要求処理では、制御部５１０が、ＶＤＰ５３２を利用して、図４６の識別情報入力要求画像ＷＧ５００を生成し、識別情報入力要求画像ＷＧ５００を、表示部５３０に表示させる。そして、ステップＳ１３１０の処理は終了し、ステップＳ１３１２に進む。
【０５３０】
ステップＳ１３１２では、制御部５１０が、識別情報入力操作があるか否かを判定する。識別情報入力操作は、担当者ＩＤを入力するためのインターフェース操作Ｐである。ステップＳ１３１２において、ＹＥＳならば、ステップＳ１３１３に進む。一方、ステップＳ１３１２において、ＮＯならば、再度、ステップＳ１３１２の処理が行なわれる。ここでは、識別情報入力操作があったとして、ステップＳ１３１３に進む。また、識別情報入力操作により入力された担当者ＩＤは、“１１０１”であるとする。
【０５３１】
ステップＳ１３１３では、入力された担当者ＩＤが有効なＩＤであるか否かが判定される。具体的には、制御部５１０が、入力された担当者ＩＤが、記憶部５２に記憶されている登録生体情報管理テーブルに示されているか否かを判定する。ステップＳ１３１３において、ＹＥＳならば、ステップＳ１３１４に進む。一方、ステップＳ１３１３において、ＮＯならば、制御部５１０は、表示部５３０にエラーメッセージを表示させ、再度、ステップＳ１３１２の処理が行なわれる。ここで、表示部５３０に表示されるエラーメッセージは、たとえば、「入力された担当者ＩＤは無効です」というメッセージである。
【０５３２】
ここで、入力された担当者ＩＤは、“１１０１”であり、記憶部５２０に記憶されている登録生体情報管理テーブルは、図２６の登録生体情報管理テーブルＤ６００Ａであるので、ステップＳ１３１３において、ＹＥＳと判定され、ステップＳ１３１４に進む。
【０５３３】
ステップＳ１３１４では、指示画像表示処理が行なわれる。指示画像表示処理では、制御部５１０が、ＶＤＰ５３２を利用して、以下の指示画像ＷＧ１１００を生成し、生成した指示画像ＷＧ１１００を、表示部５３０に表示させる。その後、ステップＳ１３１４の処理は終了する。
【０５３４】
図６０は、一例としての指示画像ＷＧ１１００を示す図である。図６０を参照して、指示画像ＷＧ１１００には、生体情報取得装置５９０の生体情報取得部５９２に指をかざすことを促す旨のメッセージが表示される。当該メッセージは、たとえば、「生体情報取得部に指をかざしてください」である。
【０５３５】
再び、図５９を参照して、ステップＳ１３１４の処理の後、ステップＳ１３２０に進む。
【０５３６】
ステップＳ１３２０では、制御部５１０が、勤務予定外出勤貨幣回収担当者の生体情報を取得したか否かが判定される。ステップＳ１３２０において、ＹＥＳならば、ステップＳ１３２２に進む。一方、ステップＳ１３２０において、ＮＯならば、再度、ステップＳ１３２０の処理が行なわれる。
【０５３７】
ここで、勤務予定外出勤貨幣回収担当者が、管理装置５００において予め登録した照合用生体情報に対応する体の一部を、生体情報取得装置５９０の生体情報取得部５９２に接触させるとする。この場合、生体情報取得装置５９０は、生体情報取得部５９２に接触した体の一部をデータ化した生体情報を、制御部５１０へ送信する。この場合、ステップＳ１３２０において、ＹＥＳと判定されて、ステップＳ１３２２に進む。
【０５３８】
ここで、体の一部を生体情報取得部５９２に接触させた勤務予定外出勤貨幣回収担当者の担当者ＩＤは、“１１０１”であるとする。また、生体情報取得部５９２に接触した、貨幣回収担当者の体の一部は、右人指し指であるとする。この場合、制御部５１０が受信した生体情報は、貨幣回収担当者の右人指し指の指紋をデータ化した情報（たとえば、指紋の画像）である。
【０５３９】
ステップＳ１３２２では、担当者の本人認証を行なうための照合認証処理Ｓが行なわれる。照合認証処理Ｓでは、制御部５１０が、生体情報取得装置５９０から受信した生体情報と、登録生体情報管理テーブルにおいて、勤務予定外出勤貨幣回収担当者の担当者ＩＤに対応する複数の生体情報ＩＤにそれぞれ対応する複数の生体情報の各々とを照合し、一致度合いを判定する。一致度合いの判定方法は、図２８のステップＳ４１２の照合認証処理Ａと同様なので詳細な説明は繰り返さない。
【０５４０】
制御部５１０は、受信した生体情報と、勤務予定外出勤貨幣回収担当者の担当者ＩＤに対応する複数の生体情報ＩＤにそれぞれ対応する複数の生体情報の各々との一致度合いにおいて、１つでも認証成功判定しきい値以上の一致度合いがあると、認証成功と判定する。認証成功判定しきい値は、担当者の本人認証が成功したか否かを判定するためのしきい値である。認証成功判定しきい値は、たとえば、９０％であるとする。すなわち、認証成功と判定さるのは、本人認証が成功と判定された場合である。
【０５４１】
一方、制御部３１０は、受信した生体情報と、勤務予定外出勤貨幣回収担当者の担当者ＩＤに対応する複数の生体情報ＩＤにそれぞれ対応する複数の生体情報の各々との一致度合いにおいて、認証成功判定しきい値以上の一致度合いが１つもない場合、認証失敗と判定する。すなわち、本人認証が失敗と判定される。
【０５４２】
ここで、制御部３１０が生体情報取得装置５９０から受信した生体情報は、勤務予定外出勤貨幣回収担当者の右人指し指の指紋をデータ化した情報（たとえば、指紋の画像）であるとする。また、登録生体情報管理テーブルは、図２６の登録生体情報管理テーブルＤ６００Ａである。また、勤務予定外出勤貨幣回収担当者の担当者ＩＤは、“１１０１”である。
【０５４３】
そのため、この照合認証処理Ｓでは、制御部５１０により、受信した生体情報と、登録生体情報管理テーブルＤ６００Ａにおいて、担当者ＩＤ“１１０１”に対応する複数の生体情報ＩＤ“ＢＭ０１０１”，“ＢＭ０１０２”，“ＢＭ０１０３”，“ＢＭ０１０４”によりそれぞれ特定される複数の生体情報の各々との一致度合いが判定される。
【０５４４】
ここでは、判定された一致度合いは、９８％であるとする。したがって、一致度合いが９８％であると判定されるのに使用された生体情報は、勤務予定外出勤貨幣回収担当者の右人指し指の指紋をデータ化した情報（たとえば、指紋の画像）である。また、この場合、制御部５１０により認証成功と判定されたとする。制御部５１０により、認証の結果が判定されると、照合認証処理Ｓは終了し、ステップＳ１３３０に進む。
【０５４５】
ステップＳ１３３０では、照合認証処理Ｓにおいて、認証成功と判定されたか否かを判定する。ステップＳ１３３０において、ＹＥＳならば、ステップＳ１３３６に進む。一方、ステップＳ１３３０において、ＮＯならば、ステップＳ１３３９に進む。ここでは、照合認証処理Ｓにおいて、認証成功と判定されたとして、ステップＳ１３３６に進む。
【０５４６】
ステップＳ１３３６では、制御部５１０が、前述の処理により入力された担当者ＩＤを含む有効化指示ＳＣを、記憶部５２０に記憶されている登録生体情報管理テーブルにおいて、前述の処理により入力された担当者ＩＤに対応する複数の登録済み端末ＩＤにそれぞれ対応する複数の島金庫３００（認証端末）へ送信する。有効化指示ＳＣは、島金庫３００（認証端末）の記憶部３２０に記憶されている照合用生体情報を有効化するための指示である。ここで、入力された担当者ＩＤは、１１０１”であるとする。そして、ステップＳ１３３６の処理は終了する。
【０５４７】
複数の島金庫３００（認証端末）の各々では、前述した図５２の有効化指示受信処理ＴＣが行なわれる。この有効化指示受信処理ＴＣにより、複数の島金庫３００（認証端末）の各々の記憶部５２０に記憶されている図３９の複数生体情報登録テーブルＤ５１０Ｂは、図５３の複数生体情報登録テーブルＤ５１０Ｄとなる。これにより、複数の島金庫３００（認証端末）の各々において、勤務予定外出勤貨幣回収担当者のみに対応する複数の照合用生体情報が有効化される。
【０５４８】
再び、図５９を参照して、ステップＳ１３３６の処理の後、ステップＳ１３３７に進む。
【０５４９】
ステップＳ１３３７では、メッセージ画像が表示される。具体的には、制御部５１０が、ＶＤＰ５３２を利用して、前述の処理で入力された担当者ＩＤに基づいて、以下のメッセージ画像ＷＧ１２００を生成し、生成したメッセージ画像ＷＧ１２００を、表示部５３０に表示させる。その後、この勤務予定外出勤対応処理Ｓは終了する。
【０５５０】
図６１は、一例としてのメッセージ画像ＷＧ１２００を示す図である。図６１を参照して、メッセージ画像ＷＧ１２００には、勤務予定外出勤貨幣回収担当者が、島金庫３００（認証端末）の操作が可能となった旨のメッセージが表示される。当該メッセージは、たとえば、「担当者ＩＤ“１１０１”の貨幣回収担当者は、島金庫の操作が可能となりました。」である。
【０５５１】
再び、図５９を参照して、ステップＳ１３３０において、ＮＯならば、ステップＳ１３３９に進む。
【０５５２】
ステップＳ１３３９では、認証失敗処理Ｔが行なわれる。認証失敗処理Ｔでは、制御部５１０が、ＶＤＰ５３２を利用して、表示部５３０にエラーメッセージを表示させる。エラーメッセージは、たとえば、「認証失敗です。島金庫の操作はできません」というメッセージである。その後、この勤務予定外出勤対応処理Ｓは終了する。
【０５５３】
以上説明したように、勤務予定時刻外に、勤務予定外出勤貨幣回収担当者が島金庫３００（認証端末）を操作する必要がある場合においても、管理装置５００において、担当者ＩＤが入力され、勤務予定外出勤貨幣回収担当者の生体情報を認証情報として使用し、本人認証がされることで、島金庫３００（認証端末）を操作可能となる。したがって、勤務予定情報（勤務予定データテーブルＤ１０００）に基づいて、複数の島金庫３００（認証端末）の各々において、貨幣回収担当者の照合用生体情報を有効化または無効化するシステムにおいても、勤務予定時刻外に出勤した勤務予定外出勤貨幣回収担当者が島金庫３００（認証端末）を操作することが可能となる。
【０５５４】
（認証端末における認証処理の他の例）
人間の生体情報は、当該人間の成長、季節の変化等によりわずかながらでも変化するのが一般的である。以下においては、生体情報が変化した場合に、複数の島金庫３００（認証端末）の各々において行なわれる、担当者の本人認証を行なうための認証処理（以下、認証処理ＴＤともいう）について説明する。
【０５５５】
なお、前述の図２０の処理と、図５１、図５６、図５８および図５９のいずれかの処理と、図５２の処理とにより、認証端末としての島金庫３００の記憶部３２０には、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。
【０５５６】
ここで、照合用生体情報としての複数生体情報登録テーブルは、図５３の複数生体情報登録テーブルＤ５１０Ｄであるとする。この場合、記憶部３２０には、複数生体情報登録テーブルＤ５１０Ｄと、複数生体情報登録テーブルＤ５１０Ｄを構成する複数の生体情報登録テーブルの各々に示される「生体情報ＩＤ」により特定される全ての照合用生体情報が記憶される。
【０５５７】
図６２は、認証処理ＴＤのフローチャートである。図６２を参照して、認証処理ＴＤは、図５５の認証処理ＴＣと比較して、ステップＳ４１５Ｄ，Ｓ４１６Ｄ，Ｓ４２２Ｄ，Ｓ４２８Ｄの処理がさらに行なわれる点と、ステップＳ４２０の代わりにステップＳ４２０Ｄの処理が行なわれる点と、ステップＳ４３０Ｃの代わりにステップＳ４３０Ｄの処理が行なわれる点とが異なる。それ以外は、認証処理ＴＣと同様なので詳細な説明は繰り返さない。以下、認証処理ＴＣと異なる処理を、主に説明する。
【０５５８】
ステップＳ４０２では、前述したのと同様な処理が行なわれるので詳細な説明は繰り返さない。ここで、生体情報取得部３５０に、貨幣回収担当者の右人指し指が、生体情報取得部３５０に接触されたとする。この場合、生体情報取得部３５０は、接触した体の一部をデータ化した生体情報を、制御部３１０へ送信する。これにより、ステップＳ４０２において、ＹＥＳと判定されて、ステップＳ４１２Ｃに進む。この場合、制御部３１０が受信した生体情報は、貨幣回収担当者の右人指し指の指紋をデータ化した情報（たとえば、指紋の画像）である。
【０５５９】
ステップＳ４１２Ｃでは、図５５のステップＳ４１２Ｃの照合認証処理Ｃと同様な処理が行なわれるので詳細な説明は繰り返さない。この処理により、生体情報取得部３５０から受信した生体情報と、複数生体情報登録テーブルにおいて、「有効フラグ」がオンとなっている担当者ＩＤに対応する複数の生体情報ＩＤにそれぞれ対応する複数の照合用生体情報の各々とを照合し、一致度合いが判定される。一致度合いの判定方法は、図２８のステップＳ４１２の照合認証処理Ａと同様なので詳細な説明は繰り返さない。
【０５６０】
ここで、制御部３１０が生体情報取得部３５０から受信した生体情報は、貨幣回収担当者の右人指し指の指紋をデータ化した情報（たとえば、指紋の画像）であるとする。また、複数生体情報登録テーブルは、図５３の複数生体情報登録テーブルＤ５１０Ｄである。そのため、この照合認証処理Ｃでは、制御部３１０により、受信した生体情報と、図５３の複数生体情報登録テーブルＤ５１０Ｄにおいて、「有効フラグ」がオンとなっている担当者ＩＤ“１１０１”に対応する複数の生体情報ＩＤ“ＢＭ０１０１”，“ＢＭ０１０２”，“ＢＭ０１０３”，“ＢＭ０１０４”によりそれぞれ特定される複数の照合用生体情報の各々との一致度合いが判定される。
【０５６１】
この複数の照合用生体情報の各々との照合を行なう際、照合回数（図５３の複数生体情報登録テーブルＤ５１０Ｄ参照）が多い照合用生体情報から順番に照合する。照合回数が多いということは照合に頻繁に使用する指ということであり、今回の照合に使用された可能性が高い指の照合用生体情報である。ゆえに、使用頻度の高い照合用生体情報から優先して照合することにより、早期にマッチする照合用生体情報との照合が達成でき、照合処理の効率化（迅速化）が図られる。
【０５６２】
ここでは、判定された一致度合いは、９２％であるとする。したがって、一致度合いが９２％であると判定されるのに使用された貨幣回収担当者の生体情報は、貨幣回収担当者の右人指し指の指紋をデータ化した情報（たとえば、指紋の画像）である。また、一致度合いが９２％であると判定されるのに使用された照合用生体情報は、生体情報ＩＤ“ＢＭ０１０１” により特定される照合用生体情報（担当者ＩＤ“１１０１”の貨幣回収担当者の右人指し指の生体情報）である。また、この場合、制御部３１０により認証成功と判定されたとする。制御部３１０により、認証の結果が判定されると、照合認証処理Ｃは終了し、ステップＳ４１４に進む。
【０５６３】
なお、ステップＳ４１２Ｃでは、図２７で説明したように、担当者ＩＤの入力操作を事前に行なって、図２８の照合認証処理Ａまたは、ステップＳ４１３の照合認証処理Ｂが行なわれてもよい。
【０５６４】
ステップＳ４１４では、前述した図２８のステップＳ４１４の処理と同様な処理が行なわれるので詳細な説明は繰り返さない。この処理により、認証結果情報が、管理装置５００へ送信される。そして、ステップＳ４１５Ｄに進む。
【０５６５】
ステップＳ４１５Ｄでは、履歴データ登録処理が行なわれる。履歴データ登録処理では、制御部３１０が、認証処理ＴＤが行なわれたときの各種情報を示す履歴データを記憶部３２０に記憶させる。履歴データは、現在の日時と、認証処理ＴＤを行なっている島金庫３００（認証端末）の端末ＩＤと、認証処理の対象となった貨幣回収担当者の担当者ＩＤと、認証処理の対象となった貨幣回収担当者の生体情報を特定する生体情報ＩＤと、照合認証処理Ｃにおいて判定された一致度合いとを示す。ここで、履歴データは、以下の履歴データＤ１１００であるとする。
【０５６６】
また、制御部３１０は、生体情報ＩＤに対応させて今回照合された生体情報、つまり、今回の認証処理において取得した生体情報（以下、照合済生体情報ともいう）を、記憶部３２０に記憶させる。以下においては、この照合済生体情報をも含めて「履歴データ」という。
【０５６７】
図６３は、一例としての履歴データＤ１１００を示す図である。
なお、制御部３１０は、記憶させる履歴データが示す生体情報ＩＤと同じ生体情報ＩＤを示す履歴データが、記憶部３２０に記憶されている場合、当該記憶させる履歴データを含めた、同一の生体情報ＩＤを示す複数の履歴データから構成される履歴データテーブルを生成する。なお、制御部３１０は、１つの生体情報ＩＤにつき、履歴データは、所定個数までしか記憶部３２０に記憶させない。所定個数は、たとえば、５である。１つの生体情報ＩＤにつき、所定個数より多い履歴データが記憶部３２０に記憶されている場合、制御部３１０は、最も古い履歴データを削除して、最新の履歴データを記憶部３２０に記憶させる。
【０５６８】
また、制御部３１０は、記憶させる履歴データが示す生体情報ＩＤと同じ生体情報ＩＤを示す履歴データが記憶部３２０に記憶されていない場合、または、記憶部３２０に履歴データが１つも記憶されてない場合、記憶部３２０に、当該記憶させる履歴データを記憶させる。そして、ステップＳ４１６Ｄに進む。
【０５６９】
管理装置５００では、前述した図３０の認証結果情報受信処理Ｓが行なわれことにより、表示部５３０に認証結果が表示される。
【０５７０】
ステップＳ４１６Ｄでは、制御部３１０が、前述の照合認証処理Ｃにおいて判定された一致度合いが、再登録判定しきい値以下であるか否かを判定する。ステップＳ４１６Ｄにおいて、ＹＥＳならば、ステップＳ４２０Ｄに進む。一方、ステップＳ４１６Ｄにいて、ＮＯならば、後述するステップＳ４３０Ｄに進む。
【０５７１】
再登録判定しきい値は、登録時一致度合いと、現在一致度合いとの差が所定値（たとえば、３）以上となった場合に、後述する再登録を報知する処理または自動的に再登録を実行する処理を行なうか否かを判定するためのしきい値である。当該再登録は、貨幣回収担当者の現在の生体情報の再登録である。
【０５７２】
ここで、登録時一致度合いとは、事前に島金庫３００（認証端末）に登録した貨幣回収担当者の照合用生体情報（以下、事前登録照合用生体情報ともいう）と、当該登録時における貨幣回収担当者の生体情報との平均的な一致度合いである。したがって、登録時一致度合いは、１００％に近い値となる。現在一致度合いとは、事前登録照合用生体情報と、現在の担当者の生体情報との一致度合いである。
【０５７３】
前述したように、人間の生体情報は、当該人間の成長、季節の変化等によりわずかながらでも変化するのが一般的である。したがって、事前に島金庫３００（認証端末）に事前登録照合用生体情報を登録したとき（以下、生体情報事前登録日時ともいう）から、多くの時間が多く経過する程、登録時一致度合いと、現在一致度合いとの差は大きくなる可能性がある。
【０５７４】
再登録判定しきい値は、生体情報事前登録日時から、多くの時間が経過しても、現在一致度合いにより、本人認証が成功されるような値に設定される。すなわち、再登録判定しきい値は、認証成功判定しきい値以上であり、かつ、認証成功判定しきい値に所定値（たとえば、３）を加算した値に設定される。認証成功判定しきい値が、９０（％）である場合、再登録判定しきい値は、たとえば、９３（％）に設定されるとする。ここで、前述の照合認証処理Ｃにおいて判定された一致度合いは、９２（％）であるとする。この場合、ステップＳ４１６Ｄにおいて、ＹＥＳと判定され、ステップＳ４２０Ｄに進む。
【０５７５】
なお、再登録判定しきい値は、現在一致度合いにより本人認証が失敗される値であり、かつ、認証成功判定しきい値に近い値に設定されてもよい。この場合、再登録判定しきい値は、認証成功判定しきい値未満であり、かつ、認証成功判定しきい値から所定値（たとえば、３）を減算した値に設定される。認証成功判定しきい値が、９０（％）である場合、再登録判定しきい値は、たとえば、８７（％）に設定される。
【０５７６】
ステップＳ４２０Ｄでは、制御部３１０が、前述の照合認証処理Ｃにおいて判定された一致度合いが、前述した生体情報取得部位判定しきい値以上であるか否かを判定する。ステップＳ４２０Ｄにおいて、ＹＥＳならば、ステップＳ４２１に進む。一方、ステップＳ４２０Ｄにおいて、ＮＯならば、後述するステップＳ４３０Ｄに進む。ここで、前述の照合認証処理Ｃにおいて判定された一致度合いは、９２（％）であるとする。また、生体情報取得部位判定しきい値は、８０（％）であるとする。この場合、ステップＳ４２０Ｄにおいて、ＹＥＳと判定されて、ステップＳ４２１に進む。
【０５７７】
ステップＳ４２１では、前述した図２８のステップＳ４２１の処理と同様な処理が行なわれるので詳細な説明は繰り返さない。そして、ステップＳ４２２Ｄに進む。
【０５７８】
ステップＳ４２２Ｄでは、制御部３１０が、前述の照合認証処理Ｃにおいて判定された一致度合いが、認証成功判定しきい値以上であるか否かを判定する。ステップＳ４２２Ｄにおいて、ＹＥＳならば、ステップＳ４２８Ｄに進む。一方、ステップＳ４２２Ｄにおいて、ＮＯならば、ステップＳ４３０に進む。ここで、前述の照合認証処理Ｃにおいて判定された一致度合いは、９２（％）であるとする。また、認証成功判定しきい値は、９０（％）であるとする。この場合、ステップＳ４２２Ｄにおいて、ＹＥＳと判定されて、ステップＳ４２８Ｄに進む。
【０５７９】
ステップＳ４２８Ｄでは、再登録報知判定処理Ｔが行なわれる。
図６４は、再登録報知判定処理Ｔのフローチャートである。図６４を参照して、ステップＳ１４３０では、制御部３１０が、記憶部３２０に、１つの生体情報ＩＤにつき、所定個数以上の履歴データが記憶されているか否かを判定する。ステップＳ１４３０において、ＹＥＳならば、後述するステップＳ１４５０に進む。一方、ステップＳ１４３０において、ＮＯならば、ステップＳ１４４０に進む。ここで、所定個数は、たとえば、“５”であるとする。ここで、記憶部３２０には、１つの履歴データしか記憶されてないとする。この場合、ＮＯと判定されて、ステップＳ１４４８に進む。
【０５８０】
ステップＳ１４４８では、再登録報知処理が行なわれる。再登録報知処理では、制御部３１０が、記憶部３２０に記憶されている最も新しい履歴データに基づいて、以下の再登録報知画像ＷＧ１３００を生成し、再登録報知画像ＷＧ１３００を表示部３３０に表示させる。ここで、履歴データは、履歴データＤ１１００であるとする。再登録報知画像ＷＧ１３００は、表示部３３０に表示されている画像の前面に所定時間（たとえば、１０分）表示された後、消去される。そして、ステップＳ１４４８の処理は終了し、この再登録報知処理も終了し、図６２の認証処理ＴＤに戻り、ステップＳ４２８Ｄの処理が終了する。
【０５８１】
なお、再登録報知処理では、音声による報知も同時に行なわれてもよい。この場合、島金庫３００にはスピーカーが設けられ、当該スピーカーから音声が出力される。当該音声は、たとえば、以下の再登録報知画像ＷＧ１３００に表示されるメッセージを読み上げた音声である。また、報知の方法は、前述の処理に限定されることはない。たとえば、ブザー音等による報知であってもよい。
【０５８２】
図６５は、一例としての再登録報知画像ＷＧ１３００を示す図である。図６５を参照して、再登録報知画像ＷＧ１３００には、認証処理の対象となった貨幣回収担当者に、認証処理の対象となった生体情報の再登録を促すメッセージが表示される。当該メッセージは、たとえば、「担当者ＩＤ“１１０１”の貨幣回収担当者の生体情報ＩＤ“ＢＭ０１０１”に対応する生体情報の再登録を行なってください」である。
【０５８３】
再び、図６２を参照して、ステップＳ４２８Ｄの処理の後、前述したステップＳ４３０Ｄの処理が行なわれる。
【０５８４】
ステップＳ４３０Ｄでは、制御部３１０が、前述の照合認証処理Ｃにおいて、認証成功と判定されたか否かを判定する。ステップＳ４３０Ｄにおいて、ＹＥＳならば、ステップＳ４３８に進む。一方、ステップＳ４３０Ｄにおいて、ＮＯならば、ステップＳ４３９に進む。ここでは、照合認証処理Ｃにおいて、認証成功と判定されたとして、ステップＳ４３８に進む。
【０５８５】
ステップＳ４３８では、前述したのと同様な処理が行なわれるので詳細な説明は繰り返さない。
【０５８６】
以上説明したように、事前に島金庫３００（認証端末）に登録した貨幣回収担当者の照合用生体情報と、当該登録時における貨幣回収担当者の生体情報との平均的な一致度合いが、認証成功判定しきい値以上であって、かつ、認証成功判定しきい値に近い値まで低下した場合に、生体情報の再登録を促す報知が行なわれる。
【０５８７】
これにより、再登録の対象となった貨幣回収担当者は、管理装置５００において、現在の再登録を要求されている生体情報を登録する。そして、貨幣回収担当者は、当該登録した生体情報を、新たな照合用生体情報として、前述の図２０の処理を行なうことにより、複数の島金庫３００（認証端末）の各々に再登録させる。したがって、当該再登録後においては、再登録の対象となった貨幣回収担当者の認証処理による一致度合いは向上する。
【０５８８】
なお、人間の生体情報は短期間で変化することはない。したがって、短期間（たとえば、１週間）毎に生体情報の再登録を促す報知が行なわれることはない。したがって、合理的な生体情報照合システムを提供することができる。
【０５８９】
人間の生体情報は、たとえば、怪我等により、突発的に変化する場合がある。以下においては、人間の生体情報が、突発的に変化した場合にも対応する、複数の島金庫３００（認証端末）の各々において行なわれる、担当者の本人認証を行なうための認証処理について説明する。
【０５９０】
まず、所定期間（たとえば、一週間）において、同一の担当者ＩＤ（たとえば、“１１０１”）の貨幣回収担当者が、同一の生体情報ＩＤ（たとえば、“ＢＭ０１０１”）により特定される生体情報を使用して、同一の端末ＩＤ（たとえば、“ＭＢ００１”の島金庫３００（認証端末）の操作を複数回行なったとする。この場合、端末ＩＤ“ＭＢ００１”の島金庫３００（認証端末）において、前述の図６２の認証処理ＴＤが、複数回行なわれたとする。この処理により、島金庫３００の記憶部３２０には、図６２のステップＳ４１５Ｄの履歴データ登録処理が繰返し行なわれることにより、履歴データテーブルが記憶される。履歴データテーブルは、同一の生体情報ＩＤを示す所定個数の履歴データから構成される。所定個数は、たとえば、５であるとする。ここで、履歴データテーブルは、以下の履歴データテーブルＤ１２００であるとする。
【０５９１】
図６６は、一例としての履歴データテーブルＤ１２００を示す図である。図６６を参照して、履歴データテーブルＤ１２００は、複数の履歴データから構成される。履歴データテーブルＤ１２００において、「番号」とは、複数の履歴データを管理するための番号である。それ以外は、図６３の履歴データＤ１１００と同様なので詳細な説明は繰り返さない。
【０５９２】
次に、端末ＩＤ“ＭＢ００１”の島金庫３００（認証端末）において、図６２の認証処理ＴＤが行なわれる場合の処理について説明する。端末ＩＤ“ＭＢ００１”の島金庫３００（認証端末）の操作を行なう貨幣回収担当者の担当者ＩＤは、“１１０１”であるとする。
【０５９３】
ステップＳ４０２では、前述したのと同様な処理が行なわれるので詳細な説明は繰り返さない。ここで、生体情報取得部３５０に、担当者ＩＤ“１１０１”の貨幣回収担当者の右人指し指が、生体情報取得部３５０に接触されたとする。この場合、生体情報取得部３５０は、接触した体の一部をデータ化した生体情報を、制御部３１０へ送信する。これにより、ステップＳ４０２において、ＹＥＳと判定されて、ステップＳ４１２Ｃに進む。
【０５９４】
ステップＳ４１２Ｃでは、前述した照合認証処理Ｃが行なわれるので詳細な説明は繰り返さない。この処理により、判定された一致度合いは、９２％であるとする。この場合、制御部３１０により認証成功と判定されたとする。そして、ステップＳ４１４に進む。
【０５９５】
ステップＳ４１４では、前述した図２８のステップＳ４１４の処理と同様な処理が行なわれるので詳細な説明は繰り返さない。この処理により、認証結果情報が、管理装置５００へ送信される。そして、ステップＳ４１５Ｄに進む。
【０５９６】
管理装置５００では、前述した図３０の認証結果情報受信処理Ｓが行なわれことにより、表示部５３０に認証結果が表示される。
【０５９７】
ステップＳ４１５Ｄでは、前述したのと同様な処理が行なわれるので詳細な説明は繰り返さない。今回の処理で登録される履歴データは、以下の履歴データＤ１１００Ａであるとする。また、履歴データＤ１１００Ａが示す生体情報ＩＤに対応させて、今回照合された生体情報（照合済生体情報）が、履歴データとして、記憶部３２０に記憶される。
【０５９８】
図６７は、一例としての履歴データＤ１１００Ａを示す図である。図６７を参照して、履歴データＤ１１００Ａは、図６３の履歴データＤ１１００と比較して、「日時」が異なる。それ以外は、履歴データＤ１１００と同様なので詳細な説明は繰り返さない。
【０５９９】
したがって、ステップＳ４１５Ｄの処理により、記憶部３２０に記憶されている履歴データテーブルＤ１２００は、以下の履歴データテーブルＤ１２００Ａとなる。そして、ステップＳ４１５Ｄの処理は終了する。
【０６００】
図６８は、一例としての履歴データテーブルＤ１２００Ａを示す図である。図６８を参照して、履歴データテーブルＤ１２００Ａは、図６６の履歴データテーブルＤ１２００と比較して、履歴データテーブルＤ１２００番号“１”の履歴データがない点と、履歴データテーブルＤ１２００の番号“２”〜“５”の履歴データが、履歴データテーブルＤ１２００Ａの番号“１”〜“４”の履歴データとなっている点と、番号“５”の履歴データが追加されている点とが異なる。それ以外は、履歴データテーブルＤ１２００と同様なので詳細な説明は繰り返さない。履歴データテーブルＤ１２００Ａにおける、番号“５”の履歴データは、今回のステップＳ４１５Ｄの処理で登録された履歴データ（図６７の履歴データＤ１１００Ａ）である。すなわち、最も古い履歴データが削除され、最新の履歴データが追加されることになる。
【０６０１】
再び、図６２を参照して、ステップＳ４１５Ｄの処理の後、ステップＳ４１６Ｄに進む。
【０６０２】
ステップＳ４１６Ｄでは、前述したのと同様な処理が行なわれるので詳細な説明は繰り返さない。ここで、前述の照合認証処理Ｃにおいて判定された一致度合いは、９２（％）であるとする。したがって、ステップＳ４１６Ｄにおいて、ＹＥＳと判定され、ステップＳ４２０Ｄに進む。
【０６０３】
ステップＳ４２０Ｄでは、前述したのと同様な処理が行なわれるので詳細な説明は繰り返さない。ここで、前述の照合認証処理Ｃにおいて判定された一致度合いは、９２（％）であるとする。また、生体情報取得部位判定しきい値は、８０（％）であるとする。この場合、ステップＳ４２０Ｄにおいて、ＹＥＳと判定されて、ステップＳ４２１に進む。
【０６０４】
ステップＳ４２１では、前述した図２８のステップＳ４２１の処理と同様な処理が行なわれるので詳細な説明は繰り返さない。そして、ステップＳ４２２Ｄに進む。
【０６０５】
ステップＳ４２２Ｄでは、前述したのと同様な処理が行なわれるので詳細な説明は繰り返さない。ここで、前述の照合認証処理Ｃにおいて判定された一致度合いは、９２（％）であるとする。また、認証成功判定しきい値は、９０（％）であるとする。この場合、ステップＳ４２２Ｄにおいて、ＹＥＳと判定されて、ステップＳ４２８Ｄに進む。
【０６０６】
ステップＳ４２８Ｄでは、前述した再登録報知判定処理Ｔが行なわれる。
再び、図６４を参照して、ステップＳ１４３０では、前述したように、制御部３１０が、記憶部３２０に、１つの生体情報ＩＤにつき、所定個数以上の履歴データが記憶されているか否かを判定する。ここで、所定個数は、たとえば、“５”であるとする。また、記憶部３２０には、５個の履歴データから構成される、図６８の履歴データテーブルＤ１２００Ａが記憶されているとする。この場合、ステップＳ１４３０において、１つの生体情報ＩＤにつき、所定個数以上の履歴データが記憶されていると判定され、ステップＳ１４５０に進む。
【０６０７】
ステップＳ１４５０では、制御部３１０が、今回のステップＳ４１５Ｄの処理で登録された履歴データの生体情報ＩＤと、所定個数以上の履歴データが示す同一の生体情報ＩＤとが一致するか否かを判定する。ステップＳ１４５０において、ＹＥＳならば、ステップＳ１４５２に進む。一方、ステップＳ１４５０において、ＮＯならば、この再登録報知判定処理Ｔは終了し、図６２の認証処理ＴＤに戻り、ステップＳ４２８Ｄの次の処理に進む。
【０６０８】
ここで、今回のステップＳ４１５Ｄの処理で登録された履歴データは、図６７の履歴データＤ１１００Ａであるとする。また、記憶部３２０には、５個の履歴データから構成される、図６８の履歴データテーブルＤ１２００Ａが記憶されているとする。この場合、５個の履歴データが示す同一の生体情報ＩＤは、“ＢＭ０１０１”であるとする。この場合、ステップＳ１４５０において、ＹＥＳと判定されて、ステップＳ１４５２に進む。
【０６０９】
ステップＳ１４５２では、事象判定処理が行なわれる。事象判定処理は、生体情報の認証結果の一致度合いが再登録判定しきい値以下になった現象が、突発的事象または傾向的事象のいずれであるかを判定するための処理である。
【０６１０】
前述したように、人間の生体情報は、一般的に、当該人間の成長、季節の変化等により時間の経過に従って徐々に変化する傾向がある。このような経時的に徐々に変化する傾向的事象に起因して一致度合いが再登録判定しきい値（９３％）以下になった場合には、その変化に追従した認証を可能にするべく、登録されている照合用生体情報をその変化した生体情報に更新する必要がある。
【０６１１】
一方、生体情報の変化は、前述の傾向的事象の他に、たとえば、生体情報取得時における指の読取り角度の不具合や指の怪我等により、読取った生体情報が突発的に変化したものとなる場合がある。このような突発的事象により変化した生体情報の場合には、本来の正しい生体情報でないために、登録されている照合用生体情報をその生体情報に更新しないほうが望ましい。このような実情に鑑み、本実施の形態では、読取った生体情報の変化が突発的事象に起因したものなのか傾向的事象に起因したものなのかを判定し、傾向的事象に起因したものの場合にのみ生体情報の更新を行なうための処理を実行するようにしている。
【０６１２】
まず、事象判定処理では、制御部３１０が、同じ生体情報ＩＤを示す複数の履歴データにそれぞれ示される複数の一致度合いの平均値を算出する。そして、制御部３１０は、算出した平均値と、今回のステップＳ４１５Ｄの処理で登録された履歴データ（図６７の履歴データＤ１１００Ａ）が示す一致度合いとの差が傾向的事象判定しきい値以上であるか否かを判定する。ここで、傾向的事象判定しきい値は、記憶部３２０に記憶されている、同一の生体情報を示す複数の履歴データに対応する生体情報が、突発的事象により大きく変化することがない傾向的事象であることを判定するためのしきい値である。
【０６１３】
ここで、突発的事象とは、前述したように、貨幣回収担当者の右人指し指を接触させる位置が正しい位置より少しずれていた事象、貨幣回収担当者の生体情報を取得させる部位が怪我をした事象等である。したがって、突発的事象が発生すると、判定される一致度合いは、複数の履歴データにそれぞれ示される複数の一致度合いの平均値から大きく離れる値となる。
【０６１４】
制御部３１０は、算出した平均値と、今回のステップＳ４１５Ｄの処理で登録された履歴データが示す一致度合いとの差が傾向的事象判定しきい値以内であると判定した場合、傾向的事象と判定する。また、制御部３１０は、算出した平均値と、今回のステップＳ４１５Ｄの処理で登録された履歴データが示す一致度合いとの差が傾向的事象判定しきい値より大きいと判定した場合、突発的事象と判定する。傾向的事象判定しきい値は、たとえば、２であるとする。
【０６１５】
ここで、算出された平均値は、９４であるとする。また、今回のステップＳ４１５Ｄの処理で登録された履歴データは、図６７の履歴データＤ１１００Ａであるとする。したがって、受信した履歴データが示す一致度合いは、９２（％）である。この場合、算出した平均値と、今回のステップＳ４１５Ｄの処理で登録された履歴データが示す一致度合いとの差が傾向的事象判定しきい値以内と判定され、傾向的事象と判定する。
【０６１６】
なお、傾向的事象および突発的事象の判定方法は、上記方法に限定されることなく他の方法であってもよい（変形例として後述する）。その後、ステップＳ１４５４に進む。
【０６１７】
ステップＳ１４５４では、制御部３１０が、事象判定処理により傾向的事象と判定されたか否かを判定する。ステップＳ１４５４において、ＹＥＳならば、ステップＳ１４４８に進む。一方、ステップＳ１４５４において、ＮＯならば、この再登録報知判定処理Ｔは終了し、図６２の認証処理ＴＤに戻り、ステップＳ４２８Ｄの次の処理に進む。
【０６１８】
すなわち、突発的事象の場合には、ステップＳ１４４８の再登録報知処理は行なわれず、認証成功の判断に従った開錠処理のみが行なわれるため（ステップＳ４３０Ｄ、Ｓ４３８）、突発的事象による無意味な再登録を促す報知を無くすことができるという効果を奏する。
【０６１９】
ここでは、傾向的事象と判定されたとして、ステップＳ１４４８に進む。
ステップＳ１４４８では、前述した再登録報知処理が行なわれるので詳細な説明は繰り返さない。そして、ステップＳ１４４８の処理は終了し、この再登録報知判定処理Ｔは終了し、図６２の認証処理ＴＤに戻り、ステップＳ４２８Ｄの次の処理に進む。
【０６２０】
以上説明したように、複数の履歴データから、最新の履歴データに基づき、傾向的事象および突発的事象のいずれかが判定される。そして、傾向的事象と判定された場合にのみ、生体情報の再登録を促す報知が行なわれる。
【０６２１】
したがって、突発的事象による無意味な再登録を促す報知を無くすことができるという効果を奏する。ここで、突発的事象とは、前述したように、たとえば、貨幣回収担当者の右人指し指を接触させる位置が正しい位置より少しずれていた事象、貨幣回収担当者の生体情報を取得させる部位が怪我をした事象等である。
【０６２２】
（生体情報の自動登録）
前述の実施の実施の形態では、生体情報の再登録が必要なときに、その旨の報知を行なう内容であったが、以下には、生体情報を自動的に再登録するための実施の形態について説明する。前述したように、人間の生体情報は、当該人間の成長、季節の変化等によりわずかながらでも変化するのが一般的である。以下においては、生体情報が変化した場合に、複数の島金庫３００（認証端末）の各々において行なわれる、担当者の本人認証を行なうための認証処理（以下、認証処理ＴＥともいう）について説明する。
【０６２３】
なお、前述の図２０の処理と、図５１、図５６、図５８および図５９のいずれかの処理と、図５２の処理とにより、認証端末としての島金庫３００の記憶部３２０には、照合用生体情報が記憶されているとする。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。記憶部３２０に記憶されている照合用生体情報は、複数生体情報登録テーブルと、複数生体情報登録テーブルを構成する複数の生体情報登録テーブルの各々に示される「生体情報ＩＤ」により特定される全ての生体情報である。
【０６２４】
ここで、照合用生体情報としての複数生体情報登録テーブルは、図５３の複数生体情報登録テーブルＤ５１０Ｄであるとする。この場合、記憶部３２０には、複数生体情報登録テーブルＤ５１０Ｄと、複数生体情報登録テーブルＤ５１０Ｄを構成する複数の生体情報登録テーブルの各々に示される「生体情報ＩＤ」により特定される全ての照合用生体情報が記憶される。
【０６２５】
図６９は、認証処理ＴＥのフローチャートである。図６９を参照して、認証処理ＴＥは、図６２の認証処理ＴＤと比較して、ステップＳ４２８Ｄの代わりにステップＳ４２８Ｅの処理が行なわれる点とが異なる。それ以外は、認証処理ＴＤと同様なので詳細な説明は繰り返さない。以下、認証処理ＴＤと異なる処理を、主に説明する。
【０６２６】
ステップＳ４０２では、前述したのと同様な処理が行なわれるので詳細な説明は繰り返さない。ここで、生体情報取得部３５０に、貨幣回収担当者の右人指し指が、生体情報取得部３５０に接触されたとする。この場合、生体情報取得部３５０は、接触した体の一部をデータ化した生体情報を、制御部３１０へ送信する。これにより、ステップＳ４０２において、ＹＥＳと判定されて、ステップＳ４１２Ｃに進む。この場合、制御部３１０が受信した生体情報は、貨幣回収担当者の右人指し指の指紋をデータ化した情報（たとえば、指紋の画像）である。
【０６２７】
ステップＳ４１２Ｃでは、図５５のステップＳ４１２Ｃの照合認証処理Ｃと同様な処理が行なわれるので詳細な説明は繰り返さない。この処理により、生体情報取得部３５０から受信した生体情報と、複数生体情報登録テーブルにおいて、「有効フラグ」がオンとなっている担当者ＩＤに対応する複数の生体情報ＩＤにそれぞれ対応する複数の照合用生体情報の各々とを照合し、一致度合いが判定される。一致度合いの判定方法は、図２８のステップＳ４１２の照合認証処理Ａと同様なので詳細な説明は繰り返さない。
【０６２８】
ここで、制御部３１０が生体情報取得部３５０から受信した生体情報は、貨幣回収担当者の右人指し指の指紋をデータ化した情報（たとえば、指紋の画像）であるとする。また、複数生体情報登録テーブルは、図５３の複数生体情報登録テーブルＤ５１０Ｄである。そのため、この照合認証処理Ｃでは、制御部３１０により、受信した生体情報と、図５３の複数生体情報登録テーブルＤ５１０Ｄにおいて、「有効フラグ」がオンとなっている担当者ＩＤ“１１０１”に対応する複数の生体情報ＩＤ“ＢＭ０１０１”，“ＢＭ０１０２”，“ＢＭ０１０３”，“ＢＭ０１０４”によりそれぞれ特定される複数の照合用生体情報の各々との一致度合いが判定される。
【０６２９】
ここでは、判定された一致度合いは、９２％であるとする。したがって、一致度合いが９２％であると判定されるのに使用された貨幣回収担当者の生体情報は、貨幣回収担当者の右人指し指の指紋をデータ化した情報（たとえば、指紋の画像）である。また、一致度合いが９２％であると判定されるのに使用された照合用生体情報は、生体情報ＩＤ“ＢＭ０１０１” により特定される照合用生体情報（担当者ＩＤ“１１０１”の貨幣回収担当者の右人指し指の生体情報）である。また、この場合、制御部３１０により認証成功と判定されたとする。制御部３１０により、認証の結果が判定されると、照合認証処理Ｃは終了し、ステップＳ４１４に進む。
【０６３０】
なお、ステップＳ４１２Ｃでは、図２７で説明したように、担当者ＩＤの入力操作を事前に行なって、図２８の照合認証処理Ａまたは、ステップＳ４１３の照合認証処理Ｂが行なわれてもよい。
【０６３１】
ステップＳ４１４では、前述した図２８のステップＳ４１４の処理と同様な処理が行なわれるので詳細な説明は繰り返さない。この処理により、認証結果情報が、管理装置５００へ送信される。そして、ステップＳ４１５Ｄに進む。
【０６３２】
管理装置５００では、前述した図３０の認証結果情報受信処理Ｓが行なわれことにより、表示部５３０に認証結果が表示される。
【０６３３】
ステップＳ４１５Ｄでは、前述した履歴データ登録処理が行なわれるので詳細な説明は繰り返さない。この処理により、記憶部３２０には、図６３の履歴データＤ１１００と、履歴データＤ１１００が示す生体情報ＩＤに対応させて、今回照合された生体情報（照合済生体情報）が、記憶部３２０に記憶される。そして、ステップＳ４１６Ｄに進む。
【０６３４】
ステップＳ４１６Ｄでは、前述したのと同様な処理が行なわれるので詳細な説明は繰り返さない。この処理により、前述の照合認証処理Ｃにおいて判定された一致度合いが、再登録判定しきい値以下であるか否かが判定される。ここで、再登録判定しきい値は、９３（％）であるとする。ここで、前述の照合認証処理Ｃにおいて判定された一致度合いは、９２（％）であるとする。したがって、ステップＳ４１６Ｄにおいて、ＹＥＳと判定され、ステップＳ４２０Ｄに進む。
【０６３５】
ステップＳ４２０Ｄでは、前述したのと同様な処理が行なわれるので詳細な説明は繰り返さない。ここで、前述の照合認証処理Ｃにおいて判定された一致度合いは、９２（％）であるとする。また、生体情報取得部位判定しきい値は、８０（％）であるとする。この場合、ステップＳ４２０Ｄにおいて、ＹＥＳと判定されて、ステップＳ４２１に進む。
【０６３６】
ステップＳ４２１では、前述した図２８のステップＳ４２１の処理と同様な処理が行なわれるので詳細な説明は繰り返さない。そして、ステップＳ４２２Ｄに進む。
【０６３７】
ステップＳ４２２Ｄでは、前述したのと同様な処理が行なわれるので詳細な説明は繰り返さない。ここで、前述の照合認証処理Ｃにおいて判定された一致度合いは、９２（％）であるとする。また、認証成功判定しきい値は、９０（％）であるとする。この場合、ステップＳ４２２Ｄにおいて、ＹＥＳと判定されて、ステップＳ４２８Ｅに進む。
【０６３８】
ステップＳ４２８Ｅでは、再登録実行判定処理Ｔが行なわれる。
図７０は、再登録実行判定処理Ｔのフローチャートである。図７０を参照して、再登録実行判定処理Ｔは、図６４の再登録報知判定処理Ｔと比較して、ステップＳ１４４８の代わりにステップＳ１４４８Ｅの処理が行なわれる点とが異なる。それ以外は、再登録報知判定処理Ｔと同様なので詳細な説明は繰り返さない。以下、受信処理Ｓと異なる処理を、主に説明する。
【０６３９】
ステップＳ１４３０では、前述したのと同様な処理が行なわれるので詳細な説明は繰り返さない。ここで、記憶部３２０には、１つの履歴データしか記憶されてないとする。この場合、ＮＯと判定されて、ステップＳ１４４８Ｅに進む。
【０６４０】
ステップＳ１４４８Ｅでは、再登録処理Ｔが行なわれる。再登録処理Ｔでは、制御部３１０が、照合対象となった照合用生体情報を記憶部３２０から削除し、ステップＳ４１５Ｄで記憶された履歴データとしての照合済生体情報を、当該削除した照合用生体情報の代わりに新たな照合用生体情報として記憶部３２０に記憶させる。
【０６４１】
記憶部３２０に記憶される新たな照合用生体情報は、ステップＳ４１５の処理記憶された照合済生体情報に対応する生体情報ＩＤにより特定される生体情報（照合済生体情報）である。つまり、現時点で、記憶部３２０に記憶されている照合済生体情報のうち最近に記憶された最も新しいものを選択して新たな照合用生体情報として登録する。
【０６４２】
以上説明したように、事前に島金庫３００（認証端末）に登録した貨幣回収担当者の照合用生体情報と、当該登録時における貨幣回収担当者の生体情報との平均的な一致度合いが、認証成功判定しきい値以上であって、かつ、認証成功判定しきい値に近い値まで低下した場合に、現在の貨幣回収担当者の生体情報が、新たな照合用生体情報として、複数の島金庫３００（認証端末）の各々に自動的に再登録される。
【０６４３】
したがって、管理装置５００において、再登録の操作を行なうといった無駄な手間をかけることなく、再登録の対象となった貨幣回収担当者の認証処理による一致度合いは向上する。
【０６４４】
なお、人間の生体情報は短期間で変化することはない。したがって、短期間（たとえば、１週間）毎に生体情報の再登録が行なわれることはない。したがって、合理的な生体情報照合システムを提供することができる。
【０６４５】
人間の生体情報は、たとえば、怪我等により、突発的に変化する場合がある。以下においては、人間の生体情報が、突発的に変化した場合にも対応する、複数の島金庫３００（認証端末）の各々において行なわれる、担当者の本人認証を行なうための認証処理について説明する。
【０６４６】
まず、所定期間（たとえば、一週間）において、同一の担当者ＩＤ（たとえば、“１１０１”）の貨幣回収担当者が、同一の生体情報ＩＤ（たとえば、“ＢＭ０１０１”）により特定される生体情報を使用して、同一の端末ＩＤ（たとえば、“ＭＢ００１”の島金庫３００（認証端末）の操作を複数回行なったとする。この場合、端末ＩＤ“ＭＢ００１”の島金庫３００（認証端末）において、図６９の認証処理ＴＥが、複数回行なわれたとする。
【０６４７】
この処理により、管理装置３００の記憶部３２０には、図７０のステップＳ４１５Ｄの履歴データ登録処理が繰返し行なわれることにより、履歴データテーブルと、複数の照合済生体情報が記憶される。履歴データテーブルは、同一の生体情報ＩＤを示す所定個数の履歴データから構成される。所定個数は、たとえば、５であるとする。ここで、履歴データテーブルは、図６６の履歴データテーブルＤ１２００であるとする。また、記憶部３２０には、履歴データテーブルＤ１２００に示される複数の生体情報ＩＤにそれぞれ対応づけられた複数の照合済生体情報が記憶されているとする。
【０６４８】
次に、端末ＩＤ“ＭＢ００１”の島金庫３００（認証端末）において、図６９の認証処理ＴＥが行なわれる場合の処理について説明する。端末ＩＤ“ＭＢ００１”の島金庫３００（認証端末）の操作を行なう貨幣回収担当者の担当者ＩＤは、“１１０１”であるとする。
【０６４９】
ステップＳ４０２では、前述したのと同様な処理が行なわれるので詳細な説明は繰り返さない。ここで、生体情報取得部３５０に、担当者ＩＤ“１１０１”の貨幣回収担当者の右人指し指が、生体情報取得部３５０に接触されたとする。この場合、生体情報取得部３５０は、接触した体の一部をデータ化した生体情報を、制御部３１０へ送信する。これにより、ステップＳ４０２において、ＹＥＳと判定されて、ステップＳ４１２Ｃに進む。
【０６５０】
ステップＳ４１２Ｃでは、前述した照合認証処理Ｃが行なわれるので詳細な説明は繰り返さない。この処理により、判定された一致度合いは、９２％であるとする。この場合、制御部３１０により認証成功と判定されたとする。そして、ステップＳ４１４に進む。
【０６５１】
ステップＳ４１４では、前述した図２８のステップＳ４１４の処理と同様な処理が行なわれるので詳細な説明は繰り返さない。この処理により、認証結果情報が、管理装置５００へ送信される。そして、ステップＳ４１５Ｄに進む。
【０６５２】
管理装置５００では、前述した図３０の認証結果情報受信処理Ｓが行なわれことにより、表示部５３０に認証結果が表示される。
【０６５３】
ステップＳ４１５Ｄでは、前述したのと同様な処理が行なわれる。今回の処理で登録される履歴データは、以下の履歴データＤ１１００Ａであるとする。また、履歴データＤ１１００Ａが示す生体情報ＩＤに対応させて、今回照合された生体情報（照合済生体情報）が、履歴データとして、記憶部３２０に記憶される。
【０６５４】
具体的に説明すれば、記憶部３２０に、図６６の履歴データテーブルＤ１２００が記憶されている状態で、今回照合された生体情報が履歴データ（照合済生体情報を含む）として新たに登録されると、図６８の履歴データテーブルＤ１２００Ａのように、１番古い履歴データが抹消された上で今回の履歴データが新たに記憶される。
【０６５５】
したがって、ステップＳ４１５Ｄの処理により、記憶部３２０に記憶されている履歴データテーブルＤ１２００は、前述した図６８の履歴データテーブルＤ１２００Ａとなる。そして、ステップＳ４１５Ｄの処理は終了する。
【０６５６】
ステップＳ４１６Ｄでは、前述したのと同様な処理が行なわれるので詳細な説明は繰り返さない。ここで、前述の照合認証処理Ｃにおいて判定された一致度合いは、９２（％）であるとする。したがって、ステップＳ４１６Ｄにおいて、ＹＥＳと判定され、ステップＳ４２０Ｄに進む。
【０６５７】
ステップＳ４２０Ｄでは、前述したのと同様な処理が行なわれるので詳細な説明は繰り返さない。ここで、前述の照合認証処理Ｃにおいて判定された一致度合いは、９２（％）であるとする。また、生体情報取得部位判定しきい値は、８０（％）であるとする。この場合、ステップＳ４２０Ｄにおいて、ＹＥＳと判定されて、ステップＳ４２１に進む。
【０６５８】
ステップＳ４２１では、前述した図２８のステップＳ４２１の処理と同様な処理が行なわれるので詳細な説明は繰り返さない。そして、ステップＳ４２２Ｄに進む。
【０６５９】
ステップＳ４２２Ｄでは、前述したのと同様な処理が行なわれるので詳細な説明は繰り返さない。ここで、前述の照合認証処理Ｃにおいて判定された一致度合いは、９２（％）であるとする。また、認証成功判定しきい値は、９０（％）であるとする。この場合、ステップＳ４２２Ｄにおいて、ＹＥＳと判定されて、ステップＳ４２８Ｅに進む。
【０６６０】
ステップＳ４２８Ｅでは、再登録実行判定処理Ｔが行なわれる。
再び、図７０を参照して、ステップＳ１４３０では、前述したように、制御部３１０が、記憶部３２０に、１つの生体情報ＩＤにつき、所定個数以上の履歴データが記憶されているか否かを判定する。ここで、所定個数は、たとえば、“５”であるとする。また、記憶部３２０には、５個の履歴データから構成される、図６８の履歴データテーブルＤ１２００Ａが記憶されているとする。この場合、ステップＳ１４３０において、１つの生体情報ＩＤにつき、所定個数以上の履歴データが記憶されていると判定され、ステップＳ１４５０に進む。
【０６６１】
ステップＳ１４５０では、前述したのと同様な処理が行なわれるので詳細な説明は繰り返さない。ここで、今回のステップＳ４１５Ｄの処理で登録された履歴データは、図６７の履歴データＤ１１００Ａであるとする。また、記憶部３２０には、５個の履歴データから構成される、図６８の履歴データテーブルＤ１２００Ａが記憶されているとする。この場合、５個の履歴データが示す同一の生体情報ＩＤは、“ＢＭ０１０１”であるとする。この場合、ステップＳ１４５０において、ＹＥＳと判定されて、ステップＳ１４５２に進む。
【０６６２】
ステップＳ１４５２では、前述した事象判定処理が行なわれるので詳細な説明は繰り返さない。ここでは、傾向的事象と判定されたとする。
【０６６３】
ステップＳ１４５４では、前述したのと同様な処理が行なわれるので詳細な説明は繰り返さない。ここでは、傾向的事象と判定されたとして、ステップＳ１４４８Ｅに進む。
【０６６４】
ステップＳ１４４８Ｅでは、前述した再登録処理Ｔが行なわれる。再登録処理Ｔでは、前述したように、制御部３１０が、照合対象となった照合用生体情報を記憶部３２０から削除し、ステップＳ４１５Ｄで記憶された履歴データとしての照合済生体情報を、当該削除した照合用生体情報の代わりに新たな照合用生体情報として記憶部３２０に記憶させる。
【０６６５】
記憶部３２０に記憶される新たな照合用生体情報は、ステップＳ４１５の処理記憶された照合済生体情報に対応する生体情報ＩＤにより特定される生体情報（照合済生体情報）である。つまり、現時点で、記憶部３２０に記憶されている照合済生体情報のうち最近に記憶された最も新しいものを選択して新たな照合用生体情報として登録する。
【０６６６】
ここで、記憶部３２０には、図６８の履歴データテーブルＤ１２００Ａが記憶されているとする。この場合、履歴データテーブルＤ１２００Ａにおいて、今回新たに記憶された履歴データである番号５の「０６／０９／２８／１０：３５」の時点で照合された生体情報（照合済生体情報）が新たな照合用生体情報として登録されるのである。その結果、再登録移行は、この最新の照合用生体情報を用いての照合認証が行なわれることになり、傾向的事象に起因した生体情報の経時的変化に追従した照合認証が可能になる。
【０６６７】
なお、照合済生体情報は、上記の方法により選択されるものに限定されることなく、たとえば、当該複数の照合済生体情報の平均の生体情報であってもよい。また、照合済生体情報は、たとえば、複数の照合済生体情報のうち、対応する一致度合の平均値に最も近い照合済生体情報であってもよい。
【０６６８】
以上説明したように、複数の履歴データから、最新の履歴データに基づき、傾向的事象および突発的事象のいずれかが判定される。そして、傾向的事象と判定された場合にのみ、複数の島金庫３００（認証端末）の各々において生体情報の再登録が自動的に行なわれる。
【０６６９】
したがって、突発的事象による無意味な再登録を無くすことができるという効果を奏する。ここで、突発的事象とは、前述したように、たとえば、貨幣回収担当者の右人指し指を接触させる位置が正しい位置より少しずれていた事象、貨幣回収担当者の生体情報を取得させる部位が怪我をした事象等である。
【０６７０】
また、複数の島金庫３００（認証端末）の各々に自動的に再登録が行なわれる生体情報は、認証成功した複数の生体情報のうち、最も新しい生体情報である。すなわち、最も一致度合いが低いものである。そのため、複数の島金庫３００（認証端末）の各々に新たに登録された照合用生体情報は信頼性の高いものとなり、貨幣回収担当者の認証処理による一致度合いは向上する。
【０６７１】
次に、前述した実施の形態により得られる主な効果を説明する。
（１−１）
図１、図２で説明したように、生体情報照合システム１００００は、遊技場４０００に含まれる複数の島金庫３００と、管理装置５００とを含む。図１４のステップＳ１３２で説明したように、管理装置５００の制御部５１０によって、利用者の生体情報（たとえば、人間の指紋、静脈、網膜、虹彩、顔をデータ化した情報、人間が発した声をデータ化した情報（声紋））が取得される。
【０６７２】
図２０のステップＳ２１０で説明したように、管理装置５００の制御部５１０によって、取得された生体情報を、照合用生体情報として記憶させる複数の島金庫３００の選択（たとえば、端末一覧画像Ｇ２７０に表示される複数の「チェック」の欄にチェックマークを表示するための選択操作）が受付けられる。
【０６７３】
図２０のステップＳ２２１で説明したように、制御部５１０によって、取得した生体情報が、照合用生体情報として記憶させるために、選択が受付けられた複数の島金庫３００の各々へ送信される。
【０６７４】
このため、照合用生体情報を複数の島金庫３００に登録するための作業負担が軽減される。すなわち、照合を行なうための照合用生体情報を島金庫３００に登録する際の手間を軽減できるという効果を奏する。
【０６７５】
（１−２）
図３５のステップＳ１１１Ａで説明したように、管理装置５００の起動処理ＳＡに伴って、照合用生体情報が、選択された複数の島金庫３００の各々へ送信される。図３５のステップＳ１９０Ａ，Ｓ１９２Ａで説明したように、管理装置５００の終了処理ＳＡに伴って、島金庫３００の記憶部３２０に記憶されている照合用生体情報を削除するための削除指示ＳＡが、島金庫３００へ送信される。
【０６７６】
このため、管理装置５００の終了処理ＳＡ時に、島金庫３００に記憶されている照合用生体情報が削除される処理が行なわれる。その結果、管理装置５００が動作してないときに、島金庫３００に照合用生体情報が残存することがなく、セキュリティを向上させることができるという効果を奏する。
【０６７７】
また、管理装置５００の終了処理ＳＡに、当該管理装置５００とオフライン状態の島金庫３００が存在する場合、当該島金庫３００の記憶部３２０に記憶されている照合用生体情報は削除されない。したがって、たとえば、翌日においても、管理装置５００の起動処理時に、照合用生体情報が削除されなかった島金庫３００と、管理装置５００とがオフラインであっても、当該照合用生体情報が削除されなかった島金庫３００において、前述の認証処理（たとえば、図２７の認証処理Ｔ）により島金庫３００（認証端末）を開錠状態にすることができるという効果を奏する。
【０６７８】
また、動作中の管理装置５００に不足の自体（たとえば、故障等）が発生し、ステップＳ１９０Ａの終了処理ＳＡが行なわれなかった場合、複数の島金庫３００の記憶部３２０に記憶されている照合用生体情報は削除されない。したがって、たとえば、翌日においても、管理装置５００の発生した不足の自体が解消されず、ステップＳ１１１Ａの処理が行なわれなかったとしても、複数の島金庫３００の各々において、前述の認証処理（たとえば、図２７の認証処理Ｔ）により島金庫３００（認証端末）を開錠状態にすることができるという効果を奏する。
【０６７９】
（１−３）
図４０のステップＳ１１１Ｂで説明したように、管理装置５００の制御部５１０によって、管理装置５００の起動処理ＳＢに伴って、照合用生体情報を有効化するための有効化指示ＳＢが、島金庫３００へ送信される。図４０のステップＳ１９０Ｂ，Ｓ１９２Ｂで説明したように、管理装置５００の終了処理ＳＢに伴って、島金庫３００の記憶部３２０に記憶されている照合用生体情報を無効化するための無効化指示ＳＢが、島金庫３００へ送信される。
【０６８０】
図４１のステップＳ２８０，Ｓ２８１で説明したように、制御部３１０によって、有効化指示ＳＢが受信されたときに、島金庫３００の記憶部３２０に記憶されている照合用生体情報が有効化される。
【０６８１】
図４２のステップＳ２７０Ｂ，Ｓ２７１Ｂで説明したように、制御部３１０によって、無効化指示ＳＢが受信されたときに、島金庫３００の記憶部３２０に記憶されている照合用生体情報が無効化される。
【０６８２】
このため、管理装置５００の終了処理ＳＢに、島金庫３００に記憶されている照合用生体情報が無効化される処理が行なわれる。その結果、管理装置５００が動作してないときに、島金庫３００において、不正に本人認証されることが不可能となる。そのため、セキュリティを向上させることができるという効果を奏する。
【０６８３】
（１−４）
図４３のステップＳ６１０で説明したように、島金庫３００の制御部３１０によって、島金庫３００の起動処理Ｔに伴って、管理装置５００との間での通信状況が通信可能状態（オンライン）であるか通信不能状態（オフライン）であるかが判定される。
【０６８４】
図４３のステップＳ６１０，ステップＳ６１４で説明したように、島金庫３００の制御部３１０によって、通信不能状態（オフライン）であると判定されたときに、島金庫３００の記憶部３２０に記憶されている照合用生体情報が有効化される。
【０６８５】
このため、管理装置５００との間で通信不能状態が発生しており、有効化指示を受信できない場合であっても、島金庫３００で本人認証することができるという効果を奏する。
【０６８６】
また、図４３のステップＳ６１２で説明したように、島金庫３００において、照合用生体情報を有効化する処理は、照合用生体情報が無効化されている場合に行なわれる。したがって、たとえば、管理装置５００の不正終了等により、前述した図４０の起動処理ＳＢのステップＳ１９０Ｂが行なわれず、記憶部３２０に記憶されている照合用生体情報が有効のまま、島金庫３００が電源オフとなった場合、照合用生体情報を有効化するといった、無駄な処理を行なうことを防止することができる。
【０６８７】
（１−５）
図４４で説明したように、島金庫３００の記憶部３２０によって、貨幣を回収することを許可された貨幣回収担当者を個々に識別可能な担当者ＩＤに対応付けて複数の照合用生体情報が記憶される。
【０６８８】
図４４のステップＳ７１０で説明したように、管理装置５００の制御部５１０によって、担当者ＩＤの入力が受付けられ、受付けられた担当者ＩＤを含む、照合用生体情報を削除するための削除指示ＳＢが島金庫３００へ送信される。
【０６８９】
図４７のステップＳ７１０で説明したように、管理装置５００の制御部５１０によって、担当者ＩＤの入力が受付けられ、受付けられた担当者ＩＤを含む、照合用生体情報を削除するための無効化指示ＳＢが島金庫３００へ送信される。
【０６９０】
図４４のステップＳ７６０，Ｓ７６１で説明したように、島金庫３００の制御部３１０によって、削除指示ＳＢが受信されたときに（ステップＳ７６０でＹＥＳと判定された場合）、削除指示ＳＢに含まれる担当者ＩＤに対応付けて記憶されている全ての照合用生体情報が削除される。
【０６９１】
図４７のステップＳ７６０Ｂ，Ｓ７６１Ｂで説明したように、島金庫３００の制御部３１０によって、無効化指示ＳＢが受信されたときに（ステップＳ７６０ＢでＹＥＳと判定された場合）、無効化指示ＳＢに含まれる担当者ＩＤに対応付けて記憶されている全ての照合用生体情報が無効化される。
【０６９２】
このため、複数の複数の照合用生体情報を削除あるいは無効化する際の手間が軽減されるという効果を奏する。
【０６９３】
（１−６）
図２８のステップＳ４２１で説明したように、島金庫３００の制御部３１０によって、複数の照合用生体情報の各々について本人認証に使用された認証頻度を特定可能な照合回数が記憶部３２０に記憶される。
【０６９４】
図２８のステップＳ４１３で説明したように、島金庫３００の制御部３１０によって、複数の照合用生体情報のうち、照合回数の多い照合用生体情報から順に取得した生体情報との照合が行なわれる。
【０６９５】
このため、使用頻度が照合用生体情報から順に照合が行なわれるため、無駄な照合が行なわれる可能性が低くなり、認証時間を短縮することができるという効果を奏する。
【０６９６】
（１−７）
図２４で説明したように、図８のステップＳ１３０，ステップＳ１４２の処理が繰返し行なわれることにより、管理装置５００の制御部５１０によって、利用者の生体情報が複数の利用者分取得される。
【０６９７】
図２０のステップＳ２１０で説明したように、管理装置５００の制御部５１０によって、取得された複数の利用者分の生体情報を、照合用生体情報として記憶させる島金庫３００の選択（たとえば、図１８の端末一覧画像Ｇ２７０に表示される複数の「チェック」のうち、１つにチェックマークを表示するための選択操作）が受付けられる。
【０６９８】
図２０のステップＳ２２１で説明したように、制御部５１０によって、取得した複数の利用者分の生体情報が、照合用生体情報として記憶させるために、選択が受付けられた島金庫３００へ送信される。
【０６９９】
このため、複数の貨幣回収担当者の照合用生体情報を、選択した特定の島金庫３００に登録するための作業負担が軽減される。すなわち、照合を行なうための照合用生体情報を認証端末に登録する際の手間を軽減できるという効果を奏する。
【０７００】
（２−１）
図５１の処理が行なわれる前提として説明したように、島金庫３００の記憶部３２０によって、島金庫３００の操作を許可されている複数の貨幣回収担当者それぞれの照合用生体情報が記憶される。
【０７０１】
図５１または図５６のステップＳ１１１０で説明したように、制御部５１０によって、各貨幣回収担当者を個々に識別可能な担当者ＩＤが受付けられる。また、図５１または図５６のステップＳ１１２０で説明したように、制御部５１０によって、各貨幣回収担当者を個々に識別可能な担当者ＩＤが受付けられる。
【０７０２】
図５１または図５６のステップＳ１１１０で説明したように、制御部５１０によって、担当者ＩＤを受付けることにより、受付けた担当者ＩＤに対応する貨幣回収担当者の出社が判定される。図５１または図５６のステップＳ１１２０で説明したように、制御部５１０によって、担当者ＩＤを受付けることにより、受付けた担当者ＩＤに対応する貨幣回収担当者の退社が判定される。
【０７０３】
図５１または図５６のステップＳ１１１０，Ｓ１１１２、図５２のステップＳ１１５１で説明したように、貨幣回収担当者の出社が判定されたときに（たとえば、図５１または図５６のステップＳ１１１０でＹＥＳと判定された場合）、制御部３１０によって、島金庫３００の記憶部３２０に記憶されている複数の照合用生体情報のうち、出社が判定された貨幣回収担当者に対応する照合用生体情報が有効化される。
【０７０４】
図５１または図５６のステップＳ１１１０，Ｓ１１１２、図５２のステップＳ１１５１で説明したように、制御部５１０によって、貨幣回収担当者の出社が判定されたときに（たとえば、図５１または図５６のステップＳ１１１０でＹＥＳと判定された場合）、制御部３１０によって、島金庫３００の記憶部３２０に記憶されている複数の照合用生体情報のうち、出社が判定された貨幣回収担当者に対応する照合用生体情報が有効化される。
【０７０５】
図５１のステップＳ１１２０，Ｓ１１２２、図５４のステップＳ１１６１で説明したように、制御部５１０によって、貨幣回収担当者の退社が判定されたときに（たとえば、図５１または図５６のステップＳ１１２０でＹＥＳと判定された場合）、制御部３１０によって、島金庫３００の記憶部３２０に記憶されている複数の照合用生体情報のうち、退社が判定された貨幣回収担当者に対応する照合用生体情報が無効化される。
【０７０６】
図５６のステップＳ１１２０，Ｓ１１２２Ａ、図５４のステップＳ１１６１で説明したように、制御部５１０によって、貨幣回収担当者の退社が判定されたときに（たとえば、図５１または図５６のステップＳ１１２０でＹＥＳと判定された場合）、制御部３１０によって、島金庫３００の記憶部３２０に記憶されている複数の照合用生体情報のうち、退社が判定された貨幣回収担当者に対応する照合用生体情報が無効化される。
【０７０７】
図５５のステップＳ４０２で説明したように、制御部３１０によって、貨幣回収担当者の生体情報が取得される。
【０７０８】
図５５のステップＳ４１２Ｃで説明したように、制御部３１０によって、取得された生体情報と、島金庫３００の記憶部３２０に記憶されている複数の照合用生体情報のうち、有効化された照合用生体情報との照合を行なって、担当者の本人認証が行なわれる。
【０７０９】
図５５のステップＳ４３０Ｃ，Ｓ４３８で説明したように、制御部３１０によって、貨幣回収担当者が認証されたときに、貨幣回収担当者による島金庫３００の操作が許可される。
【０７１０】
このため、出社が判定された担当者の照合用生体情報のみ有効化され、未出社の担当者の照合用生体情報は有効化されないため、高いセキュリティを維持することができるという効果を奏する。
【０７１１】
（２−２）
図５６のステップＳ１１１４Ａ，Ｓ１１１５Ａ、図５４のステップＳ１１６１で説明したように、制御部５１０および制御部３１０によって、貨幣回収担当者の出社が判定されてから所定時間経過したときに、または、予め定められた時刻になったときに、貨幣回収担当者に対応する照合用生体情報が無効化される。
【０７１２】
このため、貨幣回収担当者が退社を行なうための操作（たとえば、退社モードの出社退社判定装置６００に、貨幣回収担当者がＩＤカードを近づける操作）を忘れて退社したとしても、該担当者の照合用生体情報が有効化され続けることがなく、セキュリティを担保できるという効果を奏する。
【０７１３】
（２−３）
図５８の処理が行なわれる前提として説明したように、島金庫３００の記憶部３２０によって、島金庫３００の操作を許可されている複数の貨幣回収担当者それぞれの照合用生体情報が記憶される。
【０７１４】
図５７で説明したように、島金庫３００の記憶部３２０によって、複数の貨幣回収担当者の各々の出社予定時刻および退社予定時刻を含む勤務予定情報（勤務予定データテーブルＤ１０００を構成する各勤務予定データ）が各担当者毎に記憶される。
【０７１５】
図５８のステップＳ１２１０，Ｓ１２１２、図５２のステップＳ１１５１で説明したように、現在の時刻が、勤務予定データテーブルＤ１０００を構成する複数の勤務予定データのいずれかに含まれる出社予定時刻になったときに、制御部５１０および制御部３１０によって、島金庫３００の記憶部３２０に記憶されている複数の照合用生体情報のうち、該出社予定時刻が含まれる勤務予定データに対応する貨幣回収担当者の照合用生体情報が有効化される。
【０７１６】
図５８のステップＳ１２２０，Ｓ１２２２、図５４のステップＳ１１６１で説明したように、現在の時刻が、勤務予定データテーブルＤ１０００を構成する複数の勤務予定データのいずれかに含まれる退社予定時刻になったときに、制御部５１０および制御部３１０によって、島金庫３００の記憶部３２０に記憶されている複数の照合用生体情報のうち、該退社予定時刻が含まれる勤務予定データに対応する貨幣回収担当者の照合用生体情報が無効化される。
【０７１７】
図５５のステップＳ４０２で説明したように、制御部３１０によって、貨幣回収担当者の生体情報が取得される。
【０７１８】
図５５のステップＳ４１２Ｃで説明したように、制御部３１０によって、取得された生体情報と、島金庫３００の記憶部３２０に記憶されている複数の照合用生体情報のうち、有効化された照合用生体情報との照合を行なって、貨幣回収担当者の本人認証が行なわれる。
【０７１９】
図５５のステップＳ４３８で説明したように、制御部３１０によって、貨幣回収担当者が認証されたときに、該貨幣回収担当者による島金庫３００の操作が許可される。
【０７２０】
このため、出社が判定された担当者の照合用生体情報のみ有効化され、未出社の担当者の照合用生体情報は有効化されないため、高いセキュリティを維持することができるという効果を奏する。
【０７２１】
（２−４）
図５９のステップＳ１３１２、ステップＳ１３２０で説明したように、制御部５１０によって、各貨幣回収担当者を個々に識別可能な担当者ＩＤと、該各貨幣回収担当者の照合用生体情報を有効化するための貨幣回収担当者の生体情報とが受付けられる。
【０７２２】
図５９のステップＳ１３２２で説明したように、制御部５１０によって、該受付けた担当者ＩＤと貨幣回収担当者の生体情報とに基づいて、担当者の本人認証が行なわれる。
【０７２３】
図５９のステップＳ１３３０，Ｓ１３３６、図５２のステップＳ１１５１で説明したように、制御部５１０および制御部３１０によって、貨幣回収担当者が認証されたときにも、島金庫３００の記憶部３２０に記憶されている複数の照合用生体情報のうち、受付けた担当者ＩＤに対応する貨幣回収担当者の照合用生体情報が有効化される。
【０７２４】
このため、勤務予定情報に基づいて、複数の島金庫３００の各々において、貨幣回収担当者の照合用生体情報を有効化または無効化するシステムにおいても、勤務予定時刻外に出勤した貨幣回収担当者が島金庫３００を操作することが可能となる。
【０７２５】
（２−５）
図６２のステップＳ４１２Ｃで説明したように、制御部３１０によって、取得された生体情報と、島金庫３００の記憶部３２０に記憶されている複数の照合用生体情報のうち、有効化された照合用生体情報と照合した結果の一致度合いに基づいて本人認証が行なわれる。
【０７２６】
図６２のステップＳ４１６Ｄ，Ｓ４２８Ｄ，図６４のステップＳ１４４８で説明したように、制御部３１０によって、一致度合いが予め定められた値以下であると判定されたことを条件に、制御部５１０によって、該判定された生体保有者の生体情報の再登録が促される。
【０７２７】
このため、人間の生体情報は短期間で変化することはないので、短期間（たとえば、１週間）毎に生体情報の再登録を促す報知が行なわれることはない。したがって、合理的な生体情報照合システムを提供することができる。
【０７２８】
（２−６）
図６９のステップＳ４１２Ｃで説明したように、制御部３１０によって、取得された生体情報と、島金庫３００の記憶部３２０に記憶されている複数の照合用生体情報のうち、有効化された照合用生体情報とを照合した結果の一致度合いに基づいて本人認証が行なわれる。
【０７２９】
図６９のステップＳ４２８Ｅ、図７０のステップＳ１４４８Ｅで説明したように、制御部３１０によって、一致度合いが予め定められた値以下であると判定されたことを条件に、制御部５１０および制御部３１０によって、該判定された生体保有者の新たな照合用生体情報が島金庫３００の記憶部３２０に再登録される。
【０７３０】
このため、再登録の操作を行なうといった無駄な手間をかけることなく、再登録の対象となった貨幣回収担当者の認証処理による一致度合いは向上する。また、人間の生体情報は短期間で変化することはないので、短期間（たとえば、１週間）毎に生体情報の再登録が行なわれることはない。したがって、合理的な生体情報照合システムを提供することができる。
【０７３１】
（発明の展開）
最後に、本発明の変形例について説明する。
【０７３２】
（１）
前述の実施の形態では、生体情報取得部３５０および生体情報取得装置５９０が取得する生体情報は、人間の体の一部である指紋をデータ化した情報であるとした。しかしながら、これに限定されることなく、取得される生体情報は、静脈、網膜、虹彩、顔等をデータ化した情報であってもよい。また、取得される生体情報は、人間が発した声に基づく声紋等であってもよい。
【０７３３】
（２）
前述の実施の形態では、島金庫３００には、入力部３４０としての複数のボタンが設けられていた。しかしながら、島金庫３００には、入力部３４０としての複数のボタンが設けられていなくてもよい。
【０７３４】
（３）
前述の実施の形態では、図２０で説明したように、管理装置５００が、照合用生体情報を、複数の島金庫３００（認証端末）の各々へ送信し、複数の島金庫３００（認証端末）の各々において、受信した照合用生体情報を登録する処理を説明した。
【０７３５】
しかしながら、これに限定されることなく、複数の島金庫３００（認証端末）のいずれかにおいて貨幣回収担当者の生体情報を取得するとともに、当該生体情報を記憶させる島金庫３００の選択を受付け、当該貨幣回収担当者の生体情報を取得した島金庫３００（認証端末）が、ネットワークで接続されている他の複数の島金庫３００（認証端末）へ送信してもよい。そして、他の複数の島金庫３００（認証端末）の各々において、受信した照合用生体情報が登録される。
【０７３６】
つまり、管理装置５００を使用することなく、複数の島金庫３００（認証端末）のいずれかを登録装置としてもよい。
【０７３７】
（４）
前述の実施の形態では、管理装置５００において、複数の島金庫３００（認証端末）の各々の記憶部３２０に記憶されている複数の照合用生体情報のうち、特定の貨幣回収担当者の照合用生体情報を削除するための処理が行なわれていた。
【０７３８】
しかしながら、これに限定されることなく、管理装置５００を使用することなく、複数の島金庫３００（認証端末）のいずれかにおいて、他の複数の島金庫３００（認証端末）の各々の記憶部３２０に記憶されている複数の照合用生体情報のうち、特定の貨幣回収担当者の照合用生体情報を削除するための処理が行なわれてもよい。
【０７３９】
（５）
前述の実施の形態では、管理装置５００において、複数の島金庫３００（認証端末）の各々の記憶部３２０に記憶されている複数の照合用生体情報のうち、特定の貨幣回収担当者の照合用生体情報を無効化するための処理が行なわれていた。
【０７４０】
しかしながら、これに限定されることなく、管理装置５００を使用することなく、複数の島金庫３００（認証端末）のいずれかにおいて、他の複数の島金庫３００（認証端末）の各々の記憶部３２０に記憶されている複数の照合用生体情報のうち、特定の貨幣回収担当者の照合用生体情報を無効化するための処理が行なわれてもよい。
【０７４１】
（６）
前述の実施の形態では、図４４で説明したように、管理装置５００において、特定の貨幣回収担当者の担当者ＩＤを選択するための選択操作、照合用生体情報削除操作という操作を行なうことにより、複数の島金庫３００（認証端末）の各々において、記憶部３２０に記憶されている複数の照合用生体情報のうち、特定の貨幣回収担当者の照合用生体情報を削除する処理を説明した。
【０７４２】
しかしながら、これに限定されることなく、島金庫３００（認証端末）において、貨幣回収担当者が識別情報としての担当者ＩＤを入力し、入力された担当者ＩＤに基づいて、島金庫３００（認証端末）が、特定の貨幣回収担当者の照合用生体情報を削除してもよい。すなわち、島金庫３００（認証端末）のみで、特定の貨幣回収担当者の照合用生体情報を削除する処理が行なわれてもよい。
【０７４３】
（７）
前述の実施の形態では、出社退社判定装置６００が、ＩＤカードに記憶された情報を、非接触で読取る機能を有する例を説明した。しかしながら、これに限定されることなく、出社退社判定装置６００は、ＩＤカードが接触されたときに、ＩＤカードに記憶された情報を読取るものであってもよい。
【０７４４】
また、出社退社判定装置６００において使用されるものは、ＩＤカードに限定されることなく、他の媒体（たとえば、タイムカード等）であってもよい。
【０７４５】
（８）
前述の実施の形態では、認証端末は、島金庫として説明した。しかしながら、認証端末は、島金庫に限定されることはない。認証端末は、たとえば、マンション等の扉の施錠管理をする端末、パソコン等であってもよい。認証端末が、たとえば、パソコンである場合、図５５の認証処理ＴＣと同様な処理が行なわれことにより、ロックされているパソコンの使用が許可されることになる。
【０７４６】
（９）
前述の実施の形態では、照合用生体情報は、複数の島金庫３００（認証端末）の各々の記憶部３２０に記憶されていた。しかしながら、これに限定されることなく、照合用生体情報は、管理装置５００の記憶部５２０に記憶されていてもよい。この場合、島金庫３００（認証端末）において行なわれていた図２８の照合認証処理Ａ、図２８の照合認証処理Ｂ、図５５，図６２，図６９の照合認証処理Ｃは、管理装置５００において行なわれる。そして、管理装置５００が、判定した一致度合い等の情報を、島金庫３００（認証端末）へ送信する。
【０７４７】
（１０）
前述の実施の形態では、図５１、図５６および図５８で説明したように、管理装置５００が、有効化指示ＳＣまたは無効化指示ＳＣを、複数の島金庫３００（認証端末）の各々へ送信することにより、複数の島金庫３００（認証端末）の各々に記憶されている照合用生体情報の有効化または無効化を行なっていた。しかしながら、これに限定されることなく、管理装置５００の記憶部５２０に照合用生体情報が記憶されている場合は、図５１、図５６および図５８のいずれかの処理において、担当者の出社または退社が判定されたとき、あるいは、担当者の出社予定時刻または退社予定時刻になったときに、制御部５１０が、記憶部５２０に記憶されている照合用生体情報の有効化または無効化を行なう。この場合、有効化指示ＳＣおよび無効化指示ＳＣを、複数の島金庫３００（認証端末）の各々へ送信する処理が不要となる。
【０７４８】
（１１）
前述の実施の形態では、図５９の勤務予定外出勤対応処理Ｓで説明したように、勤務予定外に出勤した貨幣回収担当者（勤務予定外出勤貨幣回収担当者）の生体情報を有効化するために、識別情報としての担当者ＩＤを入力し、勤務予定外出勤貨幣回収担当者の生体情報を認証情報として使用し、本人認証を行なっていた。
【０７４９】
しかしながら、本人認証に使用される認証情報は、勤務予定外出勤貨幣回収担当者の生体情報に限定されることはない。本人認証に使用される認証情報は、たとえば、勤務予定外出勤貨幣回収担当者に対し予め設定されているパスワード等であってもよい。この場合、勤務予定外出勤貨幣回収担当者が、島金庫３００の入力部３４０に含まれる複数のボタンの操作によりパスワードを入力することで、本人認証が行なわれる。
【０７５０】
（１２）
前述の実施の形態では、図６４や図７０のＳ１４５０〜Ｓ１４５４の傾向的事象であるか否かの判別機能を認証端末（島金庫３００）の方に設けたが、それに代えて、管理装置５００の方に設けてもよい。その場合には、認証端末（島金庫３００）がステップＳ４１５Ｄで履歴データを記憶する代わりにその履歴データを管理装置５００に送信し、管理装置５００において、その履歴データを図６６や図６８の履歴データテーブルＤ１２００、Ｄ１２００Ａとして記憶し、その履歴データテーブルＤ１２００、Ｄ１２００Ａを用いて傾向的事象であるか否かの判別を行なう。そして、傾向的事象の場合には、その旨を自ら報知したり、または端末に返信して端末側で報知したり新たな照合用生体情報の自動登録を行なったりする。
【０７５１】
さらに、認証端末（島金庫３００）から読取った生体情報を管理装置５００に送信してもらい、管理装置５００において、図６２、図６９に示す照合認証処理や再登録するための処理を実行するようにしてもよい。特に、前述の第１の実施の形態では、認証端末（島金庫３００）が複数の担当者の照合用生体情報を記憶して照合しており、認証端末の負担が増大するが、管理装置５００側において照合認証すれば、このような認証端末側の負担を軽減できる。
【０７５２】
（１３）
前述の実施の形態では、図２８で説明したように、各生体情報の照合回数の集計処理が島金庫３００で行なわれる処理を説明した。しかしながら、これに限定されることなく、照合回数の集計処理は、管理装置５００で行なわれ、集計結果を、島金庫３００に送信して記憶させてもよい。
【０７５３】
（１４）
前述の実施の形態では、島金庫３００における担当者ＩＤの受付けは、島金庫３００に設けられた複数のボタンの押下操作により行なわれる処理を説明した。しかしながら、これに限定されることなく、島金庫３００に、ＩＤカードを読取る機能が設けられ、ＩＤカードにより担当者ＩＤが読取られてもよい。
【０７５４】
（１５）
前述の実施の形態では、各担当者につき、複数の照合用生体情報を登録する処理を説明した。しかしながら、これに限定されることなく、各担当者につき、１つの照合用生体情報が登録されてもよい。
【０７５５】
（１６）
前述の実施の形態では、生体情報の照合結果一致度合いが再登録判定しきい値（９３％）以下でかつ認証成功判定しきい値（９０％）以上であることを条件として（図６２、図６９のステップＳ４２２ＤでＹＥＳ）、生体情報の再登録報知処理（図６４のステップＳ１４４８）や再登録処理Ｔ（図７０のステップＳ１４４８Ｅ）が実行されるものを示したが、図６２、図６９のステップＳ４２２Ｄを削除し、一致度合いが再登録判定しきい値（９３％）以下でかつ生体情報取得部位判定しきい値（８０％）以上であれば（図６２、図６９のステップＳ４２２ＤでＹＥＳ）、生体情報の再登録報知処理（図６４のステップＳ１４４８）や再登録処理Ｔ（図７０のステップＳ１４４８Ｅ）を実行するようにしてもよい。
【０７５６】
（１７）
前述の実施の形態では、傾向的事象であるか否かの判定（図６４、図７０のステップＳ１４５２、Ｓ１４５４）を、同じ生体情報ＩＤを示す複数の履歴データにそれぞれ示される複数の一致度合いの平均値と今回照合された生体情報の一致度合いとの差を求め、その差が傾向的事象判定しきい値以上であるか否かにより行なっていた。しかし、その他の方法として、次のようなものであってもよい。
【０７５７】
（ｉ）  過去数回（たとえば５回）の認証時の生体情報を履歴データとして登録する代わりに、前回認証時の生体情報１つのみ（再登録判定しきい値（９３％）以上の一致度合いのものに限る）を履歴データとして登録しておき、その最新の生体情報（履歴データ）１つの一致度合いと今回取得された生体情報の一致度合いとの差が、傾向的事象判定しきい値以上であるか否かにより、判定するようにしてもよい。
【０７５８】
（ii）  複数の履歴データにそれぞれ示される複数の一致度合いとそれらに対応した判定日時（図６６，図６８参照）とから、単位時間あたりの変化率を求め、前回認証時から今回認証時までの経過時間と前記単位時間あたりの変化率との積から今回認証時点での一致度合いを予測し、その予測一致度合いと今回照合された生体情報の一致度合いとの差が傾向的事象判定しきい値以上であるか否かにより、判定するようにしてもよい。
【０７５９】
（１８）
前述の実施の形態では、傾向的事象であるか否かの判定（図６４、図７０のＳ１４５２、Ｓ１４５４）に用いられる複数の履歴データ中には、突発的事象に起因して再登録判定しきい値（９３％）以下になったものも含まれているが（ステップＳ４１６Ｄの再登録判定しきい値（９３％）以下か否かの判定処理以前のステップＳ４１５Ｄで履歴データの記憶を行なっている）、突発的事象に起因して再登録判定しきい値（９３％）以下になったものを履歴データとして記憶しないように制御してもよい。
【０７６０】
このようにすれば、怪我や読取り時の不具合で変化した生体情報が複数の履歴データ中に含まれず、本来の適正な生体情報に基づいた傾向的事象であるか否かの判定が行なわれることとなり、判定制度を向上することができる。
【０７６１】
さらに、突発的事象であるか否かにかかわらず、再登録判定しきい値（９３％）以下になったものを全て履歴データとして記憶しないように制御してもよい。
【０７６２】
（１９）
前述の実施の形態では、図６２のステップＳ４１５Ｄで説明したように、今回照合された生体情報（以下、照合済生体情報ともいう）を、記憶部３２０に記憶させる処理を行なっていた。しかしながら、これに限定されることなく、記憶部３２０に、履歴データとしての照合済生体情報が複数記憶されている場合は、複数の照合済生体情報のうち、対応する一致度合いが最も低い照合済生体情報を、新たな照合用生体情報として記憶部３２０に記憶させてもよい。
【０７６３】
（２０）
前述の実施の形態では、図６２のＳ１４４８の再登録報知処理は、管理装置５００と認証端末（島金庫３００）との両方で行なってもよい。また、認証端末（島金庫３００）側で再登録報知を行なうときには、認証端末（島金庫３００）にスピーカを設け、音声でも再登録報知を行なうことができるようにしてもよい。
【０７６４】
（２１）  
前述の実施の形態では、登録生体情報管理テーブルＤ６００Ａや履歴データテーブルＤ１２００、Ｄ１２００Ａに生体情報を特定するための生体情報ＩＤを記憶するようにしたが、生体情報ＩＤに加えてまたはその代わりに、直接対応する生体情報を履歴データテーブルＤ１２００に記憶するようにしてもよい。さらに、履歴データテーブルＤ１２００では、照合された日時を直接記録するようにしているが、それに代えて、照合時期が早いか遅いかの順番を特定する情報を記憶させるようにしてもよい。
【０７６５】
（２２）  
前述の実施の形態では、遊技機設置島１０００に設置されている複数の台間機２１０から挿入された貨幣が島金庫３００一箇所に回収されるものを示したが、各台間機２１０自体に貨幣収納部（島金庫）を設け、係員（回収担当者）が各台間機２１０の貨幣収納部（島金庫）から貨幣を回収する作業を行なうようにしてもよい。
【０７６６】
（２３）
前述の実施の形態では、遊技場に複数の監視カメラを設置し、本人認証の結果何らかの異常が判別された場合にその異常であると判別された島金庫３００を監視カメラでズームアップして撮影し、その撮影画像を管理装置５００の表示部５３０で表示させるとともに記憶部５２０に画像を記憶させるようにしてもよい。
【０７６７】
（２４）
前述の実施の形態では、管理装置５００、遊技場４０００の複数の島金庫３００と管理装置５００のように、複数の機器が配線接続されたシステムで構成されたものを示したが、それに限らず、たとえばパーソナルコンピュータ等のスタンドアローン型の装置に使用して使用者（オペレータ）の本人認証を行なうものであってもよい。
【０７６８】
（２５）
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０７６９】
【図１】本実施の形態における生体情報照合システムの構成の一例を示す図である。
【図２】遊技機設置島の構成の一例を示す図である。
【図３】遊技機および台間機の正面図である。
【図４】島金庫の内部構成の一例を示すブロック図である。
【図５】島金庫の外観を正面から示した図である。
【図６】開錠状態の島金庫を示す図である。
【図７】本実施の形態における管理装置の内部構成の一例を示すブロック図である。
【図８】起動処理のフローチャートである。
【図９】一例としてのメイン画像を示す図である。
【図１０】一例としての担当者データテーブルを示す図である。
【図１１】一例としての端末データテーブルを示す図である。
【図１２】一例としての登録画像を示す図である。
【図１３】一例としての登録画像を示す図である。
【図１４】生体情報登録処理のフローチャートである。
【図１５】一例としての指示画像を示す図である。
【図１６】一例としての認証結果画像を示す図である。
【図１７】一例としての登録画像を示す図である。
【図１８】一例としての登録画像を示す図である。
【図１９】一例としての生体情報登録テーブルを示す図である。
【図２０】生体情報送信処理Ｓおよび生体情報受信処理Ｔのフローチャートである。
【図２１】一例としての登録画像を示す図である。
【図２２】一例としての登録生体情報管理テーブルを示す図である。
【図２３】一例としての登録生体情報管理テーブルを示す図である。
【図２４】一例としての複数生体情報登録テーブルを示す図である。
【図２５】一例としての登録生体情報管理テーブルを示す図である。
【図２６】一例としての登録生体情報管理テーブルを示す図である。
【図２７】認証処理Ｔのフローチャートである。
【図２８】照合認証処理Ｔのフローチャートである。
【図２９】送信される認証結果情報の一例を示す図である。
【図３０】認証結果情報受信処理Ｓのフローチャートである。
【図３１】一例としてのメイン画像を示す図である。
【図３２】一例としての複数生体情報登録テーブルを示す図である。
【図３３】一例としての複数生体情報登録テーブルを示す図である。
【図３４】一例としての登録画像を示す図である。
【図３５】起動処理ＳＡのフローチャートを示す。
【図３６】生体情報受信処理ＴＡのフローチャートである。
【図３７】一例としてのメイン画像を示す図である。
【図３８】終了処理ＳＡおよび削除指示受信処理ＴＡのフローチャートである。
【図３９】一例としての複数生体情報登録テーブルを示す図である。
【図４０】起動処理ＳＢのフローチャートを示す。
【図４１】有効化指示受信処理ＴＢのフローチャートである。
【図４２】終了処理ＳＢおよび無効化指示受信処理ＴＢのフローチャートである。
【図４３】起動処理Ｔのフローチャートを示す。
【図４４】照合用生体情報削除処理Ｓおよび照合用生体情報削除処理Ｔのフローチャートである。
【図４５】一例としての登録画像を示す図である。
【図４６】一例としての登録画像を示す図である。
【図４７】照合用生体情報無効化処理Ｓおよび照合用生体情報無効化処理Ｔのフローチャートである。
【図４８】一例としての登録画像を示す図である。
【図４９】一例としての複数生体情報登録テーブルを示す図である。
【図５０】本実施の形態における生体情報照合システムの構成一例を示す図である。
【図５１】出社時退社時処理Ｓのフローチャートである。
【図５２】有効化指示受信処理ＴＣのフローチャートである。
【図５３】一例としての複数生体情報登録テーブルを示す図である。
【図５４】無効化指示受信処理ＴＣのフローチャートである。
【図５５】認証処理ＴＣのフローチャートである。
【図５６】出社時退社時処理ＳＡのフローチャートである。
【図５７】一例としての勤務予定データテーブルを示す図である。
【図５８】勤務予定対応処理Ｓのフローチャートである。
【図５９】勤務予定外出勤対応処理Ｓのフローチャートである。
【図６０】一例としての指示画像を示す図である。
【図６１】一例としてのメッセージ画像を示す図である。
【図６２】認証処理ＴＤのフローチャートである。
【図６３】一例としての履歴データを示す図である。
【図６４】再登録報知判定処理Ｔのフローチャートである。
【図６５】一例としての再登録報知画像を示す図である。
【図６６】一例としての履歴データテーブルを示す図である。
【図６７】一例としての履歴データを示す図である。
【図６８】一例としての履歴データテーブルを示す図である。
【図６９】認証処理ＴＥのフローチャートである。
【図７０】再登録実行判定処理Ｔのフローチャートである。
【符号の説明】
【０７７０】
２００  遊技機、２１０  台間機、３００  島金庫、３１０  制御部、３２０  記憶部、３６０  通信部、５００  管理装置、５１０  制御部、５３０  表示部、５２０  記憶部、５２２  一時記憶部、６００  出社退社判定装置、１０００  遊技機設置島、３０００  管理事務所、４０００  遊技場、１００００，１００００Ａ  生体情報照合システム。
【図１】
2008101434.tif 000003
【図２】
2008101434.tif 000004
【図３】
2008101434.tif 000005
【図４】
2008101434.tif 000006
【図５】
2008101434.tif 000007
【図６】
2008101434.tif 000008
【図７】
2008101434.tif 000009
【図８】
2008101434.tif 000010
【図９】
2008101434.tif 000011
【図１０】
2008101434.tif 000012
【図１１】
2008101434.tif 000013
【図１２】
2008101434.tif 000014
【図１３】
2008101434.tif 000015
【図１４】
2008101434.tif 000016
【図１５】
2008101434.tif 000017
【図１６】
2008101434.tif 000018
【図１７】
2008101434.tif 000019
【図１８】
2008101434.tif 000020
【図１９】
2008101434.tif 000021
【図２０】
2008101434.tif 000022
【図２１】
2008101434.tif 000023
【図２２】
2008101434.tif 000024
【図２３】
2008101434.tif 000025
【図２４】
2008101434.tif 000026
【図２５】
2008101434.tif 000027
【図２６】
2008101434.tif 000028
【図２７】
2008101434.tif 000029
【図２８】
2008101434.tif 000030
【図２９】
2008101434.tif 000031
【図３０】
2008101434.tif 000032
【図３１】
2008101434.tif 000033
【図３２】
2008101434.tif 000034
【図３３】
2008101434.tif 000035
【図３４】
2008101434.tif 000036
【図３５】
2008101434.tif 000037
【図３６】
2008101434.tif 000038
【図３７】
2008101434.tif 000039
【図３８】
2008101434.tif 000040
【図３９】
2008101434.tif 000041
【図４０】
2008101434.tif 000042
【図４１】
2008101434.tif 000043
【図４２】
2008101434.tif 000044
【図４３】
2008101434.tif 000045
【図４４】
2008101434.tif 000046
【図４５】
2008101434.tif 000047
【図４６】
2008101434.tif 000048
【図４７】
2008101434.tif 000049
【図４８】
2008101434.tif 000050
【図４９】
2008101434.tif 000051
【図５０】
2008101434.tif 000052
【図５１】
2008101434.tif 000053
【図５２】
2008101434.tif 000054
【図５３】
2008101434.tif 000055
【図５４】
2008101434.tif 000056
【図５５】
2008101434.tif 000057
【図５６】
2008101434.tif 000058
【図５７】
2008101434.tif 000059
【図５８】
2008101434.tif 000060
【図５９】
2008101434.tif 000061
【図６０】
2008101434.tif 000062
【図６１】
2008101434.tif 000063
【図６２】
2008101434.tif 000064
【図６３】
2008101434.tif 000065
【図６４】
2008101434.tif 000066
【図６５】
2008101434.tif 000067
【図６６】
2008101434.tif 000068
【図６７】
2008101434.tif 000069
【図６８】
2008101434.tif 000070
【図６９】
2008101434.tif 000071
【図７０】
2008101434.tif 000072